(57)【要約】無線通信システムにおいて、グラントフリーのアップリンク伝送は、基地局からの動的且つ明示的なスケジューリング・グラントを必要としない、ユーザ機器（ＵＥ）から基地局へ送られるアップリンク伝送である。システム及び方法は、グラントフリーのアップリンク伝送のためにハイブリッド自動再送要求（ＨＡＲＱ）を実行することについて開示される。ＨＡＲＱのためのＡＣＫ／ＮＡＣＫに関連したシグナリング、及びグラントフリーのアップリンク伝送のためにＵＥを構成することに関連したシグナリングも、開示される。
2020500474.tif 000002
【特許請求の範囲】
【請求項１】
基地局によって実行される方法であって、
第１のグラントフリーのアップリンク伝送を第１ユーザ機器（ＵＥ）から受けることと、
第２のグラントフリーのアップリンク伝送を第２ＵＥから受けることと、
前記第１のグラントフリーのアップリンク伝送に対応するＡＣＫ又はＮＡＣＫ及び前記第２のグラントフリーのアップリンク伝送に対応するＡＣＫ又はＮＡＣＫを示すグループＡＣＫ／ＮＡＣＫメッセージを前記第１ＵＥへ前記第２ＵＥへ送ることと
を有する方法。
【請求項２】
前記第１ＵＥ及び前記第２ＵＥは、グループ識別子（ＩＤ）を有するグループ内にあり、前記グループＡＣＫ／ＮＡＣＫは前記グループＩＤと関連付けられ、前記グループＩＤは、前記第１のグラントフリーのアップリンク伝送が送られたグラントフリーのリソースの関数である、
請求項１に記載の方法。
【請求項３】
前記第１ＵＥ及び前記第２ＵＥは、グループＩＤを有するグループ内にあり、前記グループＡＣＫ／ＮＡＣＫは前記グループＩＤと関連付けられ、前記グループＡＣＫ／ＮＡＣＫは、グループ共通ダウンリンク制御情報（ＤＣＩ）において送信され、前記グループ共通ＤＣＩの巡回冗長検査（ＣＲＣ）は、前記グループＩＤによってマスクをかけられる、
請求項１に記載の方法。
【請求項４】
前記グループＩＤは、前記第１のグラントフリーのアップリンク伝送が送られた時間単位及び周波数位置のうちの少なくとも一方の関数である、
請求項２又は請求項３に記載の方法。
【請求項５】
前記グループＩＤは、無線ネットワーク一時識別子（ＲＮＴＩ）であり、無線リソース制御（ＲＲＣ）シグナリングにおいて前記第１ＵＥへ信号伝送される、
請求項２又は請求項３に記載の方法。
【請求項６】
前記グループＡＣＫ／ＮＡＣＫメッセージは、前記ＡＣＫ又はＮＡＣＫを示すペイロードを有し、該ペイロードは、前記第１のグラントフリーのアップリンク伝送に対応する第１ビットと、前記第２のグラントフリーのアップリンク伝送に対応する第２ビットとを有し、各ビットは、アクティビティ検出が成功したかどうか又はデータ復号化が成功したかどうかを示す、
請求項１乃至請求項５のうちいずれか一項に記載の方法。
【請求項７】
前記ペイロードにおける前記第１ビット及び前記第２ビットの位置は、前記第１のグラントフリーのアップリンク伝送及び前記第２のグラントフリーのアップリンク伝送のＭＡシグニチャ及びＨＡＲＱプロセスＩＤのうちの少なくとも１つに対応する、
請求項６に記載の方法。
【請求項８】
前記ペイロードにおける前記第１ビットの位置は、前記第１ＵＥが前記第１のグラントフリーのアップリンク伝送を送ることより前に、無線リソース制御（ＲＲＣ）シグナリングにより前記第１ＵＥへ信号伝送される、
請求項６に記載の方法。
【請求項９】
第１のグラントフリーのアップリンク伝送を第１ユーザ機器（ＵＥ）から受け、第２のグラントフリーのアップリンク伝送を第２ＵＥから受ける受信器と、
前記第１のグラントフリーのアップリンク伝送に対応するＡＣＫ又はＮＡＣＫ及び前記第２のグラントフリーのアップリンク伝送に対応するＡＣＫ又はＮＡＣＫを示すグループＡＣＫ／ＮＡＣＫメッセージを生成するグラントフリー伝送モジュールと
を有する基地局。
【請求項１０】
前記第１ＵＥ及び前記第２ＵＥは、グループ識別子（ＩＤ）を有するグループ内にあり、前記グループＡＣＫ／ＮＡＣＫは前記グループＩＤと関連付けられ、前記グループＩＤは、前記第１のグラントフリーのアップリンク伝送が送られたグラントフリーのリソースの関数である、
請求項９に記載の基地局。
【請求項１１】
前記第１ＵＥ及び前記第２ＵＥは、グループＩＤを有するグループ内にあり、前記グループＡＣＫ／ＮＡＣＫは前記グループＩＤと関連付けられ、前記基地局は、グループ共通ダウンリンク制御情報（ＤＣＩ）において前記グループＡＣＫ／ＮＡＣＫを送信し、前記グループＩＤによって前記グループ共通ＤＣＩの巡回冗長検査（ＣＲＣ）にマスクをかける、
請求項９に記載の基地局。
【請求項１２】
前記グループＩＤは、前記第１のグラントフリーのアップリンク伝送が送られた時間単位及び周波数位置のうちの少なくとも一方の関数である、
請求項１０又は請求項１１に記載の基地局。
【請求項１３】
前記グループＡＣＫ／ＮＡＣＫメッセージは、前記ＡＣＫ又はＮＡＣＫを示すペイロードを有し、該ペイロードは、前記第１のグラントフリーのアップリンク伝送に対応する第１ビットと、前記第２のグラントフリーのアップリンク伝送に対応する第２ビットとを有し、各ビットは、アクティビティ検出が成功したかどうか又はデータ復号化が成功したかどうかを示す、
請求項９乃至請求項１２のうちいずれか一項に記載の基地局。
【請求項１４】
前記ペイロードにおける前記第１ビット及び前記第２ビットの位置は、前記第１のグラントフリーのアップリンク伝送及び前記第２のグラントフリーのアップリンク伝送のＭＡシグニチャ及びＨＡＲＱプロセスＩＤのうちの少なくとも１つに対応する、
請求項１３に記載の基地局。
【請求項１５】
前記基地局は、前記第１ＵＥが前記第１のグラントフリーのアップリンク伝送を送ることより前に、前記ペイロードにおける前記第１ビットの位置を無線リソース制御（ＲＲＣ）シグナリングにより前記第１ＵＥへ信号伝送する、
請求項１３に記載の基地局。
【請求項１６】
第１ユーザ機器（ＵＥ）によって実行される方法であって、
第１のグラントフリーのアップリンク伝送を基地局へ送ることと、
前記第１のグラントフリーのアップリンク伝送に対応するＡＣＫ又はＮＡＣＫ及び第２ＵＥからの第２のグラントフリーのアップリンク伝送に対応するＡＣＫ又はＮＡＣＫを示すグループＡＣＫ／ＮＡＣＫメッセージを受けることと
を有する方法。
【請求項１７】
前記第１ＵＥ及び前記第２ＵＥは、グループ識別子（ＩＤ）を有するグループ内にあり、前記グループＡＣＫ／ＮＡＣＫは前記グループＩＤと関連付けられ、前記グループＩＤは、前記第１のグラントフリーのアップリンク伝送が送られるグラントフリーのリソースの関数である、
請求項１６に記載の方法。
【請求項１８】
前記第１ＵＥ及び前記第２ＵＥは、グループＩＤを有するグループ内にあり、前記グループＡＣＫ／ＮＡＣＫは前記グループＩＤと関連付けられ、前記グループＡＣＫ／ＮＡＣＫは、グループ共通ダウンリンク制御情報（ＤＣＩ）において受信され、前記グループ共通ＤＣＩの巡回冗長検査（ＣＲＣ）は、前記グループＩＤによってマスクをかけられる、
請求項１６に記載の方法。
【請求項１９】
前記グループＩＤは、前記第１のグラントフリーのアップリンク伝送が送られる時間単位及び周波数位置のうちの少なくとも一方の関数である、
請求項１７又は請求項１８に記載の方法。
【請求項２０】
前記グループＩＤは、無線ネットワーク一時識別子（ＲＮＴＩ）であり、無線リソース制御（ＲＲＣ）シグナリングにおいて前記第１ＵＥへ信号伝送される、
請求項１７又は請求項１８に記載の方法。
【請求項２１】
前記グループＡＣＫ／ＮＡＣＫメッセージは、前記ＡＣＫ又はＮＡＣＫを示すペイロードを有し、該ペイロードは、前記第１のグラントフリーのアップリンク伝送に対応する第１ビットと、前記第２のグラントフリーのアップリンク伝送に対応する第２ビットとを有し、各ビットは、アクティビティ検出が成功したかどうか又はデータ復号化が成功したかどうかを示す、
請求項１６乃至請求項２０のうちいずれか一項に記載の方法。
【請求項２２】
前記ペイロードにおける前記第１ビット及び前記第２ビットの位置は、前記第１のグラントフリーのアップリンク伝送及び前記第２のグラントフリーのアップリンク伝送のＭＡシグニチャ及びＨＡＲＱプロセスＩＤのうちの少なくとも１つに対応する、
請求項２１に記載の方法。
【請求項２３】
前記ペイロードにおける前記第１ビットの位置は、前記第１ＵＥが前記第１のグラントフリーのアップリンク伝送を送ることより前に、無線リソース制御（ＲＲＣ）シグナリングにより前記第１ＵＥへ信号伝送される、
請求項２１に記載の方法。
【請求項２４】
第１のグラントフリーのアップリンク伝送を基地局へ送る送信器と、
前記第１のグラントフリーのアップリンク伝送に対応するＡＣＫ又はＮＡＣＫ及び第２ＵＥからの第２のグラントフリーのアップリンク伝送に対応するＡＣＫ又はＮＡＣＫを示すグループＡＣＫ／ＮＡＣＫメッセージを受ける受信器と
を有する第１ユーザ機器（ＵＥ）。
【請求項２５】
前記第１ＵＥ及び前記第２ＵＥは、グループ識別子（ＩＤ）を有するグループ内にあり、前記グループＡＣＫ／ＮＡＣＫは前記グループＩＤと関連付けられ、前記グループＩＤは、前記第１のグラントフリーのアップリンク伝送が送られるグラントフリーのリソースの関数である、
請求項２４に記載の第１ＵＥ。
【請求項２６】
前記第１ＵＥ及び前記第２ＵＥは、グループＩＤを有するグループ内にあり、前記グループＡＣＫ／ＮＡＣＫは前記グループＩＤと関連付けられ、前記受信器は、前記グループＡＣＫ／ＮＡＣＫをグループ共通ダウンリンク制御情報（ＤＣＩ）において受信し、前記グループ共通ＤＣＩの巡回冗長検査（ＣＲＣ）は、前記グループＩＤによってマスクをかけられる、
請求項２４に記載の第１ＵＥ。
【請求項２７】
前記グループＩＤは、前記第１のグラントフリーのアップリンク伝送が送られる時間単位及び周波数位置のうちの少なくとも一方の関数である、
請求項２５又は請求項２６に記載の第１ＵＥ。
【請求項２８】
前記グループＡＣＫ／ＮＡＣＫメッセージは、前記ＡＣＫ又はＮＡＣＫを示すペイロードを有し、該ペイロードは、前記第１のグラントフリーのアップリンク伝送に対応する第１ビットと、前記第２のグラントフリーのアップリンク伝送に対応する第２ビットとを有し、各ビットは、アクティビティ検出が成功したかどうか又はデータ復号化が成功したかどうかを示す、
請求項２４乃至請求項２７のうちいずれか一項に記載の第１ＵＥ。
【請求項２９】
前記ペイロードにおける前記第１ビット及び前記第２ビットの位置は、前記第１のグラントフリーのアップリンク伝送及び前記第２のグラントフリーのアップリンク伝送のＭＡシグニチャ及びＨＡＲＱプロセスＩＤのうちの少なくとも１つに対応する、
請求項２８に記載の第１ＵＥ。
【請求項３０】
前記ペイロードにおける前記第１ビットの位置は、前記第１ＵＥが前記第１のグラントフリーのアップリンク伝送を送ることより前に、無線リソース制御（ＲＲＣ）シグナリングにより前記第１ＵＥへ信号伝送される、
請求項２８に記載の第１ＵＥ。
【発明の詳細な説明】
【技術分野】
【０００１】
優先権
本願は、２０１６年１１月３日付けで“HARQ  Systems  and  Methods  for  Grant-Free  Uplink  Transmissions”と題されて出願された米国特許仮出願第６２／４１６９３９号、及び２０１６年１１月１１日付けで、“HARQ  Systems  and  Methods  for  Grant-Free  Uplink  Transmissions”と題されて出願された米国特許仮出願第６２／４２１０８７号、及び２０１７年２月１６日付けで“HARQ  Signaling  for  Grant-Free  Uplink  Transmissions”と題されて出願された米国特許仮出願第６２／４５９９４９号、及び２０１７年１０月３１日付けで出願された米国特許出願第１５／７９９１５７号に基づく優先権を主張する。これらの４つの文献は全て、参照により本願に援用される。
【０００２】
分野
本願は、グラントフリーのアップリンク伝送に関係がある。
【背景技術】
【０００３】
背景
いくつかの無線通信システムにおいて、ユーザ機器（ＵＥ）は、データを基地局へ送り及び／又はデータを基地局から受けるよう、基地局と無線通信する。ＵＥから基地局への無線通信はアップリンク通信と呼ばれる。基地局からＵＥへの無線通信はダウンリンク通信と呼ばれる。
【０００４】
アップリンク及びダウンリンク通信を行うためにはリソースが必要とされる。例えば、ＵＥは、特定の周波数で及び／又は時間における特定のスロットの間にアップリンク伝送において基地局へデータを無線により送ることができる。使用される周波数及び時間スロットはリソースの例である。
【０００５】
いくつかの無線通信システムは、グラントベースのアップリンク伝送をサポートし得る。すなわち、ＵＥがデータを基地局へ送りたい場合に、ＵＥはアップリンク・リソースを基地局に要求する。基地局はアップリンク・リソースを許可し、次いで、ＵＥは、許可されたアップリンク・リソースを用いてアップリンク伝送を送る。基地局によって許可され得るアップリンク・リソースの例は、アップリンク直交周波数分割多重アクセス（ＯＦＤＭＡ）フレームにおける時間−周波数位置の組である。
【０００６】
いくつかの無線通信システムは、同様に、又は代わりに、グラントフリーのアップリンク伝送をサポートし得る。すなわち、ＵＥは、特にリソースの使用を要求せずに、特に基地局によってリソースを許可されることなしに、他のＵＥと共有される可能性がある特定のアップリンク・リソースを用いてアップリンク伝送を送ることができる。グラントフリーのアップリンク伝送は、基地局からの動的且つ明示的なスケジューリング・グラントを必要としない。
【０００７】
いくつかの場合に、ＵＥがグラントフリーのアップリンク伝送を送るときに、基地局は、アップリンク伝送におけるデータを復号することができないことがある。
【発明の概要】
【０００８】
概要
ハイブリッド自動再送要求（ＨＡＲＱ）は、送信されるデータが誤り訂正符号化を用いて符号化される方法である。次いで、符号化されたデータが送信中に破損し、受信器が誤りを訂正することができない場合に、自動再送要求（ＡＲＱ）が実行される。
【０００９】
グラントベースのアップリンク伝送のためのＨＡＲＱシグナリングは、グラントフリーのアップリンク伝送が基地局から明示的なスケジューリング・グラントを受けないので、グラントフリーのアップリンク伝送に利用可能でないことがある。
【００１０】
ここでは、グラントフリーのアップリンク伝送のためにＨＡＲＱを実行するシステム及び方法が開示される。ＨＡＲＱのためのＡＣＫ／ＮＡＣＫに関連したシグナリング、及びグラントフリーのアップリンク伝送のためにＵＥを構成することに関連したシグナリングも、開示される。
【００１１】
ここで記載されるシステム及び方法を使用することによって、グラントフリーのアップリンク伝送のためのＨＡＲＱは、従って提供され得る。特に、以下でいくつかの実施形態は、グラントフリーの送信及び再送のためのＡＣＫ／ＮＡＣＫフィードバックを支援する。
【００１２】
１つの実施形態において、基地局によって実行される方法が提供される。方法は、基地局が第１のグラントフリーのアップリンク伝送を第１ＵＥから受けることを含む。方法は、基地局が第２のグラントフリーのアップリンク伝送を第２ＵＥから受けることを更に含む。方法は、前記第１のグラントフリーのアップリンク伝送に対応するＡＣＫ又はＮＡＣＫ及び前記第２のグラントフリーのアップリンク伝送に対応するＡＣＫ又はＮＡＣＫを示すグループＡＣＫ／ＮＡＣＫメッセージを前記第１ＵＥへ前記第２ＵＥへ送ることを更に含む。方法を実行するよう構成された基地局も開示される。
【００１３】
他の実施形態では、第１ＵＥによって実行される方法が提供される。方法は、第１のグラントフリーのアップリンク伝送を基地局へ送ることを含む。方法は、前記第１のグラントフリーのアップリンク伝送に対応するＡＣＫ又はＮＡＣＫ及び第２ＵＥからの第２のグラントフリーのアップリンク伝送に対応するＡＣＫ又はＮＡＣＫを示すグループＡＣＫ／ＮＡＣＫメッセージを受けることを更に含む。方法を実行するＵＥも開示される。
【図面の簡単な説明】
【００１４】
図面の簡単な説明
実施形態は、単なる例として、添付の図を参照して記載される。
【００１５】
【図１】１つの実施形態に従う基地局及び複数のＵＥのブロック図である。
【図２】１つの実施形態に従って基地局及びＵＥを更に詳細に示すブロック図である。
【図３】グラントフリーのアップリンク伝送のためのフォーマットの例を表す。
【図４】伝送とＭＡシグニチャ又は物理リソースとの間のマッピングの例を示す表を表す。
【図５】伝送とＭＡシグニチャ又は物理リソースとの間のマッピングの例を示す表を表す。
【図６】１つの実施形態に従って基地局によって実行される方法である。
【図７】ＭＡシグニチャ／グラントフリーのアクセス領域とフィードバックの直交シーケンス／時間−周波数位置との間のマッピングの例を表す。
【図８】１つの実施形態に従ってＵＥ及び基地局によって実行される方法である。
【図９】他の実施形態に従ってＵＥ及び基地局によって実行される方法である。
【図１０】グループＡＣＫ／ＮＡＣＫの例を表す。
【図１１】グループＡＣＫ／ＮＡＣＫの例を表す。
【図１２】グループＡＣＫ／ＮＡＣＫの例を表す。
【図１３】グループＡＣＫ／ＮＡＣＫの例を表す。
【図１４】他の実施形態に従ってＵＥ及び基地局によって実行される方法である。
【図１５】１つの実施形態に従って２つのＵＥ及び基地局によって実行される方法である。
【図１６】５つの前の時間スロットの間に送られたパケットについてのグループ・アクノリッジメントを示す時間−周波数リソース分割である。
【図１７】他の実施形態に従ってＵＥ及び基地局によって実行される方法である。
【図１８】他の実施形態に従ってＵＥ及び基地局によって実行される方法である。
【図１９】１つの実施形態に従ってＵＥによって実行される方法である。
【発明を実施するための形態】
【００１６】
詳細な説明
例示を目的として、具体例の実施形態がこれより、図面とともに以下で更に詳細に説明される。
【００１７】
図１は、１つの実施形態に従って、基地局１００及び複数のＵＥ１０２ａ〜ｃのブロック図である。
【００１８】
語「基地局」は、ＵＥからアップリンクでデータを無線により受ける如何なるデバイスも包含する。従って、いくつかの実施で、基地局１００は、送信及び受信点（ＴＲＰ）、ベース・トランシーバ局、無線基地局、ネットワーク・ノード、送信／受信ノード、ＮｏｄｅＢ、ｅＮｏｄｅＢ（ｅＮＢ）、ｇＮＢ（時々、“ギガビット”ＮｏｄｅＢと呼ばれる。）、中継局、又はリモート・ラジオ・ヘッドのような他の名称で呼ばれることがある。また、いくつかの実施形態では、基地局１００の部分は分配され得る。例えば、基地局１００のモジュールのいくつかは、基地局１００のアンテナを収容する設備から離れて位置してよく、アンテナを収容する設備へ通信リンク（図示せず。）を介して結合されてよい。従って、いくつかの実施形態では、用語「基地局」１００は、必ずしも基地局１００のアンテナを収容する設備の部分ではない、処理動作（例えば、復号化及びメッセージ生成）を実行するネットワーク側のモジュールも指すことがある。モジュールはまた、他の基地局へも結合されてよい。
【００１９】
動作中、ＵＥ１０２ａ〜ｃは夫々、グラントフリーのアップリンク伝送を基地局１００へ送ることができる。グラントフリーのアップリンク伝送は、基地局１００によってＵＥに特に許可されていないアップリンク・リソースを用いて送られるアップリンク伝送である。グラントフリーのアップリンク伝送は、基地局１００からの動的且つ明示的なスケジューリング・グラントを必要としない。
【００２０】
グラントフリーのアップリンク伝送は、時々、「グラントレス」、「スケジュールフリー」、若しくは「スケジュールレス」伝送、又は許可なし伝送と呼ばれる。異なるＵＥ１０２ａ〜ｃからのグラントフリーのアップリンク伝送は、同じ指定されたリソースを用いて送信されてよい。この場合に、グラントフリーのアップリンク伝送は、競合ベースの伝送である。グラントフリーのアップリンク伝送は、ＵＥ１０２ａ〜ｃから基地局１００へショート・パケットによるバースト・トラフィックを送ること、及び／又は実時間において若しくは低レイテンシでデータを基地局１００へ送るに適し得る。グラントフリーのアップリンク伝送スキームが利用され得る適用の例は、大容量マシン・タイプ・コミュニケーション（ｍ−ＭＴＣ）、超高信頼且つ低レイテンシの通信（ＵＲＬＬＣ）、スマート電気メーター、スマート・グリッドにおけるテレプロテクション、自動運転を含む。しかし、グラントフリーのアップリンク伝送スキームは、それらの適用に限られない。
【００２１】
グラントフリー伝送が送られるアップリンク・リソースは、「グラントフリーのアップリンク・リソース」と呼ばれる。例えば、グラントフリーのアップリンク・リソースは、ＯＦＤＭＡフレームにおける指定された領域であってよい。ＵＥ１０２ａ〜ｃは、それらのグラントフリーのアップリンク伝送を送るためにその指定された領域を使用し得るが、基地局１００は、ＵＥ１０２ａ〜ｃのうちの、もしあれば、どれが、指定された領域においてグラントフリーのアップリンク伝送を送ろうとしているかを知らない。
【００２２】
グラントフリーのアップリンク・リソースは予め定義され、例えば、ＵＥ及び基地局１００の両方に前もって知られ得る。グラントフリーのアップリンク・リソースは静的であってよく（変化しない。）、あるいは、グラントフリーのアップリンク・リソースは半静的に構成されてよい。半静的な構成は、それが一度構成され、多くのフレームにおいて一度といったようにゆっくりとしか更新／変更され得ないか、又は必要に応じてしか更新され得ないことを意味する。半静的な変更は、半静的な変更が動的な変更ほど頻繁に起こらない点で、動的な変更とは相違する。例えば、動的な変更／更新は、サブフレームごと又は数サブフレームごとの変化を指し、半静的な変更は、いくつかのＯＦＤＭＡフレームごとに一度若しくは数秒ごとに一度しか起こらないか、又は必要とされる場合にのみ更新される変更を指し得る。
【００２３】
いくつかの実施形態で、グラントフリーのアップリンク・リソースは予め構成されてよく、例えば、複数の考えられる予め定義されたグラントフリーのアップリンク・リソース・パーティションが存在してよく、基地局１００又はネットワークは、予め定義されたグラントフリーのアップリンク・リソース・パーティションのうちの１つを半静的に選び、使用されているグラントフリーのアップリンク・リソース・パーティションをＵＥへ信号により伝えることができる。いくつかの実施形態で、基地局１００及び／又はＵＥは、それらの製造中に、例えば、製造中にロードされる予め定義されたテーブルを通じて、グラントフリーのアップリンク・リソースとしてどのアップリンク・リソースを使用すべきかを知るよう構成されてよい。いくつかの実施形態で、グラントフリーのアップリンク・リソースは、基地局１００によって、例えば、ブロードキャスト／シグナリング、上位レイヤ・シグナリング（ＲＲＣシグナリング）及び動的シグナリング（例えば、ＤＣＩ）の組み合わせを使用することによって、半静的に構成されてよい。グラントフリーのアップリンク・リソースを動的に信号で伝えることによって、基地局１００又はネットワークは、ＵＥのシステム・トラフィックに適応し得る。例えば、グラントフリーのアップリンク伝送を送ることができる、サーブされるより多くのＵＥが存在するときに、より多くの、グラントフリーのアップリンク伝送が割り当てられ得る。いくつかの実施形態で、ネットワーク内の制御ノード（例えば、コンピュータ）は、使用されるグラントフリーのアップリンク・リソースを決定してよい。ネットワークは、次いで、グラントフリーのアップリンク・リソースを基地局及びＵＥに示してよい。いくつかの実施形態で、グラントフリー・モードで動作するＵＥは、割り当てられた伝送リソースを決定するために、１）ＲＲＣシグナリング情報及びシステム情報、又は２）ＲＲＣシグナリング情報及びＤＣＩ情報、又は３）ＲＲＣシグナリング情報、システム情報及びＤＣＩ情報を組み合わせるよう半静的に構成されてよい。
【００２４】
図１は、ＵＥ１０２ａによってグラントフリーのアップリンク伝送においてアップリンク・チャネル１５６を介して送られるメッセージ１５０を表す。メッセージ１５０は、多重アクセス（ＭＡ）リソースを用いて送信される。ＭＡリソースは、ＭＥ物理リソース（例えば、時間−周波数ブロック）及び少なくとも１つのＭＡシグニチャから成る。ＭＡシグニチャは、次のもの：コードブック／コードワード、シーケンス、インターリーバ及び／又はマッピング・パターン、パイロット、復調基準信号（例えば、チャネル推定のための基準信号）、プリアンブル、空間ディメンジョン、及びパワーディメンジョン、のうちの少なくとも１つを含んでよい。用語「パイロット」は、基準信号、例えば、復調基準信号を少なくとも含む信号を指す。基準信号はＭＡシグニチャであってよい。いくつかの実施形態で、パイロットは、場合により、チャネル推定指向のプリアンブル、又はランダム・アクセス・チャネル（ＬＴＥ様のＲＡＣＨ）プリアンブルとともに、復調基準信号を含んでよい。
【００２５】
いくつかの実施形態で、アップリンク伝送は、散在符号多重アクセス（ＳＣＭＡ）、インターリーブグリッド多重アクセス（ＩＧＭＡ）、複数ユーザ共有アクセス（ＭＵＳＡ）、低符号レート拡散、周波数領域拡散、非直交符号分割アクセス（ＮＣＭＡ）、パターン分割多重アクセス（ＰＤＭＡ）、リソース拡散多重アクセス（ＲＳＭＡ）、低密度拡散特徴ベクトル拡張（ＬＤＳ−ＳＶＥ）、低符号レート及びシグニチャに基づく共有アクセス（ＬＳＳＡ）、非直交符号化アクセス（ＮＯＣＡ）、インターリーブ分割多重アクセス（ＩＤＭＡ）、繰り返し分割多重アクセス（ＲＤＭＡ）、又はグループ直交符号化アクセス（ＧＯＣＡ）のような、非直交多重アクセス（ＮＯＭＡ）を使用してよい。使用される多重アクセス方法に応じて、ＭＡシグニチャは異なる形をとり得る。ＭＡシグニチャは、多重アクセス方法のために使用される具体的なフォーマットに関係し得る。例えば、ＳＣＭＡが使用される場合には、アップリンク伝送のためのＭＡシグニチャは、アップリンク伝送のために使用されるＳＣＭＡコードブックであってよい。他の例として、ＩＧＭＡが使用される場合には、アップリンク伝送のためのＭＡシグニチャは、アップリンク伝送のために使用されるＩＧＭＡのシグニチャ、インターリービング・パターン又はグリッド・マッピングであってよい。
【００２６】
図２は、より詳細に図１の基地局１００及びＵＥ１０２ａを示すブロック図である。基地局１００は、ＵＥ１０２ａ〜ｃから受け取られたグラントフリー伝送を処理し、且つ、受け取られたグラントフリー伝送に関してここで記載されるＨＡＲＱ方法に関与するグラントフリー伝送モジュール１０４を含む。例えば、グラントフリー伝送モジュール１０４は、グラントフリー伝送復号器２０６を含んでよい。基地局は、ＵＥ１０２ａ〜ｃ宛ての、ダウンリンク制御情報（ＤＣＩ）のような情報を符号化する符号器２１０を更に含む。基地局１００は、ＵＥ１０２ａ〜ｃからアップリンク伝送を受ける受信器２０９と、メッセージをダウンリンクにおいてＵＥ１０２ａ〜ｃへ送る送信器２１１とを更に含む。１つ以上のアンテナが受信器２０９及び送信器２１１へ結合されている。ただ１つのアンテナ２０８のみが表されている。基地局１００はメモリ２０４を更に含む。基地局１００は、動作のための、例えば、物理レイヤを実装するための、他のコンポーネントを更に含むが、それらは明りょうさのために省略されている。
【００２７】
符号器２１０並びに受信器２０９及び送信器２１１の処理コンポーネントに加えて、グラントフリー伝送モジュール１０４及びその構成要素（例えば、グラントフリー伝送復号器２０６）は、１つ以上のプロセッサに符号器２１０、受信器２０９、送信器２１１、並びにグラントフリー伝送モジュール１０４及びその構成要素の動作を実行させる命令を実行する１つ以上のプロセッサによって実装されてよい。代替的に、符号器２１０、受信器２０９、送信器２１１、並びにグラントフリー伝送モジュール１０４及びその構成要素は、符号器２１０、受信器２０９、送信器２１１、並びにグラントフリー伝送モジュール１０４及びその構成要素の動作を実行するための特定用途向け集積回路（ＡＳＩＣ）、グラフィクス・プロセッシング・ユニット（ＧＰＵ）、又はプログラムされたフィールド・プログラマブル・ゲート・アレイ（ＦＰＧＡ）のような専用の集積回路を用いて実装されてもよい。
【００２８】
ＵＥ１０２ａは、グラントフリー・メッセージを生成及び送信し、且つ、グラントフリー・メッセージに関してここで記載されるＨＡＲＱ方法に関与する相補的なグラントフリー伝送モジュール１０６を同様に含む。例えば、グラントフリー伝送モジュール１０６は、グラントフリーのアップリンク伝送において送られるメッセージを生成するグラントフリー・メッセージ発生器２１４を含む。グラントフリー・メッセージを生成することは、メッセージにおいて送られるデータを符号器２１９で符号化し、符号化されたデータを変調することを含んでよい。ＵＥ１０２ａは、基地局１００からの情報を復号するための、例えば、符号器２１０によって符号化されたＤＣＩを復号するための復号器２１８を更に含む。ＵＥ１０２ａは、アップリンク伝送を送る送信器２１５と、基地局１００からダウンリンクにおいてメッセージを受ける受信器２１７とを更に含む。１つ以上のアンテナが送信器２１５及び受信器２１７へ結合されている。ただ１つのアンテナ２１６のみが表されている。ＵＥ１０２ａはメモリ２１２を更に含む。ＵＥ１０２ａは、動作のための、例えば、物理レイヤを実装するための、他のコンポーネントを更に含むが、それらは明りょうさのために省略されている。
【００２９】
復号器２１８並びに送信器２１５及び受信器２１７の処理コンポーネントに加えて、グラントフリー伝送モジュール１０６及びその構成要素（例えば、グラントフリー・メッセージ発生器２１４）は、１つ以上のプロセッサに復号器２１８、送信器２１５、受信器２１７、並びにグラントフリー伝送モジュール１０６及びその構成要素の動作を実行させる命令を実行する１つ以上のプロセッサによって実装されてよい。代替的に、復号器２１８、送信器２１５、受信器２１７、並びにグラントフリー伝送モジュール１０６及びその構成要素は、復号器２１８、送信器２１５、受信器２１７、並びにグラントフリー伝送モジュール１０６及びその構成要素の動作を実行するためのＡＳＩＣ、ＧＰＵ、又はプログラムされたＦＰＧＡのような専用の集積回路を用いて実装されてもよい。
【００３０】
グラントフリーのアップリンク伝送のためのメッセージ・フォーマットの例
図３は、図１のグラントフリーのアップリンク伝送においてＵＥ１０２ａによって送られるメッセージ１５０のフォーマットの例を表す。フォーマットの例は、点線吹き出し１２４の中に示されている。
【００３１】
例１２６において、メッセージ１５０は、データ１５４及びＵＥ  ＩＤ１５６に加えて、ＭＡシグニチャ１５２を含む。ＵＥ  ＩＤ１５６は、ＵＥを識別するために基地局１００によって使用される情報である。例１２６において、データ１５４及びＵＥ  ＩＤ１５６はともに符号化され、対応する巡回冗長検査（ＣＲＣ）１５８が生成され、メッセージ１５０に含まれる。いくつかの実施形態で、ＵＥ  ＩＤ１５６は、代わりに、ＣＲＣ１５８に埋め込まれる（例えば、スクランブルされる）。これは、ペイロードサイズを低減し得る。ＵＥ  ＩＤ１５６がＣＲＣ１５８に埋め込まれる場合に、基地局１００は、ＣＲＣ１５８を復号するために、ＵＥ  ＩＤを知るか、又は全ての可能性があるＵＥ  ＩＤを用いてブラインド検出を実行する必要がある。
【００３２】
例１２８は、ＵＥ  ＩＤ１５６がデータ１５４とは別に符号化される例１２６の変形である。従って、別個のＣＲＣ１６０がＵＥ  ＩＲと関連付けられる。いくつかの実施形態で、ＵＥ  ＩＤ１５６は、１つ以上の他のヘッダ内にあってよく、この場合に、ＣＲＣ１６０は、ＣＲＣ１６０が位置するヘッダ用である。例１２８で、ＵＥ  ＩＤ１５６は、ＵＥ  ＩＤ１５６の復号化を容易にするために、データ１５４よりも低い変調及び符号化スキーム（ＭＣＳ）により送信され得る。ＵＥ  ＩＤ１５６は成功裏に復号されるが、データ１５４は成功裏に復号されない状況が存在し得る。
【００３３】
例１２６及び１２８において、ＭＡシグニチャ１５２は、例えば、メッセージ１５０の冒頭に、データ１５４とは別の時間−周波数リソースを占有するものとして表されている。これは、例えば、ＭＡシグニチャ１５２が基準信号及び／又はプリアンブルから成る場合に当てはまり得る。しかし、ＭＡシグニチャ１５２は、代わりに、送信スキーム自体の部分、例えば、使用されるコードブック又は使用されるマッピング若しくはインターリービング・パターンであってよい。この場合に、ＭＡシグニチャ１５２は、データ１５４とは別の時間−周波数リソースを占有しなくなる。また、ＭＡシグニチャ１５２がデータ１５４とは別の時間−周波数リソースを占有する実施形態において、リソースは、必ずしもメッセージ１５０の冒頭にある必要はない。
【００３４】
図１における例１３０は、ＵＥ  ＩＤ１５６及びデータ１５４が異なるリソースにより送信される変形を示す。例えば、ＵＥ  ＩＤ１５６は、物理アップリンク制御チャネル（ＰＵＣＣＨ）のような制御チャネルの部分として送信されてよい。データ１５４は、アップリンク・データ・チャネルのグラントフリー領域において送信されてよい。ＭＡシグニチャは例１３０では表されておらず、ＭＡシグニチャはデータ伝送の部分ということになる。
【００３５】
いくつかの他の実施形態では、ＵＥ  ＩＤは明示的に送信されない。例えば、いくつかのＵＲＬＬＣシナリオにおいて、リソース及び基準信号構成に基づき、グラントフリーのリソースに関する情報とともに基準信号を検出すれば、ＵＥを識別するためには十分であり得る。この場合に、ＵＥ  ＩＤは明示的に送信される必要がなく、基地局は、基準信号を成功裏に検出した後にＵＥを識別することができる。例が１３２で示されている。ＭＡシグニチャ１５２及びデータ１５４のみがメッセージに含まれており、ＵＥ  ＩＤは含まれない。ＵＥ  ＩＤは、ＭＡシグニチャ１５２と、メッセージを送るために使用されたグラントフリーのアップリンク・リソースとに基づき決定され得る。
【００３６】
ＵＥがメッセージ１５０を基地局１００へ送るとき、基地局１００は最初に、ＭＡシグニチャを検出しようと試みる。ＭＡシグニチャ検出は、ＭＡシグニチャがＭＡシグニチャの考えられる全ての選択の中から検出されるブラインド検出プロセスを伴ってよい。ＭＡシグニチャを検出することは、アクティビティ検出と呼ばれる。一例として、グラントフリーのアップリンク伝送におけるＭＡシグニチャは基準信号であってよく、基地局によるアクティビティ検出は、従って、グラントフリーのアップリンク伝送において基準信号を検出することを有することになる。他の例として、グラントフリーのアップリンク伝送におけるＭＡシグニチャは、基準信号と、グラントフリーのアップリンク伝送においてＵＥによって使用されるコードブック又はシグニチャとの組み合わせであってよく、基地局によるアクティビティ検出は、従って、基準信号と、グラントフリーのアップリンク伝送において使用されるコードブック／シグニチャとの組み合わせを検出することを有することになる。
【００３７】
アクティビティ検出を成功裏に行うことによって、基地局１００は、ＵＥがグラントフリーのアップリンク伝送を送信したことを知る。しかし、成功したアクティビティ検出は、ＵＥの身元を基地局１００に明らかにしてもしなくてもよい。ＵＥとＭＡシグニチャとの間に一意のマッピングがある場合に（例えば、所与のＭＡ物理リソースについて、各ＵＥは、異なるＭＡシグニチャを使用するよう割り当てられている。）、成功したアクティビティ検出は、グラントフリーのアップリンク伝送を送信したＵＥの身元を明らかにする。そうでなければ、一般に、成功したアクティビティ検出は、グラントフリーのアップリンク伝送を送信したＵＥの身元を明らかにしない。なお、ＵＥの異なるグループが異なるＭＡシグニチャを割り当てられる場合に、それは、そのＵＥがＵＥの特定のグループからであることを明らかにし得る。いくつかの実施形態で、アクティビティ検出は、メッセージ例１２８で見られるように、例えば、ＵＥ  ＩＤがデータ１５４とは別個に符号化される場合に、ＵＥ  ＩＤを取得することを更に含んでよい。
【００３８】
アクティビティ検出が成功した後、基地局１００は次いで、ＭＡシグニチャ及び任意に、データ・メッセージと多重化された更なる基準信号に基づき、チャネル推定を実行し、次いでデータ１５４を復号しようと試みる。データ復号化も成功する場合に、次いで、基地局１００は、基地局１００がデータ１５４を成功裏に復号したことを示すアクノリッジメント（ＡＣＫ）をダウンリンクにおいてＵＥへ送ることができる。成功したアクティビティ検出がＵＥの身元を明らかにしない実施形態では、次いで、メッセージ１５０の残りの成功した復号化がＵＥの身元を明らかにすることになる。この場合に、基地局１００は、ＡＣＫを送信する先のＵＥを知るだろう。データ復号化が成功しない場合には、否定のアクノリッジメント（ＮＡＣＫ）が、場合により再送の許可とともに、基地局によって送られ得る。より詳細に後述されるように、いくつかの実施形態で、ＮＡＣＫは、データの復号化が不成功であった場合に送られない。同じくより詳細に後述されるように、いくつかの実施形態で、ＮＡＣＫが送られる場合に、ＮＡＣＫは、基地局がＵＥを一意に識別することができなくてもよいので、ＮＡＣＫが送られているＵＥを一意に識別することができる情報を必ずしも含まなくてよい。
【００３９】
一例において、例１２６におけるＭＡシグニチャ１５２は基準信号である。基地局１００は最初に、基準信号シーケンスを成功裏に復号することによって、アクティビティ検出を成功裏に実行し得る。基準信号シーケンスは、次いで、アップリンク・チャネル１５６のチャネル推定のために基地局１００によって使用されてよい。基準信号の成功する復号化を容易にするよう、基準信号は低ＭＣＳで送信され得る。基準信号が成功裏に復号され、チャネル推定が実行されると、基地局１００は次いで、データ１５４及びＵＥ  ＩＤ１５６を有するペイロードを復号する。基地局１００は次いで、どのＵＥからグラントフリー伝送が伝来したかを知らせるＵＥ  ＩＤ１５６を読み出すことができる。基地局１００は次いで、基地局１００がデータ１５４を成功裏に復号したことを示すＡＣＫをダウンリンクにおいてＵＥへ送ることができる。
【００４０】
基地局によるＵＥ識別
グラントフリーのアップリンク伝送は、ＵＥ  ＩＤ、例えば、図３におけるＵＥ  ＩＤ１５６を含んでよい。ＵＥ  ＩＤは、ＵＥを識別するために基地局１００によって使用される情報である。
【００４１】
いくつかの実施形態で、ＵＥ  ＩＤは、無線ネットワーク一時識別子（ＲＮＴＩ）であってよく、あるいは、ＲＮＴＩに基づいてよい。
【００４２】
いくつかの実施形態で、ＵＥ  ＩＤはインデックスであってよい。インデックスは、ＵＥを、同じグラントフリーのアップリンク・リソースでグラントフリーのアップリンク伝送を送ることを同じく許可されている他のＵＥと区別する。例えば、インデックスは、ＵＥを、同じ時間スロット、伝送時間インターバル（ＴＴＩ）、又はサブフレームにおいて共有時間−周波数領域でグラントフリーのアップリンク伝送を送ることを同じく許可されている他のＵＥと区別し得る。
【００４３】
いくつかの実施形態で、ＵＥ  ＩＤは、１つのセル又はサービング範囲にわたって同じ又は固定である必要がない。例えば、特定のＵＥが、アップリンク・リソース・パーティションＡにおいてグラントフリーのアップリンク伝送を送ることを許可されている１０個のＵＥのグループの部分である場合に、ＵＥ  ＩＤは、そのＵＥをグループ内の残り９個のＵＥと区別する１から１０の間のインデックスであってよい。基地局１００は、どのＵＥがグラントフリーのアップリンク伝送を送ったかを決定するために、インデックスと、どのグラントフリーのアップリンク・リソース・パーティションが使用されたかの知識とを使用する。
【００４４】
いくつかの実施形態で、所与のＭＡ物理リソースについて、グラントフリーのアップリンク伝送のためにそのＭＡ物理リソースを使用するＵＥは、異なるＭＡシグニチャを割り当てられる。基地局１００は次いで、ＭＡシグニチャと使用されたＭＡ物理リソースとの組み合わせに基づき、グラントフリーのアップリンク伝送を送ったＵＥを一意に識別することができる。
【００４５】
いくつかの実施形態で、所与のＭＡ物理リソースについて、グラントフリーのアップリンク伝送のためにそのＭＡ物理リソースを使用するＵＥのいくつかは、同じＭＡシグニチャを使用してよい。ＵＥインデックスは、同じＭＡシグニチャを使用するＵＥを区別するよう基地局１００によって割り当てられてよい。例えば、２つのＵＥがいずれも同じＭＡシグニチャを使用する場合に、ＵＥのうちの一方は、それらのＵＥ  ＩＤとしてＵＥインデックス“１”を割り当てられてよく、他方のＵＥは、それらのＵＥ  ＩＤとしてＵＥインデックス“２”を割り当てられてよい。インデックス“１”及び“２”は、同じＭＡシグニチャを共有する他のＵＥのために再利用されてよい。次いで、基地局１００は、グラントフリーのアップリンク伝送を送ったＵＥを識別するために、ＭＡ物理リソース、ＭＡシグニチャ、及びＵＥインデックスの組み合わせを使用する。
【００４６】
いくつかの実施形態で、各ＵＥは、基地局１００及びＵＥによって知られている異なるＭＡシグニチャの使用を割り当てられてよい。割り当ては時間にわたって変化し得る。例えば、ＵＥは第１のＭＡシグニチャを割り当てられてよく、次いで、後の時点で、ＵＥは他のＭＡシグニチャを割り当てられてよい。受け取られたＭＡシグニチャ及び使用された時間−周波数リソースは、ＵＥを一意に識別し得る。
【００４７】
いくつかの実施形態で、特定のＵＥは、複数のＭＡシグニチャ、例えば、最初の送信のための第１のＭＡシグニチャ、及び再送のための第２のＭＡシグニチャ、を割り当てられてよい。いくつかの実施形態において、ＵＥのグループの各ＵＥへ割り当てられるＭＡシグニチャは、ホッピング・パターンに従って時間にわたって変化し得る。いくつかの実施形態で、ＵＥへのＭＡシグニチャの割り当ては、異なるグラントフリーのアップリンク・リソース・パーティションにおいて異なるＵＥのために再利用されるか又は繰り返されてよい。例えば、ＵＥの第１グループは、それらのグラントフリーのアップリンク伝送を送るためのアップリンク・リソースの第１パーティションに割り当てられてよい。ＵＥの第１グループの各ＵＥは、異なるＭＡシグニチャを割り当てられてよい。ＵＥの第２グループは、それらのグラントフリーのアップリンク伝送を送るためのアップリンク・リソースの第２パーティションに割り当てられてよい。ＵＥの第２グループの各ＵＥは、異なるＭＡシグニチャを割り当てられてよい。第１グループにおけるＭＡシグニチャは、第２グループにおけるＭＡシグニチャと重なり合ってよい。それにより、ＵＥを一意に識別するために、基地局１００は、アップリンク伝送のＭＡシグニチャ、及びグラントフリーのアップリンク伝送を送るために使用されたアップリンク・リソースのパーティションの両方を知らなければならない。例えば、基地局１００は、グラントフリーのアップリンク伝送を送ったＵＥの身元を決定するために、検出されたＭＡシグニチャ１５２と、ルック・アップ・テーブルを確認するために使用されるグラントフリーのアップリンク・リソース・パーティションに対応するインデックスとを使用してよい。
【００４８】
基地局１００がＵＥ  ＩＤ１５６なしでＵＥの身元を決定することができる実施形態では、ＵＥ  ＩＤ１５６は、メッセージ１５０の部分として送信される必要さえなくてよい。
【００４９】
要約すると、基地局１００が、グラントフリーのアップリンク伝送を送ったＵＥを一意に識別することを可能にするための実施には、様々な可能性が存在する。例えば、ただ１つのＵＥしか特定のグラントフリーのアップリンク・リソースを使用することができない場合に、そのグラントフリーのアップリンク・リソースの使用はＵＥを一意に識別する。他の例として、特定のリソース領域のためのＵＥへのＭＡシグニチャの一意のマッピングがあるとき、ＭＡシグニチャは、そのリソース領域においてＵＥを一意に識別し得る。他の例として、ＵＥ  ＩＤがアップリンク・メッセージに存在し、基地局によって成功裏に復号されるとき、ＵＥ  ＩＤ自体がＵＥを一意に識別することができ、あるいは、ＵＥ  ＩＤは、他の情報片（例えば、使用されたグラントフリーのアップリンク・リソース）と組み合わせて、ＵＥを一意に識別し得る。
【００５０】
グラントフリーのアップリンク伝送のためのＨＡＲＱ
ＨＡＲＱは、グラントフリーのアップリンク伝送のために実行されてよい。例えば、最初のグラントフリーのアップリンク伝送におけるデータ１５４が基地局１００によって成功裏に復号されない場合に、再送がＵＥによって実行されてよい。再送は、初期データの再送、及び／又は初期データを復号するための更なる情報を含んでよい。例えば、再送データは、オリジナルのデータの一部若しくは全て及び／又はパリティ情報を含んでよい。基地局１００は、次のようにＨＡＲＱ合成を実行してよい：復号化に失敗した初期データを捨てるのではなく、復号化に失敗した初期データは、基地局１００においてメモリに格納され、初期データを成功裏に復号しようと試みるために、受信された伝送データと結合されてよい。ＨＡＲＱ合成が実行されるとき、ＵＥからの再送データは、初期データの完全な再送である必要がなくてもよい。再送は、初期データに関連したパリティ・ビットの一部又は全てのような、より少ないデータを運び得る。使用され得るＨＡＲＱ合成の１タイプは、チェイス合成又は増分冗長のようなソフト合成である。
【００５１】
最初の送信及び再送は、異なる冗長バージョン（ＲＶ）を使用してよい。データがグラントフリー・メッセージ発生器２１４において符号化されるとき、符号化されたビットは、（場合により互いに重なり合う）異なる組に分割され得る。各組は異なるＲＶである。例えば、いくつかのＲＶは、他のＲＶよりも多いパリティ・ビットを有してよい。各ＲＶは、ＲＶインデックスによって識別される（例えば、ＲＶ０、ＲＶ１、ＲＶ２、・・・など）。アップリンク伝送が特定のＲＶを用いて送られるとき、そのＲＶに対応する符号化されたビットしか送信されない。異なるチャネル・コーデック、例えば、ターボ・コーデック、低密度パリティ検査（ＬＤＰＣ）コーデック、ポーラー・コーデック、などが、符号化されたビットを生成するために使用されてよい。ＵＥ１０２ａ内のグラントフリー・メッセージ発生器２１４における誤り制御コーデック（図示せず。）は、チャネル符号化を実行してよい。
【００５２】
１つの実施形態で、チャネル符号化は、３つのビット、すなわち、システマティック・ビット・ストリーム及び２つのパリティ・ビット・ストリームを含む符号化されたビット・ストリームをもたらす。レート・マッチングが実行されてよく、巡回バッファ（図示せず）はシステマティック・ビット及びパリティ・ビットを格納してよい。ビットは巡回バッファから読み出され、グラントフリーのアップリンク・メッセージにおける伝送のために変調される。巡回バッファは、それと関連付けられた異なるＲＶ、例えば、４つの冗長バージョン（ＲＶ）、すなわち、ＲＶ０、ＲＶ１、ＲＶ２、及びＲＶ３を有する。各ＲＶは、符号化されたビットが巡回バッファから読み出されるべき開始位置を示す。従って、各ＲＶは、符号化されたビットの異なる組を伝える。データは最初にＲＶ０を用いて送信され得るが、再送は、より高いＲＶ、例えば、第１の再送のためにはＲＶ２、第２の再送のためにはＲＶ３、などを時々使用してよい。
【００５３】
基地局１００は、復号化を実行するためにＲＶの知識を使用する。チェイス合成について、最初及び再送のＲＶは同じ、例えば、ＲＶ０であってよい。増分冗長について、再送は、固定パターンに従うことができるより高いＲＶ、例えば、最初の送信のためにはＲＶ０、第１の再送のためにはＲＶ２、第２の再送のためにはＲＶ３、第３の再送のためにはＲＶ１を使用してよい。従って、データを復号するために、基地局１００は、ただ１つの予め定義されたＲＶしかない場合を除いて、グラントフリーのアップリンク伝送において受け取られるデータのＲＶインデックスを知ることが必要とされ得る。
【００５４】
グラントフリーのアップリンク伝送のためのＨＡＲＱプロシージャの部分として、ＡＣＫは、基地局１００がグラントフリーのアップリンク伝送のデータを成功裏に復号するときに基地局１００によって送られてよい。いくつかの実施形態で、ＮＡＣＫは、データが成功裏に復号化されないときに基地局１００によって送られてよい。しかし、ＮＡＣＫは常には、例えば、所定期間内のＡＣＫの不在がＮＡＣＫとして解釈される“ＮＡＣＫレス”ＨＡＲＱスキームでは、送られなくてよい。いくつかの実施形態で、ＡＣＫは、ＡＣＫが向けられるＵＥを識別するＵＥ  ＩＤと関連付けられてよい。ＭＡシグニチャ及び使用されるアップリンク・グラントフリー・リソース領域がともにＵＥを一意に識別する場合に、ＡＣＫは、代わりに、ＭＡシグニチャを識別するインデックスと関連付けられてよい。ＵＥは、一致するＭＡシグニチャ・インデックスに基づき、ＡＣＫが自身に向けられていることを知る。ＮＡＣＫは、送られる場合に、ＵＥ  ＩＤが基地局によって成功裏に復号化されるときにＵＥ  ＩＤと関連付けられてよい。代替的に、ＮＡＣＫは、基地局による成功したアクティビティ検出を仮定すれば、否定応答されるアップリンク伝送に対応するＭＡシグニチャを識別するインデックスと関連付けられてよい。そうでなければ、ＮＡＣＫは、ＵＥ  ＩＤ又はＭＡシグニチャと関連付けられなくてもよい。
【００５５】
再送及びＭＡシグニチャへのマッピング
最初のグラントフリーのアップリンク伝送におけるデータが基地局によって成功裏に復号されない場合に、再送がＵＥによって実行されてよい。いくつかの実施形態で、グラントフリーのアップリンク伝送において使用されるＭＡシグニチャは、送信が最初の送信又は再送のいずれであるかを識別し得る。いくつかの実施形態で、ＭＡシグニチャは、同様に、又は代わりに、伝送を送るＵＥを識別するために使用され得る。
【００５６】
第１の例として、図４は、異なるマッピングを示す３つのテーブル３０２、３０４、及び３０６を表す。テーブル３０２で、ＭＡシグニチャは基準信号である。９つの基準信号（すなわち、９つのＭＡシグニチャ）のプール｛Ｐ｝は、３つの組｛Ｐ１｝、｛Ｐ２｝、及び｛Ｐ３｝に分割される。基準信号はパイロットであってよい。テーブル３０２における各行は３タプルを表す。この例で、プール｛Ｐ｝は３つの排他的な組｛Ｐ１｝、｛Ｐ２｝、及び｛Ｐ３｝に分けられる。それにより、各組は、９つの基準信号のうちの３つを有する。具体的に、｛Ｐ１｝は、基準信号ｐ１１、ｐ１２、及びｐ１３を含み、｛Ｐ２｝は、基準信号ｐ２１、ｐ２２、及びｐ２３を含み、｛Ｐ３｝は、基準信号ｐ３１、ｐ３２、及びｐ３３を含む。９つの基準信号のうちの３つが最初の基準信号として指定され、９つの基準信号のうちの他の３つが第１の再送基準信号として指定され、９つの基準信号のうちの最後の３つが第２の再送基準信号として指定される。テーブル３０２における具体的なマッピングは、単なる一例であり、マッピングは、時間にわたって変化してよく、且つ／あるいは、特定のグラントフリーのアップリンク・リソース・パーティションのためだけであってよい（例えば、異なるＭＡ物理リソースでは異なるマッピングが存在してよい。）。テーブル３０２における例で、ＵＥ１０２ａはタプル・インデックス１を割り当てられ、ＵＥ１０２ｂはタプル・インデックス２を割り当てられ、ＵＥ１０２ｃはタプル・インデックス３を割り当てられる。従って、基地局１００が成功するアクティビティ検出を実行する（すなわち、基準信号を成功裏に復号する）とき、次いで、基地局１００は、どのＵＥがグラントフリーのアップリンク伝送を送ったかを決定するために基準信号シーケンスを使用する。テーブル３０２における例で、各基準信号シーケンスはまた、グラントフリーのアップリンク伝送が最初の送信、第１の再送、又は第２の再送のいずれであるかも基地局１００に示す。テーブル３０２の例で、基準信号は、ＵＥの身元に加えて、最初及び再送の両方を識別するために使用され得る。例えば、基準信号ｐ１１、ｐ２１又はｐ３１は、グラントフリーのパケットがＵＥ１０２ａによって送信されることを示し得る。代替の実施形態では、基準信号とＵＥとの間には一意のマッピングが依然としてあり得るが、基準信号は、ＵＥの身元にのみマッピングされ、最初の送信又は再送にはマッピングされない。例えば、基準信号ｐ１１は第１ＵＥに割り当てられてよく、基準信号ｐ１２は第２ＵＥに割り当てられてよく、・・・そして、基準信号ｐ３３は第９ＵＥに割り当てられてよい。９つのＵＥの夫々は次いで、それらの最初の送信及び再送のためにそれらの同じ割り当てられた基準信号を使用してよい。
【００５７】
テーブル３０４は、ＭＡシグニチャが散在符号化多重アクセス（ＳＣＭＡ）コードブックである点を除いて、テーブル３０２と同じである。９つのＳＣＭＡコードブック｛Ａ１，Ａ２，Ａ３，Ｂ１，Ｂ２，Ｂ３，Ｃ１，Ｃ２，及びＣ３｝が最初及び再送の組に分けられ、ＵＥ１０２ａ〜ｃの各１つに割り当てられる。例えば、コードブックＡ１の使用は、ＵＥ１０２ａが伝送を送ったこと及び伝送が最初のデータ送信であることを基地局１００に示す。いくつかの実施形態では、特定の基準信号とＳＣＭＡコードブックとの間には固定の、半永続的な、又は動的な関連性も存在してよい。そのような実施形態で、基準信号シーケンス又はＳＣＭＡコードブックは、ＵＥ及び／又は伝送が最初の送信、第１の再送、若しくは第２の再送のいずれであるかを特定するために使用されてよい。いくつかの実施形態では、１つのＳＣＭＡコードブックが複数の基準信号と関連付けられてよい。そのような実施形態で、基準信号シーケンスを特定することは、使用されるＳＣＭＡコードブックを明らかにする。いくつかの実施形態では、ＳＣＭＡコードブックは、基準信号と一対一の関連性を有してよい。そのような実施形態で、基準信号シーケンスを特定することは、使用されるＳＣＭＡコードブックを明らかにし、逆もしかりである。
【００５８】
テーブル３０６も、ＭＡシグニチャの代わりに、グラントフリーの伝送のために使用される物理アップリンク・リソースと最初の送信及び再送並びにＵＥとの間に割り当てられたマッピングが存在する点を除いて、テーブル３０２と同じである。９つの異なる時間−周波数値｛Ａ１，Ａ２，Ａ３，Ｂ１，Ｂ２，Ｂ３，Ｃ１，Ｃ２，及びＣ３｝が最初及び再送の組に分けられ、ＵＥ１０２ａ〜ｃの各１つに割り当てられる。例えば、物理アップリンク・リソースＡ１でのグラントフリーのアップリンク伝送の基地局１００による受信は、ＵＥ１０２ａが伝送を送ったこと及び伝送が最初のデータ送信であることを基地局１００に示す。
【００５９】
図４に示される各テーブルにおいて、ＭＡシグニチャ・タプル又は物理リソース・タプルとＵＥとの間には一意のマッピングが起こる。しかし、いくつかの実施形態では、ＵＥに対する如何なる一意のマッピングも有する必要がない。基地局は、ＵＥを特定のタプルに割り当てる必要がない。より一般的に、異なるＭＡシグニチャ又は物理リソース、すなわち、図４におけるテーブル中のタプル、の間のマッピング関係は、最初の送信及び再送が同じパケットに属することを識別するために使用されてよい。例えば、ＵＥ１０２ａは、基地局１００へ送信される第１データ・パケットのために、テーブル３０２におけるインデックス・タプル１（ｐ１１，ｐ２１，ｐ３１）をランダムに選択してよく、ＵＥ１０２ａは、基地局１００へ送信される第２データ・パケットのために、インデックス・タプル２（ｐ１２，ｐ２２，ｐ３２）をランダムに選択してよい。いくつかの実施形態で、ＵＥは、異なるパケットのために異なるタプルを使用することを選択し、又はそうするよう構成されてよい。いくつかの実施形態で、２つのＵＥは、例えば、それらが最初の送信のためにＭＡシグニチャをランダムに選択する場合に、同じタプルを選択してよい。これは、ｍＭＴＣアプリケーションで起こり得る。
【００６０】
いくつかの実施形態で、パケットの最初の送信のために使用される第１ＭＡシグニチャと、そのパケットの全てのＫ回の再送のために使用される第２ＭＡシグニチャとが存在してよく、このとき、Ｋは１以上である。例えば、図５におけるテーブル３０８は、ＭＡシグニチャが基準信号である例を表す。８つの基準信号のプール｛Ｐ｝は２つの組｛Ｐ１｝及び｛Ｐ２｝に分けられる。基準信号はパイロットであってよい。テーブル３０８における各行は２タプルを表す。２タプルは、特定のＵＥに一意に割り当てられず、むしろ、ＵＥのグループの各ＵＥは、どの２タプルを使用すべきかをランダムに選択してよい。｛Ｐ１｝は、最初の送信の基準信号のプールであり、基準信号ｐ１１、ｐ１２、ｐ１３、及びｐ１４を含む。｛Ｐ２｝は、再送の基準信号のプールであり、基準信号ｐ２１、ｐ２２、ｐ２３、及びｐ２４を含む。ＵＥがグラントフリーのアップリンク伝送を用いてパケットを送信すべきであるとき、ＵＥは、４つの２タプルのうちの１つを使用する。使用される２タプルは、どの基準信号が最初の送信のために使用されるかと、どの基準信号がありとあらゆるＫ回の再送のために使用されるかとを示す。例えば、ＵＥ１０２ａが、パケットを送信するために、インデックス２によって示される２タプルを使用する場合には、パケットの最初の送信のために使用される基準信号はｐ１２であり、パケットのありとあらゆる再送のために使用される基準信号はｐ２２である。
【００６１】
図５に関して上述された実施形態では、使用されるＭＡシグニチャは、グラントフリーのアップリンク伝送がデータの最初の送信又はデータの再送であるかどうかを特定する。しかし、Ｋ＞１の場合に、再送ＭＡシグニチャは、同じＭＡシグニチャがデータの全ての再送のために使用されるので、それが第１の再送、第２の再送、などであるかどうかを明らかにしない。
【００６２】
冗長バージョン識別
いくつかの実施形態では、基地局１００がグラントフリーのアップリンク伝送のＲＶを決定することを可能にし得る、ＭＡシグニチャとＲＶとの間のマッピングが存在してよく、それにより、ＲＶは、明示的に信号により伝えられる必要がない。
【００６３】
一例として、夫々のグラントフリーのアップリンク伝送は、２つのＲＶのうちの１つ（例えば、ＲＶ０又はＲＶ１）のみを使用することができると事前設定され得る。第１ＭＡシグニチャは第１ＲＶにマッピングされ、それにより、基地局が第１ＭＡシグニチャを受信するとき、基地局は、グラントフリーのアップリンク伝送のデータが第１ＲＶを有していると知る。第２ＭＡシグニチャは第２ＲＶにマッピングされ、それにより、基地局が第２ＭＡシグニチャを受信するとき、基地局は、グラントフリーのアップリンク伝送のデータが第２ＲＶを有していると知る。
【００６４】
より具体的な例として、夫々のグラントフリーのアップリンク伝送は、２つのＲＶのうちの一方のみを使用することができ、ＵＥがグラントフリーのアップリンク伝送を用いてパケットを送信すべきであるとき、ＵＥは、図５の４つの２タプルのうちの１つを使用し、最初の送信のために使用される２タプルにおける基準信号は第１ＲＶにマッピングされ、再送のために使用される２タプルにおける基準信号は第２ＲＶにマッピングされる。次いで、基地局１００がグラントフリーのアップリンク伝送を受信するとき、基地局１００は、使用されるＭＡシグニチャから、グラントフリーのアップリンク伝送がデータの最初の送信又は再送であるかどうかと、どのＲＶがグラントフリーのアップリンク伝送におけるデータのためであるかとを知る。
【００６５】
いくつかの実施形態では、例えば、図５で見られるように、データの最初の送信のために使用される第１ＭＡシグニチャと、そのデータの全ての再送のために使用される第２ＭＡシグニチャとが存在し得るが、使用され得る２つよりも多い可能なＲＶ値が存在してよい。そのような実施形態で、ＭＡシグニチャは、グラントフリーのアップリンク伝送が最初の送信又は再送であるかどうかを判定するために依然として使用され得る。ＲＶは次いで、この情報に基づき、更にはリソース・ホッピング・パターンに基づき識別され得る。
【００６６】
一例として、第１ＭＡシグニチャを有しているグラントフリーのアップリンク伝送の受信は、グラントフリーのアップリンク伝送がデータの最初の送信であることを基地局１００に明らかにする。グラントフリーのアップリンク伝送を送るために使用されるグラントフリーのアップリンク・リソースは、グラントフリーのアップリンク伝送を送ったＵＥが、ＵＥ及び基地局に前もって知られている特定のリソース・ホッピング・パターンを使用していることを基地局１００に明らかにする。リソース・ホッピング・パターンは、最初の送信及びあらゆる再送のために使用されるリソースを特定し、リソース・ホッピング・パターンと、最初の送信及び夫々の再送のために使用されるＲＶとの間にも既知のマッピングが存在する。従って、基地局は、マッピングから、最初のグラントフリーのアップリンク伝送のＲＶと、そのデータの全ての将来のグラントフリーのアップリンク再送のＲＶとを得ることができる。
【００６７】
他の例として、第２ＭＡシグニチャを有しているグラントフリーのアップリンク伝送の受信は、グラントフリーのアップリンク伝送がデータの再送であることを基地局１００に明らかにする。基地局１００は、データの前の再送、又はデータの最初の送信でさえ、記録を有さない。基地局１００は、最初の送信のアクティビティ検出が失敗したに違いないと決定し、受信された伝送がデータの第１の再送であると推測する。第１の再送を送るために使用されるグラントフリーのアップリンク・リソースは、ＵＥがＵＥ及び基地局に前もって知られている特定のリソース・ホッピング・パターンを使用していることを基地局１００に明らかにする。リソース・ホッピング・パターンは、最初の送信及びあらゆる再送のために使用されるリソースを特定し、リソース・ホッピング・パターンと最初の送信及び夫々の再送のために使用されるＲＶとの間にも既知のマッピングが存在する。従って、基地局は、マッピングから、第１の再送のＲＶと、そのデータの全ての将来のグラントフリーのアップリンク再送のＲＶとを得ることができる。
【００６８】
他の例として、グラントフリーのアップリンク伝送を送るためにＵＥによって使用される時間スロットは、ＵＥ及び基地局の両方に知られているマッピングに基づき各々のＲＶに対応し得る。結果として、グラントフリーのアップリンク伝送が基地局によって受信される時間の存続期間は、従って、送信において使用されるＲＶを基地局に明らかにする。例えば、奇数時間スロットにおいてグラントフリーのアップリンク伝送を送るとき、ＵＥはＲＶ０を使用し、偶数時間スロットにおいてグラントフリーのアップリンク伝送を送るとき、ＵＥはＲＶ１を使用することが前もって設定されてよい。
【００６９】
図６は、一実施形態に従って、基地局１００によって実行される方法である。ステップ４０２で、基地局は、ＵＥ１０２ａから、グラントフリーのアップリンク伝送を受ける。グラントフリーのアップリンク伝送は、ＭＡシグニチャを利用する。ステップ４０４で、基地局１００は、ＭＡシグニチャを用いて、グラントフリーのアップリンク伝送におけるデータのＲＶを決定する。ステップ４０６で、基地局１００は、ＲＶに基づき、グラントフリーのアップリンク伝送におけるデータを復号しようと試みる。
【００７０】
ステップ４０４は、グラントフリーのアップリンク伝送がデータの最初の送信又はデータの再送であるかどうかを判定するためにＭＡシグニチャを使用することと、ＵＥによって使用されるグラントフリーのアップリンク・リソース、及びグラントフリーのアップリンク伝送がデータの最初の送信又はデータの再送であるかどうかの判定の両方に基づき、ＲＶを求めることとを含んでよい。
【００７１】
ＡＣＫ／ＮＡＣＫのシグナリング
グラントフリーのアップリンク伝送を送ったＵＥにＡＣＫ又はＮＡＣＫ（使用される場合。）を信号により伝えるための多種多様な可能性が存在する。種々のオプションが以下で記載される。以下で記載されるオプションのうちの２つ以上の組み合わせが使用されてもよい。また、以下で記載されるオプションのいくつかは、グラントフリーのアップリンク伝送を送ったＵＥを基地局が最初に一意に識別していると仮定する。ＵＥが一意に識別され得る種々の方法、例えば、ＵＥ  ＩＤ（インデックスであってよい。）を使用すること、又はＵＥ  ＩＤを、使用されるグラントフリーのアップリンク・リソースのような他の情報と組み合わせて使用すること、又は使用されるグラントフリーのアップリンク・リソースと組み合わせてＭＡシグニチャを使用すること、などは、先に記載されている。ここで記載されるＡＣＫ／ＮＡＣＫは常には明示的に示されなくてもよく、スケジューリング・グラントによって暗黙的に示されるＡＣＫ／ＮＡＣＫを含んでよい点に留意されたい。例えば、時々、ＨＡＲＱフィードバックは、グラントフリー伝送の同じトランスポート・ブロック（ＴＢ）の再送をスケジューリングしているスケジューリング・グラントであり、これは、ＴＢの前のグラントフリー伝送が成功していないこと（すなわち、ＮＡＣＫ）を暗に示し得る。他の例では、基地局は、グラントフリー伝送と同じＨＡＲＱプロセス番号を用いて、新しいＴＢのスケジューリング・グラントを含むＵＥへのＨＡＲＱフィードバックを送ってもよい。その場合に、グラントは、同じＨＡＲＱプロセスを共有するＴＢのグラントフリー伝送についての暗黙的なＡＣＫを含むと見なされ得る。
【００７２】
１つのオプション−専用のダウンリンク・アクノリッジメント・チャネル
いくつかの実施形態で、基地局１００は、専用のダウンリンク・アクノリッジメント・チャネル上でグラントフリーのアップリンク伝送についてのＡＣＫ及び／又はＮＡＣＫを送信してよい。いくつかの実施形態で、専用のダウンリンク・アクノリッジメント・チャネルは、ＬＴＥにおける物理ＨＡＲＱインジケータ・チャネル（ＰＨＩＣＨ）と同様にして実装されてよく、その場合に、専用のダウンリンク・アクノリッジメント・チャネルは“ＰＨＩＣＨ様”チャネルと呼ばれ得る。
【００７３】
いくつかの実施形態で、専用のダウンリンク・アクノリッジメント・チャネル上のフィードバック・タイミングは、グラントフリーのリソース・アクセス・タイミングと固定された関係を有している。例えば、ＵＥがサブフレーム（又はＴＴＩ）ｗにおいてグラントフリーのアップリンク伝送を送る場合に、そのグラントフリーのアップリンク伝送についてのＡＣＫ／ＮＡＣＫは、サブフレーム（又はＴＴＩ）ｗ＋ｋにおいて専用のダウンリンク・アクノリッジメント・チャネル上で送られる。理想的には、ｋは小さく、例えば、ｋ＝２である。例えば、ＡＣＫが受け取られるまでＵＥが自動的に再送を送るべきである場合に、ｋを小さい値にすることは、願わくは、自動再送のより早い終了をもたらすことになる。いくつかの実施形態で、ｋの値は予め定義され、ＵＥ及び基地局に知られている。例えば、ｋの値は、システム情報において構成されてよい。いくつかの実施形態で、ｋの値は、夫々のＵＥ又はＵＥグループについて構成されてよく、構成は、シグナリング、例えば、ＲＲＣシグナリングを通じて行われてよい。
【００７４】
いくつかの実施形態で、特定のＵＥのためのＡＣＫ／ＮＡＣＫフィードバックは、特定の直交シーケンスを用いて専用のダウンリンク・アクノリッジメント・チャネル上で送られる。一例として、ＵＥのためのＡＣＫ／ＮＡＣＫフィードバックは、（冗長性を増すよう）繰り返され、次いで、シンボルのグループを生じるよう２進位相シフトキーイング（ＢＰＳＫ）を用いて変調される１つのビットであってよい。シンボルのグループは、次いで、特定の直交シーケンスを用いて乗じられる。同じリソース・グループ又は時間−周波数位置に属するそれらの出力は、一緒に多重化される。セル特有のスクランブリングが次いで適用されてよく、その後に、複数のリソース要素へのマッピングが続く。ＵＥは、ＡＣＫ／ＮＡＣＫフィードバックを適切に復号するために、どの直交シーケンスが使用されたかを知っている必要がある。例えば、ＵＥは、ＡＣＫ／ＮＡＣＫフィードバックを復号するよう、受信されたフィードバック信号との直交シーケンスの相関を実行してよい。直交シーケンスは、時々、直交符号と呼ばれる。
【００７５】
いくつかの実施形態では、（ｉ）グラントフリーのアップリンク伝送を送るためにＵＥによって使用されるＭＥシグニチャ及び／又はグラントフリーのリソースと、（ｉｉ）ＡＣＫ／ＮＡＣＫフィードバックを送るために基地局によって使用される直交シーケンス及び／又はＡＣＫ／ＮＡＣＫフィードバックが送られる専用のダウンリンク・アクノリッジメント・チャネルにおける時間−周波数位置との間に既知のマッピングが存在する。マッピングは、前もって予め決定されてよく、ＵＥ及び基地局のメモリにルック・アップ・テーブルの形で格納されてよい。
【００７６】
いくつかの実施形態では、ＵＥによって使用される特定のＭＡシグニチャと、ＵＥによって使用される特定のアップリンクのグラントフリー・リソース領域との組み合わせは、（ｍ，ｎ）によってインデックスを付され、このとき、ｍは、ＵＥによって使用される特定のＭＡシグニチャを識別し、ｎは、ＵＥによって使用される特定のアップリンクのグラントフリー・リソース領域を識別する。値（ｍ，ｎ）は、ＡＣＫ／ＮＡＣＫフィードバックのために使用される特定の直交シーケンス、及び専用のダウンリンク・アクノリッジメント・チャネルにおけるＡＣＫ／ＮＡＣＫフィードバックの特定の時間−周波数位置へマッピングされる。いくつかの実施形態では、専用のダウンリンク・アクノリッジメント・チャネルにおけるＡＣＫ／ＮＡＣＫフィードバックの特定の時間−周波数位置は、“ＰＨＩＣＨ様リソース・グループ”と呼ばれる。
【００７７】
一例として、図７におけるテーブル４２０は、（ｉ）ＵＥによって使用されるＭＡシグニチャ（ｍ）及びグラントフリーのアクセス領域（ｎ）と、（ｉｉ）そのＵＥのためのＡＣＫ／ＮＡＣＫフィードバックのために使用される直交シーケンス及びそのＡＣＫ／ＮＡＣＫフィードバックの時間−周波数位置との間のマッピングを例示する。この例では、グラントフリーのアップリンク伝送を送るためにＵＥによって使用され得る４つの可能なＭＡシグニチャが存在し、それらは値ｍ＝１，・・・，４によりインデックスを付されている。また、グラントフリーのアップリンク伝送を送るためにＵＥによって使用され得る４つの可能な時間−周波数領域も存在し、それらは値ｍ＝１，・・・，４によりインデックスを付されている。ＵＥによって使用されるＭＡシグニチャ（ｍ）と、ＵＥによって使用されるグラントフリー領域（ｎ）との組み合わせは、専用のダウンリンク・アクノリッジメント・チャネルにおける特定の直交符号及び時間−周波数位置へマッピングする。例えば、ＵＥ１０２ａが、インデックス値ｍ＝３によって識別されるＭＡシグニチャを使用し、ＵＥ１０２ａが、インデックス値ｎ＝１によって識別されるグラントフリーのリソースの領域を用いてそのグラントフリーのアップリンク伝送を送る場合に、ＵＥは、専用のダウンリンク・アクノリッジメント・チャネルにおいてそのＡＣＫ／ＮＡＣＫフィードバックのために使用される直交シーケンスが直交シーケンスＣであり、専用のダウンリンク・アクノリッジメント・チャネルにおけるそのＡＣＫ／ＮＡＣＫフィードバックの時間−周波数位置が時間−周波数位置ｉであることを、テーブル４２０から知る。
【００７８】
専用のダウンリンク・アクノリッジメント・チャネルにおける直交シーケンス及び時間−周波数位置も、インデックスによって識別され得る。例えば、テーブル４２０において、夫々の（ｍ，ｎ）は特定の（ｘ，ｙ）へマッピングし、このとき、ｘは直交シーケンスを識別し、ｘはＡ、Ｂ、Ｃ、又はＤであり、ｙは時間−周波数位置を識別し、ｙはｉ、ｉｉ、ｉｉｉ、又はｉｖである。ｘは、直交シーケンス・インデックスと呼ばれてよく、ｙは、リソース・グループ・インデックス（又はＰＨＩＣＨ様リソース・グループ・インデックス）と呼ばれてよい。インデックス（ｘ，ｙ）は、フィードバック及びフィードバックの時間−周波数位置を復号するために使用すべき直交シーケンスを導出するためにＵＥによって使用される。
【００７９】
従って、動作において、ＵＥは、ＵＥによって送られる特定のグラントフリーのアップリンク伝送のためのそのＡＣＫ／ＮＡＣＫフィードバックを受信及び復号するよう、次の動作を実行してよい。ＵＥは、最初に、グラントフリーのアップリンク伝送を送るためにＵＥによって使用されるサブフレーム又はＴＴＩに基づき、そのフィードバックを運ぶダウンリンク・アクノリッジメント・チャネルがどのサブフレーム又はＴＴＩに位置するか（すなわち、上記のｗ＋ｋ）を決定する。ＵＥは、次いで、例えば、図７のテーブル４２０で見られるように、使用されるそのＭＡシグニチャ（ｍ）と使用されるグラントフリー領域（ｎ）との組み合わせをインデックス（ｘ，ｙ）へマッピングする。インデックス（ｘ，ｙ）は、フィードバック及び専用のダウンリンク・アクノリッジメント・チャネルにおけるフィードバックの時間−周波数位置を復号するためにどの直交シーケンスを使用すべきかをＵＥに知らせる。
【００８０】
図７におけるテーブル４２０は、単なる一例である。いくつかの実施形態で、ｍ及びｎの組み合わせは、ＡＣＫ／ＮＡＣＫフィードバックのために使用される直交シーケンスと、ＡＣＫ／ＮＡＣＫフィードバックの時間−周波数位置とを一意に決定するために必要とされる。他の実施形態では、図７におけるテーブル４２０で見られるように、値ｍは、ＡＣＫ／ＮＡＣＫフィードバックのために使用される直交シーケンスへ一意にマッピングし、値ｎは、ＡＣＫ／ＮＡＣＫフィードバックの時間−周波数位置へ一意にマッピングし、あるいは、逆もしかりである。いくつかの実施形態では、特定のＴＴＩ、サブフレーム又はフレームにおいてＵＥによって使用され得る１つの可能なグラントフリー領域しか存在しなくてよく、その場合にｎは常に１に等しく、ＭＡシグニチャのインデックスｍは、直交シーケンス及び専用のダウンリンク・アクノリッジメント・チャネルにおける時間−周波数位置の組み合わせへ一意にマッピングされ得る。
【００８１】
いくつかの実施形態で、ＭＡシグニチャのインデックスｍは、基準信号インデックスである。他の実施形態では、ＭＡシグニチャのインデックスｍは、基準信号インデックスと、使用されるＭＡコードブック／シグニチャ／拡散シーケンスとの組み合わせへマッピングする。いくつかの実施形態で、グラントフリーのアクセス領域のインデックスｎは、最初又は最後の物理リソース・ブロック（ＰＲＢ）インデックスによって表され得る。
【００８２】
いくつかの実施形態で、基準信号インデックスは、直交シーケンスのインデックスへマッピングされてよく、グラントフリー領域インデックスとＭＡコードブック／シグニチャ／拡散シーケンスのインデックスとの組み合わせは、リソース・グループのインデックス又は専用ＤＬアクノリッジメント・チャネルの時間−周波数位置へマッピングされ得る。
【００８３】
いくつかの実施形態で、ＵＥの身元がアクティビティ検出によって決定され得る（例えば、ＭＡシグニチャがグラントフリーのアップリンク・リソース上でＵＥを一意に識別する）場合に、ＵＥインデックスｍが、ＭＡシグニチャのインデックスｍの代わりに使用されてよい。ＵＥインデックスｍは、グラントフリーのアクセス領域についてＵＥと一意に関連付けられている識別子であってよい。例えば、２５個のＵＥしか特定のグラントフリーのアップリンク・リソースにアクセスすることができない場合に、２５個のＵＥの各１つは、“１”から“２５”の間の各々のＵＥインデックスを割り当てられ得る。ＵＥインデックスは、ＵＥ及び基地局の両方に知られている。ＵＥインデックスは、予め定義されるか、又は半静的に構成されてよい。ＵＥインデックスは、無線リソース制御（ＲＲＣ）シグナリングの部分として割り当てられてよい。ＵＥが特定のフレーム、サブフレーム、又はＴＴＩにおいて１つのグラントフリー・アップリンク領域にしかアクセスすることができない場合に、夫々のＵＥインデックスは、一意のインデックス値（ｘ，ｙ）へマッピングされ得る。ＵＥが特定のフレーム、サブフレーム、又はＴＴＩにおいて複数のグラントフリー領域にアクセスすることができる場合には、ＵＥインデックスは、グラントフリー領域インデックスとともに一緒に、一意のインデックス値（ｘ，ｙ）へマッピングされ得る。
【００８４】
いくつかの実施形態で、グラントフリーのアップリンク伝送のために専用のダウンリンク・アクノリッジメント・チャネル上で送られるフィードバックは、（例えば、ＱＰＳＫを使用する）２つのビットであってよい。ビットの１つは、アクティビティ検出が成功したかどうかを示すために使用されてよく、ビットの他の１つは、データの復号化が成功したかどうかを示すために使用されてよい。いくつかの実施形態で、２つのビットは、ダウンリンク・アクノリッジメント・チャネルにおける異なるリソース上で、及び／又は異なる直交シーケンスを用いて、送られてよい。例えば、特定の（ｍ，ｎ）を有しているグラントフリーのアップリンク伝送は、２つのインデックス値（ｘ，ｙ）へマッピングされてよく、このとき、２つのインデックス値（ｘ，ｙ）の各１つは、２つのフィードバック・ビットの一方を運ぶ各々のリソース位置／直交シーケンスに対応する。
【００８５】
専用のダウンリンク・アクノリッジメント・チャネル（例えば、ＰＨＩＣＨ様チャネル）を使用する実施形態の考えられる利点は、次の通りである。フィードバックの１ビットしか符号化の前に送られない（‘１’＝ＡＣＫ、‘０’＝ＮＡＣＫ、又は逆もしかり）。これは、オーバーヘッドの節約の可能性を意味する。また、ＵＥを完全に識別する必要性がない。例えば、ＡＣＫ／ＮＡＣＫを送るために、ＵＥ（無線ネットワーク一時識別子）ＲＮＴＩを識別する必要性がない。代わりに、基地局は、ＭＡシグニチャ（インデックスｍ）を得るためにアクティビティ検出の実行に成功しさえすればよい。基地局は、アップリンク伝送が受信された時間−周波数位置に基づき、グラントフリーのアップリンク伝送のために使用されるアップリンク・リソース（インデックスｎ）を知るだろう。専用のダウンリンク・アクノリッジメント・チャネル（例えば、ＰＨＩＣＨ様チャネル）を使用する実施形態の考えられる欠点は、次の通りである。１ビットＡＣＫ／ＮＡＣＫフィードバックに加えて追加情報を加えることがより困難である可能性があり、方法は、同期フィードバックにしかうまく働くことができず、信頼性は、ＣＲＣをしないことで低減され得る。
【００８６】
図８は、一実施形態に従って、基地局１００及びＵＥ１０２ａによって実行される方法である。ステップ４２２で、ＵＥ１０２ａは、グラントフリーのアップリンク・リソース上で基地局１００へグラントフリーのアップリンク伝送を送る。グラントフリーのアップリンク伝送はＭＡシグニチャを利用する。ステップ４２４で、基地局１００は、グラントフリーのアップリンク伝送を受ける。ステップ４２６で、基地局は、ＭＡシグニチャを得るようアクティビティ検出を実行し、次いで、グラントフリーのアップリンク伝送におけるデータを復号しようと試みる。ステップ４２８で、基地局１００は、ダウンリンク・アクノリッジメント・チャネルにおいて、ＡＣＫ又はＮＡＣＫを含む、グラントフリーのアップリンク伝送に関連したフィードバックを送る。フィードバックを運ぶために使用される直交シーケンス、及び／又はフィードバックの時間−周波数位置は、ＭＡシグニチャ及びグラントフリーのアップリンク・リソースのうちの少なくとも１つに基づく。ステップ４３０で、ＡＣＫ又はＮＡＣＫは、ダウンリンク・アクノリッジメント・チャネル上でＵＥ１０２ａによって受け取られる。
【００８７】
他のオプション−個別的ＡＣＫ／ＮＡＣＫフィードバック
いくつかの実施形態で、基地局１００は、夫々の個々のＵＥについてグラントフリーのアップリンク伝送のためのＡＣＫ及び／又はＮＡＣＫを送ってよい。いくつかの実施形態で、個々のＵＥのためのＡＣＫ／ＮＡＣＫフィードバックは、ダウンリンク制御情報（ＤＣＩ）を通じて送られてよい。複数のＤＣＩは、ＡＣＫ／ＮＡＣＫフィードバックが複数のＵＥへ送られているときに別々に送信され得る。すなわち、夫々のＵＥは、それ自身の個別的なＤＣＩを有し得る。
【００８８】
例えば、特定のＵＥのためのＡＣＫ又はＮＡＣＫは、ＵＥ  ＩＤによりマスクをかけられているＣＲＣフィールドを有しているそのＵＥのためのＤＣＩに含まれ得る。ＵＥ  ＩＤは、ＵＥのためのＲＮＴＩ（例えば、セルＲＮＴＩ（Ｃ＿ＲＮＴＩ））であってよいが、これは必然ではない。ＵＥ  ＩＤがＵＥのためのＲＮＴＩである場合に、ＲＮＴＩは、ＲＲＣチャネルを通じて信号伝送され得る。ＤＣＩは、ＵＥ  ＩＤによって定義される（例えば、Ｃ＿ＲＮＴＩによって定義される）検索空間内の位置で送信され得る。可能性があるＤＣＩコマンドをモニタするときに、ＵＥは、その検索空間内のＤＣＩの全てのとり得る位置を復号しようと試みてよい。ＣＲＣが割り当てられたＵＥ  ＩＤと一致する場合に、制御チャネルは有効と宣言され、ＵＥはＤＣＩ内の情報を処理する。
【００８９】
いくつかの実施形態で、グラントフリー伝送の再送のために使用されるＲＮＴＩ、及びグラントベース伝送又はグラントベース伝送の再送のために使用されるＲＮＴＩは、異なる。我々は、グラントフリー伝送のために使用されるＲＮＴＩをグラントフリーＲＮＴＩ（ＧＦ−ＲＮＴＩ）又はグラントフリーＣ−ＲＮＴＩ（ＧＦ  Ｃ−ＲＮＴＩ）と、グラントベース伝送のために使用されるＲＮＴＩをグラントベースＣ−ＲＮＴＩ（ＧＢ  Ｃ−ＲＮＴＩ）と呼ぶことがある。例えば、ＧＢ  Ｃ−ＲＮＴＩは、グラントベース伝送のためのスケジューリング・グラントのために使用されるＰＤＣＣＨのＣＲＣに少なくともマスクをかけるために使用され得る。ＧＦ  Ｃ−ＲＮＴＩは、ＵＥ特有のＲＲＣシグナリングにおいて構成されてよい。ＧＢ  Ｃ−ＲＮＴＩは、ＵＥ特有のＲＲＣシグナリング又は他のＵＥ特有のシグナリングにおいて構成されてよい。
【００９０】
制御チャネル（ＤＣＩ）における探索空間位置は、グラントフリー・モードで動作するＵＥのために定義され得る。いくつかの実施形態で、探索空間位置は、各サブフレーム／ＴＴＩにおける可能性があるＣＣＥ（制御チャネル要素）のインデックスによって示され得る。インデックスは、ＵＥに割り当てられたグラントフリーＵＥ  ＩＤ（例えば、Ｃ＿ＲＮＴＩ）又はグラントフリー・グループＩＤ（例えば、ｇｒｏｕｐ＿ＲＮＴＩ）から導出される予め定義された関係を有し得る。ＰＤＣＣＨのための探索空間を定義するために使用されるグラントフリーＵＥ  ＩＤは、ＧＦ  Ｃ−ＲＮＴＩ又はＧＢ  Ｃ−ＲＮＴＩであることができる。この方法は、ＬＴＥにおけるＰＤＣＣＨ探索空間の定義と類似する。
【００９１】
探索空間を決定する他の方法は、ＤＣＩの探索空間位置を明示的に信号伝送することである。提供されるフォーマットは時間−周波数領域であってよく、その中でグラントフリーＵＥは全てのＣＣＥを探索すべきである。この明示的なシグナリングは、ＲＲＣシグナリングにおいて実行されてよい。これは、ＬＴＥにおいて定義される、例えば、ＲＲＣシグナリングにおけるｅＰＤＣＣＨ＿Ｃｏｎｆｉｇで定義される、ｅＰＤＣＣＨ探索空間と類似する。一実施形態で、ＡＣＫ／ＮＡＣＫがＵＥ１０２ａへ送られるべきである場合に、ＡＣＫ／ＮＡＣＫはＵＥ１０２ａのためのＤＣＩに含まれる。基地局１００における符号器２１０は、ＵＥ１０２ａのＵＥ  ＩＤによりＤＣＩの少なくとも一部にマスクをかける。マスキングは、ＵＥ１０２ａのＵＥ  ＩＤを用いてＤＣＩにおける情報の少なくとも一部を変更することを伴ってよい。一例として、ＤＣＩのＣＲＣは、ＵＥ１０２ａのＵＥ  ＩＤによりＣＲＣをスクランブルすることによって、マスクをかけられ得る。ＵＥ１０２ａがそのＤＣＩを探すべきであるダウンリンク制御チャネルにおける位置は、１０２ａのＵＥ  ＩＤに基づき、及び／又はグラントフリーのアップリンク伝送を送るためにＵＥ１０２ａによって使用されるグラントフリーのアップリンク・リソースに基づき、ＵＥ１０２ａによって知られ得る。ＵＥ１０２ａは、そのＤＣＩについてダウンリンク制御チャネルの適切なエリアを探索する。ＵＥ１０２ａがその制御情報を運ぶ正確な時間−周波数パーティションを知らないとすると、ＵＥ１０２ａの復号器２１８は、その探索エリアにおける制御情報をブラインド復号し、ＵＥ１０２ａのＩＤを用いてＣＲＣをスクランブル解除しようとする。誤ったＣＲＣは、ＵＥ１０２ａによって、ダウンリンク制御チャネルにおける特定の制御情報がＵＥ１０２ａ宛てでないとのインジケーションとして解釈される。正確なＣＲＣは、そのＤＣＩが正確に復号されたことをＵＥ１０２ａに示す。ＵＥ１０２ａは、次いで、復号されたＤＣＩからＡＣＫ又はＮＡＣＫを取り出すことができる。ＵＥ  ＩＤは、ＤＣＩのペイロードにあることができる。ＵＥ  ＩＤは、ＲＮＴＩ又はより高いレイヤＩＤであることができ、より高いレイヤＩＤは、特定のセルに結び付けられ且つ基地局及びＵＥによって知られる必要がない。
【００９２】
ＵＥ１０２ａによって復号されるＤＣＩは、異なるフォーマットを有してよく、異なる情報を含んでよい。一例として、ＤＣＩは、基地局が最初のグラントフリーのアップリンク伝送を成功裏に復号できなかったことをＵＥ１０２ａに示す、再送のためのグラントを含んでよい。そのような事例で、ＮＡＣＫは、ＤＣＩが再送のためのグラントを含むという事実に基づいてＮＡＣＫが暗黙的であるということから、ＤＣＩに明示的に含まれなくてもよい。グラントは、グラントフリー伝送をグラントベース再送へ切り替えることができる。
【００９３】
いくつかの実施形態で、ＤＣＩは比較的に簡単なフォーマットを有し、例えば、グラントの情報を含まない。一例として、ＤＣＩは、簡単なものとして、１ビット、すなわち、ＡＣＫのための‘０’及びＮＡＣＫのための‘１’、又は逆もしかり、であってよい。いくつかの実施形態で、ＤＣＩは、ＡＣＫがＵＥへ送られている場合には、ＵＥの身元を含んでよく、且つ／あるいは、ＤＣＩは、ＮＡＣＫがＵＥへ送られている場合には、ＵＥ  ＩＤ又は（ＵＥ  ＩＤが基地局に知られていない場合には）アップリンク伝送におけるＭＡシグニチャに対応するＭＡシグニチャのインデックスを含んでよい。いくつかの実施形態で、特定のＵＥは、いくつかのグラントフリーのアップリンク伝送を有してよく、その場合に、複数のＨＡＲＱプロセスが存在し得る。
【００９４】
いくつかの実施形態で、ＡＣＫ／ＮＡＣＫを運ぶＤＣＩ又は個別フィードバック・チャネルは、同様に、又は代わりに、ＡＣＫ／ＮＡＣＫされるパケットについてのＨＡＲＱプロセスＩＤ（又はＨＡＲＱプロセス番号）を含んでよい。ＡＣＫ／ＮＡＣＫは、明示的又は暗黙的にＨＡＲＱプロセス番号（あるいは、ＨＡＲＱプロセスＩＤ、又はＨＡＲＱプロセス番号若しくはトランスポート・ブロック（ＴＢ）インデックスを識別する何らかの属性、例えば、ＭＡシグニチャのインデックス若しくはグラントフリーのアクセス領域のインデックス又は両方の組み合わせ）を含んでよく、これは、送信される複数のＴＢが存在する場合に、ＡＣＫ／ＮＡＣＫがどのＴＢのために使用されるかを特定するために使用される。ＨＡＲＱプロセスＩＤは、グラントフリーのアップリンク伝送において基地局へ暗黙的又は明示的に信号伝送され得る。暗黙的シグナリングの例は、ＨＡＲＱプロセスＩＤが、ＵＥによって使用されるＭＡシグニチャに基づき、基地局に識別可能である場合である。ＭＡシグニチャは、基準信号又はコードブック／シグニチャ／シーケンスであるか、あるいは、多重アクセス（ＭＡ）スキーム又は上記の何らかの他の属性のために使用され得る。例えば、ＭＡスキームが、２つのＴＢ（２つのＨＡＲＱプロセスに対応。）を送信するために２つの異なるコードブックを使用する場合。基地局は、アクティビティ検出を通じてコードブックを識別する。次いで、基地局は、ＡＣＫ／ＮＡＣＫが対象とするＴＢを特定する、ＡＣＫ／ＮＡＣＫにおけるコードブック・インデックス又は対応するＨＡＲＱプロセス・インデックスを示してよい。いくつかの実施形態で、ＨＡＲＱプロセスＩＤは、異なるグラントフリーのアクセス領域を通じて暗黙的に識別されることが可能であり得る。例えば、ＵＥが、１時間スロットにおいて２つのグラントフリーのアクセス領域にアクセスすることが可能であるよう構成される場合。ＵＥは、２つの異なるＨＡＲＱプロセスに対応する２つのＴＢを送信してよい。ＡＣＫ／ＮＡＣＫフィードバックにおいて、グラント・アクセス領域インデックス又はＨＡＲＱプロセスＩＤは、ＡＣＫ／ＮＡＣＫフィードバックがどのＴＢを対象とするかをＵＥが識別することができるように、暗黙的又は明示的に示され得る。明示的シグナリングの例は、ＨＡＲＱプロセスＩＤを示すグラントフリーのアップリンク・メッセージ内のフィールドを有することである。ＨＡＲＱ  ＩＤは、よりロバストに保護され得、それにより、基地局は、それがデータを成功裏に復号することができないかもしれない場合でさえ、それを識別することができる。
【００９５】
いくつかの実施形態で、個別的ＤＣＩは、ＵＥのための他の情報、例えば、ＵＥへ送信されるべき追加のデータ、及び／又は現在のトランスポート・ブロック（ＴＢ）の再送若しくは新しいＴＢの新たな送信を送るためのグラントとともに、送信されてよい。
【００９６】
一般に、グラントフリー伝送に関してＨＡＲＱフィードバック（ＡＣＫ／ＮＡＣＫ又はグラント）のために使用されるＤＣＩは、ＧＦ  Ｃ−ＲＮＴＩ又はＧＢ  Ｃ−ＲＮＴＩと関連付けられ得る。いくつかの実施形態で、グラントフリーの最初の送信の再送のグラントのために使用されるＤＣＩのために使用されるＵＥ  ＩＤは、ＧＦ  Ｃ−ＲＮＴＩである。いくつかの他の実施形態では、グラントフリーの最初の送信の再送のグラントのために使用されるＤＣＩのために使用されるＵＥ  ＩＤは、ＧＢ  Ｃ−ＲＮＴＩである。ＧＦ  Ｃ−ＲＮＴＩは、グラントフリーの最初の送信の再送のために使用されるＤＣＩのＣＲＣにマスクをかけるために少なくとも使用される。ＤＣＩが再送のために使用されるかどうかは、ＤＣＩにおける新データ・インジケータ（ＮＤＩ）フィールドによって特定され得る。ＮＤＩは、０又は１のいずれかであることができる１ビットのフィールドであってよい。ＵＥが、ＧＢ  Ｃ−ＲＮＴＩによってマスクをかけられたＣＲＣを伴うＤＣＩグラントを検出する場合に、ＵＥは、ＮＤＩが同じＨＡＲＱプロセスの最後のグラントに対して切り替えられていない場合に、グラントを再送グラントと見なしてよい。他方で、ＧＢ  Ｃ−ＲＮＴＩによってマスクをかけられたＣＲＣを伴うＤＣＩグラントが存在し、ＮＤＩが同じＨＡＲＱプロセスの最後のグラントに対して切り替えられている場合に、ＵＥは、グラントを、新しいＴＢのスケジューリング・グラントと見なしてよい。グラントフリー伝送において、最初のグラントフリー伝送のためのスケジューリング・グラントは存在しない。ＤＣＩグラントが再送のためであるかどうかは、グラント内のＮＤＩフィールドの固定値によって決定される。例えば、グラントフリーの最初の送信の後、ＵＥがＧＦ  Ｃ−ＲＮＴＩによってマスクをかけられたＣＲＣを伴うＤＣＩを検出し、ＤＣＩ内のＮＤＩフィールドが１に等しい場合に、ＵＥは、ＤＣＩを、最初のグラントフリー伝送の再送グラントと見なしてよい。再送がどのＴＢのためであるかは、ＤＣＩに含まれるＨＡＲＱプロセスＩＤを用いてＵＥによって識別され得る。グラントフリーのリソースとＨＡＲＱプロセスＩＤとの間には構成又は予め定義されたマッピングが存在してよく、それにより、ＵＥは、ＨＡＲＱ  ＩＤがどのＴＢに対応するかを知る点に留意されたい。他方で、ＵＥがＧＦ  Ｃ−ＲＮＴＩによってマスクをかけられたＣＲＣを伴うＤＣＩを検出し、ＤＣＩ内のＮＤＩフィールドが０に等しい場合には、ＵＥは、ＤＣＩを、グラントフリー伝送のＡＣＫと見なしてよい。ＡＣＫがグラントフリー伝送のどのＴＢに対応するかは、ＤＣＩに含まれるＨＡＲＱプロセスＩＤ又は番号によって識別され得る。いくつかの実施形態で、ＤＣＩにはＡＣＫ／ＮＡＣＫの明示的なビットが存在しない点に留意されたい。ＵＥは、ＤＣＩがＧＦ  Ｃ−ＲＮＩＴと関連し、ＮＤＩ＝０である場合に、ＤＣＩを、ＤＣＩにおけるＨＡＲＱプロセスＩＤと関連するＴＢのＡＣＫと見なすことができる。いくつかの実施形態で、ＵＥがＧＦ  Ｃ−ＲＮＴＩによってマスクをかけられたＣＲＣを伴うＤＣＩを検出する場合に、ＵＥは、それを、ＮＤＩの値にかかわらず、対応するＨＡＲＱプロセスの再送グラントと��なしてよい。すなわち、ＮＤＩはここで、グラントが再送グラントであるかどうかを判定するためには使用されない。いくつかの実施形態で、グラントフリーＴＢのＡＣＫを示すために使用されるＤＣＩは、ＧＢ  Ｃ−ＲＮＴＩによりＣＲＣにマスクをかけてよい。ＵＥがＧＢ  Ｃ−ＲＮＴＩと関連したＤＣＩを検出し、同じＨＡＲＱプロセス（ＤＣＩにおけるＨＡＲＱプロセスＩＤによって識別される。）によるＴＢの前回の送信がグラントフリー伝送である場合に、ＵＥは、ＤＣＩを、ＮＤＩ値にかかわらず、ＨＡＲＱプロセスＩＤと関連したグラントフリーＴＢのＡＣＫと見なしてよい。いくつかの他の実施形態で、ＵＥは、ＮＤＩ＝０の場合に、ＧＢ  Ｃ−ＲＮＴＩと関連したＤＣＩを、グラントフリー伝送のＡＣＫと単に見なす。ＧＢ  Ｃ−ＲＮＴＩと関連したＤＣＩがＡＣＫを示すために使用される場合に、ＵＥはまた、それを、含まれるＨＡＲＱプロセスＩＤとともに新しいＴＢのスケジューリング・グラントを含むものとして見なしてよい。ＵＥが送信すべきデータを有している場合に、ＵＥは、ＧＢ  Ｃ−ＲＮＴＩと関連したＤＣＩにおいて構成されるリソースを用いて、新しいＴＢを送信してよい。いくつかの実施形態で、ＧＦ  Ｃ−ＲＮＴＩと関連したＤＣＩがＡＣＫを示すために使用される場合に、ＵＥは、それを、新しいＴＢのスケジューリング・グラントと見なさなくてよく、グラントに基づき新しいＴＢを送信しなくてよい。いくつかの他の実施形態で、ＧＦ  Ｃ−ＲＮＴＩと関連したＤＣＩがＡＣＫを示すために使用される場合に、ＵＥはまた、それを、含まれるＨＡＲＱプロセスＩＤとともに新しいＴＢのスケジューリング・グラントを含むものとして見なしてよい。ＵＥが送信すべきデータを有している場合に、ＵＥは、ＧＦ  Ｃ−ＲＮＴＩと関連したＤＣＩにおいて構成されるリソースを用いて、新しいＴＢを送信してよい。
【００９７】
個別的ＤＣＩを送ることは、通常、ＵＥの身元を一意に決定するよう基地局に求める。いくつかの実施形態で、基地局は、グラントフリーのアップリンク伝送におけるデータを復号することを通じて、ＵＥ  ＩＤを取得し得る。グラントフリーのアップリンク・リソースの所与の領域について、ＭＡシグニチャがＵＥを一意に識別する実施形態では、次いで、基地局によるＭＡシグニチャの検出は、基地局がＵＥを一意に識別することを可能にする。基地局は、次いで、例えば、ＭＡシグニチャとＵＥ  ＩＤとの間のマッピングを用いて、ＵＥについてのＵＥ  ＩＤを取得することができる。
【００９８】
いくつかの実施形態で、ＤＣＩは、連続した繰り返し／再送の終了のために使用される。いくつかの実施形態で、ＤＣＩフォーマットは、アップリンク・スケジューリングのためのＬＴＥにおけるＤＣＩフォーマット０のような、現在のＤＣＩフォーマットと同様であってよい。ＨＡＲＱ−ＡＣＫメッセージは、暗黙的に示唆され得る。例えば、連続した繰り返し／再送の終了のためにＨＡＲＱ−ＡＣＫを運ぶＤＣＩフォーマットは、ＬＴＥ半永続スケジューリング（ＳＰＳ）リリースＰＤＣＣＨバリデーションのために使用されるＤＣＩフォーマットと同様であってよい。いくつかの実施形態で、ＤＣＩは、完全なグラントなしでＡＣＫ／ＮＡＣＫのために使用される新しいフォーマットであってよい。
【００９９】
いくつかの実施形態で、ＤＣＩは、グラントフリー伝送をグラントベース再送へ切り替える、再送のためのスケジューリング・グラントを含んでよい。いくつかの実施形態で、ＤＣＩは、グラントフリーＵＥの新しいパケットをグラントベース伝送へ切り替える、ＵＥの新たな送信のためのスケジューリング・グラントを含んでよい。明示的なグラントは、ＮＡＣＫフィードバックを暗黙的に示唆し得る。
【０１００】
いくつかの実施形態で、ＤＣＩは、新しいＴＢの送信のためのスケジューリング・グラントを含んでよく、その場合に、それは、前のＴＢのＡＣＫを暗黙的に示唆し得る。
【０１０１】
いくつかの実施形態で、フィードバック・チャネルは、制御チャネル又はデータ・チャネルを通じて送信されてよい（ＤＣＩのフォーマットになくてもよい。）。フィードバック・チャネルの時間−周波数位置は、時間スロット若しくはサブフレーム番号との、又はグラントフリー伝送リソースとの、又はグラントフリー伝送リソース及び使用されるＭＡシグニチャの組み合わせとの固定された関係を有してよい。フィードバック・チャネル内のコンテンツは、肯定応答されているＵＩ  ＩＤ、又は個別的ＤＣＩについて上述されたいずれかのコンテンツであってよい。
【０１０２】
いくつかの実施形態で、個別的ＤＣＩにおけるＵＥのためのＡＣＫ／ＮＡＣＫの位置は、ＡＣＫ／ＮＡＣＫされているグラントフリーのアップリンク伝送を送るために使用されたグラントフリーのアップリンク・リソースとの固定されたタイミング関係を有してよい。例えば、ＵＥがサブフレーム（又はＴＴＩ）ｗにおいてグラントフリーのアップリンク伝送を送る場合に、そのグラントフリーのアップリンク伝送についてのＡＣＫ／ＮＡＣＫは、サブフレーム（又はＴＴＩ）ｗ＋ｋのＤＣＩにおいて送られる。しかし、いくつかの実施形態で、ＡＣＫ／ＮＡＣＫは、必ずしも、グラントフリーのリソースとの固定されたタイミング関係を有さなくてもよい。ＨＡＲＱプロセスＩＤ又は何らかの同様のインジケーションがＵＥのための個別的ＤＣＩに含まれる実施形態では、ＵＥは、ＤＣＩのタイミングの代わりにＨＡＲＱプロセスＩＤを使用することによって、どのトランスポート・ブロック（又はパケット）が肯定応答されるかを特定することが可能であり得る。いくつかの実施形態で、個別的ＤＣＩで送られるＡＣＫ／ＮＡＣＫは、連続した繰り返しの終了のために使用されてよい。この場合に、任意のタイミングで送信される個別的ＤＣＩをサポートすることは有利であり得る。
【０１０３】
最後に、いくつかの実施形態において上述されたように、ＵＥのための個別的ＡＣＫ／ＮＡＣＫは、ＤＣＩにおいて送られる必要がない。代わりに、例えば、ＵＥのためのＡＣＫ／ＮＡＣＫは、データ・チャネル、例えば、ＰＤＳＣＨにおいて送られ得る。データ・チャネルにおけるＡＣＫ／ＮＡＣＫの位置は、ＤＣＩにおいて送られ得る。ＡＣＫ／ＮＡＣＫの位置を示すＤＣＩは、いくつかの実施形態では依然としてＵＥ  ＩＤによってスクランブルされてよい。ＨＡＲＱフィードバックは、ＧＦ  Ｃ−ＲＮＴＩによってマスクをかけられたＣＲＣを伴った、ＵＥ特有のＤＣＩであってよい。ＤＣＩは、ＰＤＳＣＨ伝送をスケジューリングするスケジューリング・グラントを含んでよい。実際のＡＣＫ／ＮＡＣＫ又はＨＡＲＱフィードバック・コンテンツは、そのデータ・チャネル（ＰＤＳＣＨ）において送信されてよい。
【０１０４】
いくつかの実施形態で、個別的ＡＣＫ／ＮＡＣＫは、グラントフリー領域インデックス及びＭＡシグニチャのインデックスの組み合わせ又は一方との固定されたマッピング関係を有している時間−周波数位置でフィードバック・チャネルにおいて送られてよい。このシナリオでは、ＵＥは、フィードバックを探索すべき場所を知っている。フィードバックのコンテンツは、ＤＣＩにおいてＡＣＫ／ＮＡＣＫを送る場合と同様であることができるが、それはＤＣＩのフォーマットになくてもよい。それはＣＲＣを含んでよいが、ＣＲＣは、ＵＥ  ＩＤによってマスクをかけられてもかけられなくてもよい。
【０１０５】
いくつかの実施形態で、個別的ＡＣＫ／ＮＡＣＫチャネルは、制限なしに、次のうちの少なくとも１つ又はいくつを含んでよい：
アクティビティ検出を通じて識別されるＭＡシグニチャのインデックス、又はＭＡシグニチャのインデックスとグラントフリーのアクセス領域のインデックスとの組み合わせ。
【０１０６】
ＵＥが識別される場合のＵＥ  ＩＤ。
【０１０７】
フィードバックがどのＴＢに対応するかを特定するＨＡＲＱプロセス番号。時々、ＨＡＲＱプロセス番号を特定する属性（例えば、ＭＡシグニチャのインデックス、ＨＡＲＱプロセス番号を特定するコードブック・インデックス）が代わりに含まれる。時々、ＨＡＲＱプロセス番号は、明示的に含まれなくてもよく、他の属性から導出され得る。タイミング・アドバンス（ＴＡ）信号、又はＴＡが最初のグラントフリー伝送において推定される場合に、アップリンク同期のためにアップリンク・タイミングを調整するために使用されるタイミング情報（例えば、ＴＡ推定のためにプリアンブル又はＲＳを使用する。）。
【０１０８】
一時的な身元、例えば、ＵＥとネットワークとの間の更なる通信のために使用される、ＬＴＥ  ＲＡＲメッセージにおいて割り当てられるものと類似したＴＣ−ＲＮＴＩ。
【０１０９】
ＵＥが続く送信又は再送のために使用する時間−周波数リソース、ＭＣＳ、基準信号、ＭＡシグニチャ、などを含むリソースを示すスケジューリング・グラント。
【０１１０】
続く送信／再送のためのリソース・ホッピング・パターン及び／又はＲＶホッピング・パターン、及び／又はＭＡシグニチャ・ホッピング・パターン。
【０１１１】
ＡＣＫ又はＮＡＣＫであるかどうかを示す明示的又は暗黙的な信号、及び任意に、アクティビティ検出がＭＡシグニチャを成功裏に検出するかどうかを示す信号。
【０１１２】
図９は、他の実施形態に従って、基地局１００及びＵＥ１０２ａによって実行される方法を表す。ステップ４２３で、ＵＥ１０２ａは、グラントフリーのアップリンク伝送をグラントフリーのアップリンク・リソース上で基地局１００へ送る。グラントフリーのアップリンク伝送はＭＡシグニチャを利用する。ステップ４２５で、基地局１００はグラントフリーのアップリンク伝送を受ける。ステップ４２７で、基地局は、ＭＡシグニチャを得るためにアクティビティ検出を実行し、次いで、グラントフリーのアップリンク伝送におけるデータを復号しようと試みる。データが復号される場合に、次いで、基地局１００は、ＵＥ１０２ａのＵＥ  ＩＤ（例えば、ＲＮＴＩ）を取得することができる。ステップ４２９で、基地局１００は、個別的なダウンリンク制御情報において、ＡＣＫ又はＮＡＣＫを含むグラントフリーのアップリンク伝送に関連したフィードバックを送る。ＡＣＫが送信される場合に、基地局１００は、ＵＥ  ＩＤを用いて、例えば、フィードバックのＣＲＣをＵＥ  ＩＤによりスクランブルすることによって、フィードバックにマスクをかける。ＮＡＣＫが送信される場合に、基地局１００は、ＵＥ  ＩＤが基地局によって知られる場合、例えば、ＭＡシグニチャがグラントフリーのアップリンク・リソース上でＵＥ１０２ａを一意に識別する場合にのみ、ＵＥ  ＩＤを用いてフィードバックにマスクをかける。ステップ４３１で、ＡＣＫ又はＮＡＣＫがＵＥ１０２ａによって受信される。例えば、ＣＲＣがＵＥ１０２ａのＩＤによりスクランブルされる場合に、次いで、ＵＥ１０２ａは、ＵＥ１０２ａのＩＤを用いてＣＲＣをスクランブル解除することによって、ＡＣＫ又はＮＡＣＫを受信する。
【０１１３】
他のオプション−データ・チャネルにおけるＡＣＫ／ＮＡＣＫ
いくつかの実施形態で、ＡＣＫ／ＮＡＣＫは、ダウンリンク・データ・チャネルにおいて、例えば、物理的ダウンリンク共有チャネル（ＰＤＳＣＨ）において、基地局によって送信される。グラントフリーのアップリンク伝送を送ったＵＥは、データ・チャネルにおいてどこでＡＣＫ／ＮＡＣＫが見つけられ得るかを示すＤＣＩを探す。ＤＣＩは、上記のとおり、個別的ＤＣＩであってよく、その場合に、ＤＣＩは、ＵＥ  ＩＤ（例えば、ＧＦ−ＲＮＴＩ）を用いてマスクをかけられ得る。代替的に、基地局１００は、ダウンリンク・データ・チャネルの同じリソース・パーティションにおいて複数のＵＥのためにＡＣＫ／ＮＡＣＫを送信してよい。ＡＣＫ／ＮＡＣＫされるべきであるグラントフリーのアップリンク伝送を送ったあらゆるＵＥが、ＡＣＫ／ＮＡＣＫを有しているリソース・パーティションの位置を示す同じＤＣＩを探す。ＤＣＩは、データ・チャネル（例えば、ＰＤＳＣＨ）においてダウンリンク伝送をスケジューリングするスケジューリング・グラントを含んでよい。実際のＡＣＫ／ＮＡＣＫ又はＨＡＲＱフィードバック・コンテンツは、そのデータ・チャネル（ＰＤＳＣＨ）において送信されてよい。同じＤＣＩは、本開示で上述されるように、それがグループ共通ＤＣＩであることができることを意味する。ＤＣＩは、共通のＩＤ値、“ＧＦ＿Ｃｏｍｍｏｎ＿ＲＮＴＩ”のような共通ＲＮＴＩを用いてマスクをかけられてよい。共通のＩＤ値は、グラントフリーのアップリンク伝送を送る夫々のＵＥに知られ、ＤＣＩを復号するために使用される。共通のＩＤ値は、予め定義されるか、又はＲＲＣシグナリングを用いて示されてよい。共通ＩＤは、本開示のグループＡＣＫ／ＮＡＣＫにおいて後述されるように、同じグループＲＮＴＩ（例えば、“ＧＦ＿ｇｒｏｕｐ＿ＲＮＴＩ”）であることができる。
【０１１４】
ダウンリンク制御チャネルにおけるＤＣＩの探索空間は、使用されるグラントフリーのアップリンク・リソースに基づいてよい。
【０１１５】
一例として、１０個のＵＥは、それらがグラントフリーのアップリンク・リソースの第１の組上で有し得る如何なるグラントフリーのアップリンク伝送も送ることができるよう構成される。１０個のＵＥは、グラントフリーのアップリンク・リソースの第１の組のためのＧＦ＿Ｃｏｍｍｏｎ＿ＲＮＴＩを知らされる。１０個のＵＥは、グラントフリーのアップリンク・リソースの第１の組の位置に基づきダウンリンク制御チャネルの特定のエリアを探索することを知る。１０個のＵＥは夫々が、ＤＣＩを復号するためにＧＦ＿Ｃｏｍｍｏｎ＿ＲＮＴＩを使用する。ＤＣＩは、ダウンリンク・データ・チャネルにおいてどこに１０個のＵＥのためのＡＣＫ／ＮＡＣＫが位置するかを示す。
【０１１６】
複数のＵＥのためのＡＣＫ／ＮＡＣＫが、例えば、先の段落における例で見られるように、ダウンリンク・データ・チャネルにおける共通のリソース・パーティションに位置する場合に、夫々のＡＣＫ／ＮＡＣＫは、ＡＣＫ／ＮＡＣＫが属するＵＥを識別する情報と関連付けられる。情報は、ＵＥ  ＩＤ、又はグラントフリーのアップリンク伝送において送信されるＭＡシグニチャを識別するインデックスであってよい。いくつかの実施形態で、ＡＣＫ／ＮＡＣＫと関連する追加の情報も存在してよい。例えば、特定のＵＥのためのＮＡＣＫは、再送のためのグラントをスケジューリングするそれと関連するグラントを有してよい。あるいは、ＮＡＣＫは、グラントフリーのアップリンク伝送を用いて、場合により、如何なる再送も特定のリソース・ホッピング・パターン及び／又はＲＶホッピング・パターン、及び／又はＭＡシグニチャ・ホッピング・パターンを用いて実行されるべきであることをＵＥに示し得る。
【０１１７】
他のオプション−グループＡＣＫ／ＮＡＣＫ
いくつかの実施形態で、単一ＡＣＫ／ＮＡＣＫペイロードが１つよりも多いＵＥに肯定応答してよい。そのようなＡＣＫ／ＮＡＣＫは、“グループＡＣＫ／ＮＡＣＫ”と呼ばれる。
【０１１８】
ＵＥは、基地局によって異なるグループに分けられる。グループ分けは、どのＵＥが同じグラントフリーの時間−周波数アップリンク・リソースにアクセスする可能性が最も高いかに基づいてよい。いくつかの実施形態で、例えば、グラントフリーのアップリンク伝送を送ることができる少数のＵＥしかない場合に、１つのグループしか存在しないことがある。グループは、時間にわたって更新されてよい。
【０１１９】
夫々のグループは、グループを他のグループと区別する各々のＩＤ、例えば、“ＧＦ＿ｇｒｏｕｐ＿ＲＮＴＩ”を有している。１つしかグループがない実施形態では、グループＩＤは予め定義され得るか、あるいは、不要であり得る。いくつかの実施形態で、グループＩＤ“ＧＦ＿ｇｒｏｕｐ＿ＲＮＴＩ”は、ＵＥに明示的に信号により伝えられなくてもよい。ＧＦ＿ｇｒｏｕｐ＿ＲＮＴＩは、サブフレーム又は時間スロット番号及びフレーム番号のうちの少なくとも１つの関数として予め定義され、ＵＥ及び基地局の両方に知られ得る。いくつかの実施形態で、夫々のグラントフリーのアクセス領域は、前もって知られ得るそれ自体の各々のグループＩＤを有してよい。グラントフリーのアクセス領域は、ＵＥがグラントフリー伝送を実行するようアクセスすることができる時間−周波数リソースのことであることができる。異なるグラントフリーのリソース領域は、異なる時間−周波数位置のことであることができる。異なる周波数位置は、異なる周波数パーティション、異なるバンド若しくはサブバンド、異なるキャリア若しくはサブキャリア、異なるバンド幅部分（ＢＷＰ）、異なるリソース・ブロック（ＲＢ）若しくはリソース・ブロック・グループ（ＲＢＧ）、又は一般に、ＵＥに割り当てられるあらゆる異なる周波数単位若しくは異なる周波数領域のことであることができる。各グループ内の夫々のＵＥは、ポジション・インデックス、例えば、“ＧＦ＿ａｃｋ＿ｉｎｄｅｘ”を割り当てられる。ポジション・インデックスは、ＵＥをグループ内の他のＵＥから識別する。例えば、グループ内に４つのＵＥがある場合に、１つのＵＥはポジション・インデックス‘１’を割り当てられてよく、他のＵＥはポジション・インデックス‘２’を割り当てられ、他のＵＥはポジション・インデックス‘３’を割り当てられ、残りのＵＥはポジション・インデックス‘４’を割り当てられる。いくつかの実施形態で、ＵＥポジション・インデックスは、例えば、ＲＲＣシグナリングにおいて、半静的に構成されてよい。
【０１２０】
いくつかの実施形態で、上位レイヤ・シグナリング（例えば、ＲＲＣシグナリング）は、ＵＥをグループに割り当て、夫々のグループのグループＩＤを信号伝送し、ポジション・インデックスを各グループ内の夫々のＵＥに割り当てるために使用される。いくつかの実施形態で、ＲＲＣシグナリングはまた、他のＵＥがいくつ同じグループ内にあるかを各ＵＥに示してよい。
【０１２１】
いくつかの実施形態で、ＵＥポジション・インデックスは、グラントフリーのアクセス領域インデックス（時々、インデックスは、時間スロット又はサブフレーム内のインデックスのためだけである。）及びＭＡシグニチャのインデックスの組み合わせによって置換されてよく、その場合に、ＵＥのインデックスは、ＵＥが、それが使用するＭＡシグニチャと、それがグラントフリーのアップリンク伝送を送るために使用するグラントフリーのリソースとに基づき、そのインデックスを知るので、前もってＵＥに信号伝送される必要がなくてもよい。いくつかの実施形態で、グラントフリーのアクセス領域インデックスは、異なる周波数パーティション、異なるバンド若しくはサブバンド、異なるキャリア若しくはサブキャリア、異なるバンド幅部分（ＢＷＰ）、異なるリソース・ブロック（ＲＢ）若しくはリソース・ブロック・グループ（ＲＢＧ）のインデックス、又は一般に、ＵＥに割り当てられる異なる周波数単位若しくは異なる周波数領域のインデックスであることができる。
【０１２２】
グループが構成されると、グループＡＣＫ／ＮＡＣＫは、各グループがそのグループ内のＵＥのためのグラントフリーのアップリンク伝送に肯定応答又は否定応答するために使用される。いくつかの実施形態で、グループＡＣＫ／ＮＡＣＫは、１ＴＴＩ若しくは１時間スロット若しくは１サブフレームにおいて成功裏に復号される全ての受信されたパケットにＡＣＫしてよい。
【０１２３】
いくつかの実施形態で、グループＡＣＫ／ＮＡＣＫは、複数のＵＥに共通であるか又はＵＥのグループにアドレッシングされるダウンリンク制御チャネルにおいて送られる。そのような実施形態では、グループＡＣＫ／ＮＡＣＫは、グループ共通ＤＣＩを介して送られると言われることがある。
【０１２４】
いくつかの実施形態で、グループ共通ＤＣＩは、グループＩＤ（“ＧＦ＿ｇｒｏｕｐ＿ＲＮＴＩ”）によって定義される探索空間の１つで送られる。探索空間の定義は、個別的ＤＣＩと類似する。いくつかの実施形態で、グループ共通ＤＣＩの探索空間は、ダウンリンク制御チャネルの共通探索空間の間にあってよい。いくつかのシナリオでは、探索空間は、ブラインド検出が不要であるように、グループ共通ＤＣＩについて固定され得る。可能性があるＤＣＩコマンドをモニタするとき、ＵＥは、その探索空間内のＤＣＩの全ての可能性がある位置を復号しようと試みてよい。ＣＲＣが、割り当てられた又は導出されたグループＲＮＴＩ（ＧＦ＿ｇｒｏｕｐ＿ＲＮＴＩ）と一致する場合に、制御チャネルは、有効と宣言され、ＵＥは、グループＡＣＫ／ＮＡＣＫを得るようグループ共通ＤＣＩ内の情報を処理する。
【０１２５】
いくつかの実施形態で、グループＡＣＫ／ＮＡＣＫの位置は、グラントフリーのアップリンク伝送を送るために使用される時間−周波数リソースの位置に基づく。各グループが夫々のグラントフリーのリソースについて定義された状態で、夫々の時間スロット（時間スロットは時間スロット、サブフレーム、ＴＴｉ又は一般的な時間単位を意味することができる。）について複数のグループＡＣＫ／ＮＡＣＫが存在し得る。例えば、各時間スロットは、異なる周波数位置で５つのグラントフリーのアクセス領域を含んでよく、その場合に、同じグラントフリーのアクセス領域にアクセスする全てのＵＥはグループを形成し得る。この場合に、グループＩＤ（ＧＦ＿ｇｒｏｕｐ＿ＲＮＴＩ）及びＵＥポジション・インデックスは、予め構成されるか又は前もって信号伝送される必要がなくもよい。各グループは、時間スロット・インデックス及びフレーム番号並びにグラントフリーのアクセス領域リソースの関数であって、ＵＥ及び基地局の両方に知られる予め定義されたグループＩＤ（例えば、ＧＦ＿ｇｒｏｕｐ＿ＲＮＴＩ）を有し得る。すなわち、グループＩＤ（ＧＦ＿ｇｒｏｕｐ＿ＲＮＴＩ）は、グラントフリー伝送のために使用されるグラントフリー伝送リソースの周波数位置及び時間単位の関数として、導出され得る。例において、時間スロット内の５つの異なるグラントフリーのアクセス領域に対応する５つの異なるＧＦ＿ｇｒｏｕｐ＿ＲＮＴＩを有する５つのグラントフリーのグループが存在してよい。この場合に、ｇＮＢは、その対応するグループＩＤ（ＧＦ＿ｇｒｏｕｐ＿ＲＮＴＩ）によって構成されるグループＤＣＩを通じて５つの別個のグループＡＣＫ／ＮＡＣＫを送ってよい。グループＤＣＩは、対応するグループＲＮＴＩによって定義される探索空間で送られてよく、グループＤＣＩのためのＣＲＣは、同じグループＩＤ（ＧＦ＿ｇｒｏｕｐ＿ＲＮＴＩ）によってマスクをかけられ得る。ＵＥのグループが時間−周波数位置Ａでグラントフリーのアップリンク伝送を送る場合に、ＤＣＩにおける探索空間Ｂは、それらのグラントフリーのアップリンク伝送のためのグループＡＣＫ／ＮＡＣＫを得るために、グラントフリーのアクセス領域（リソース）と関連するグループＩＤを用いて探索される。いくつかの実施形態で、ＤＣＩの探索空間Ｂは、グループＩＤに依存してもしなくてもよいグループ共通ＤＣＩを送るための共通探索空間であってよい。ＵＥのグループにおいてグラントフリーのアップリンク伝送を送った各ＵＥは、探索エリアＢにおける制御情報をブラインド復号し、グラントフリーのリソースと関連するグループＩＤを用いてＣＲＣをスクランブル解除しようとする。誤ったＣＲＣは、ダウンリンク制御チャネルにおける特定の制御情報がグループＡＣＫ／ＮＡＣＫでないとのインジケーションとしてＵＥによって解釈される。正確なＣＲＣは、そのＤＣＩが正しく復号されていることをＵＥに示す。ＵＥ１０２ａは次いで、復号されたＤＣＩからグループＡＣＫ／ＮＡＣＫを取り出すことができる。いくつかの実施形態で、ブラインド検出は不要であることができる。例えば、探索エリアＢの代わりに、グラントフリーのアップリンク伝送を送るために使用される時間−周波数リソースは、グループＡＣＫ／ＮＡＣＫを復号するよう、ＤＣＩにおける特定の既知の時間−周波数位置にマッピングする。いくつかの実施形態で、グループＩＤは、ＤＣＩのＣＲＣをスクランブルするために使用されない。
【０１２６】
グラントフリー伝送リソースの周波数位置及び／又は時間単位の関数としてのグループＩＤ（グループＲＮＴＩ）の更なる具体例が、これより説明される。グループＩＤは、時間リソース・インデックス及び周波数リソース・インデックスの関数、例えば、
ＧＦ＿ｇｒｏｕｐ＿ＲＮＴＩ＝ｆ（ｔ＿ｉｎｄｅｘ，ｆ＿ｉｎｄｅｘ）
であってよい。更なる具体例として、
ＧＦ＿ｇｒｏｕｐ＿ＲＮＴＩ＝Ａ×ｔ＿ｉｎｄｅｘ＋Ｂ×ｆ＿ｉｎｄｅｘ＋Ｃ
ここで、Ａ、Ｂ、Ｃは定数であり、×は乗算を表す。
【０１２７】
周波数リソース・インデックス／情報ｆ＿ｉｎｄｅｘ情報は、異なる周波数パーティション（例えば、周波数パーティション・インデックス）、異なるバンド若しくはサブバンド（例えば、バンド・インデックス若しくはサブバンド・インデックス）、異なるキャリア若しくはサブキャリア（例えば、キャリア・インデックス若しくはサブキャリア・インデックス）、異なるバンド幅部分（ＢＷＰ）（例えば、ＢＷＰインデックス）、異なるリソース・ブロック（ＲＢ）若しくはリソース・ブロック・グループ（ＲＢＧ）（例えば、ＲＢインデックス若しくはＲＢＧインデックス）のインデックス、又は一般に、異なる周波数単位若しくは異なる周波数領域（例えば、周波数単位インデックス若しくは周波数領域インデックス）のインデックス、のうちの少なくとも１つを含んでよい。
【０１２８】
時間リソース・インデックス／情報（ｔ＿ｉｎｄｅｘ）は、システム・フレーム・インデックス、サブフレーム・インデックス、スロット・インデックス、ミニスロット・インデックス、シンボル・インデックス、のうちの少なくとも１つを含んでよい。グループＩＤを計算するために使用されるグラントフリーのリソース情報は、グラントフリーのリソースの構成を通じてブロードキャスト・シグナリング、ＲＲＣシグナリング、ＤＣＩシグナリング又は上記のあらゆる組み合わせによりＵＥのために構成され得る。上記の例では、時間スロット内の５つの異なるグラントフリーのアクセス領域に対応する５つの異なるＧＦ＿ｇｒｏｕｐ＿ＲＮＴＩを有する５つのグラントフリーのグループが存在する。５つのグラントフリーのアクセス領域は５つの異なる周波数パーティションであることができ、周波数パーティションは、グラントフリーのリソース・パーティションによってＵＥに知られるサブバンド・インデックス又は簡単に周波数パーティション・インデックスを夫々が含む５つのサブバンドであることができる。夫々のＵＥ及び基地局は、同じグループＲＮＴＩを時間インデックス（例えば、スロット・インデックス）及び周波数位置インデックス（例えば、サブバンド又は周波数パーティション・インデックス）の関数として導出し得る。同じ周波数パーティション（又は同じグラントフリーのアクセス領域）にアクセスしているＵＥは、次いで、同じグループＲＮＴＩ又はグループＩＤを共有する。導出されたグループＩＤは、次いで、グループ共通ＤＣＩにおいて送信され得るグループＡＣＫ／ＮＡＣＫのＣＲＣにマスクをかけるために使用される。基地局が夫々のグループについてグループ共通ＤＣＩを送る場合に、同じスロットについて５つの異なるグループ共通ＤＣＩが存在することができる。いくつかの実施形態で、周波数位置インデックスは、ＲＢインデックスであることができる。しかし、複数のＲＢがグラントフリー伝送のために使用／定義される場合に、グループＩＤを計算するために使用される周波数インデックスは開始又は終了ＲＢインデックスであってよい。
【０１２９】
いくつかの実施形態で、別個のグループＩＤ及びグループＡＣＫ／ＮＡＣＫが時間スロットにおける異なるグラントフリーのアクセス領域のために使用される場合に、グループＡＣＫ／ＮＡＣＫにおいて使用されるＵＥポジション・インデックスは、ＭＡシグニチャのインデックスとの予め定義されたマッピング関係を有してよい。
【０１３０】
いくつかの実施形態で、１つの時間スロットにおけるグラントフリーのリソース領域にアクセスする全てのＵＥは、１つのグループＡＣＫ／ＮＡＣＫフィードバックを用いてフィードバックを送信される。グループＩＤ  ＧＦ＿ｇｒｏｕｐ＿ＲＮＴＩは、グループＡＣＫ／ＮＡＣＫフィードバックのために定義される。ＧＦ＿ｇｒｏｕｐ＿ＲＮＴＩは、簡単に、ＬＴＥにおけるランダム・アクセスのために定義されるＲＡ−ＲＮＴＩとして定義されてよい。いくつかの実施形態で、グループと関連するグループＩＤ（ＧＦ＿ｇｒｏｕｐ＿ＲＮＴＩ）及びＵＥポジション・インデックスは、前もってＵＥへ（例えば、上記のＲＲＣのように）信号により伝えられ得る。いくつかの他の実施形態では、グループＩＤ（ＧＦ＿ｇｒｏｕｐ＿ＲＮＴＩ）は、全てのグラントフリーＵＥ及び基地局１００によって予め定義され知られ得る。ＧＦ＿ｇｒｏｕｐ＿ＲＮＴＩは、時間スロット番号及びフレーム番号の関数でありながら、グラントフリーＵＥ及び基地局１００によって依然として知られ得る。このシナリオでは、グループＡＣＫ／ＮＡＣＫは、このＧＦ＿ｇｒｏｕｐ＿ＲＮＴＩによって構成される１つのグループ共通ＤＣＩにおいて送られ得る。ＤＣＩは、ＧＦ＿ｇｒｏｕｐ＿ＲＮＴＩによってマスクをかけられたＣＲＣを伴って、ＧＦ＿ｇｒｏｕｐ＿ＲＮＴＩによって定義された探索空間において送信されてよい。グループＡＣＫ／ＮＡＣＫが、時間スロットのための複数のグラントフリーのアクセス領域にアクセスするＵＥのためのＡＣＫ／ＮＡＣＫフィードバックを含み得るということで、ＵＥポジション・インデックスは、前もって構成されない場合に、グラントフリーのアクセス領域のインデックス及びＭＡシグニチャのインデックスの組み合わせによる予め定義されたマッピングを有してよい。グラントフリーのアクセス領域のインデックスは、上述されたように、バンド若しくはサブバンド・インデックス、ＲＢ若しくはＲＢＧインデックス、ＢＷＰインデックス、キャリア若しくはサブキャリア・インデックス、周波数パーティション・インデックス、などのような、如何なる周波数位置インデックスであることもできる。
【０１３１】
いくつかの実施形態で、グループＡＣＫ／ＮＡＣＫは、ｋ個のフィールド（例えば、ｋ個のビット）を有しているメッセージであってよく、ここで、各フィールドは、特定のＵＥポジション・インデックスと関連付けられ、そのＵＥからのグラントフリーのアップリンク伝送が肯定応答されるか否かのインジケーションを提供する。一例として、グループはｋ個のＵＥを有してよく、グループＡＣＫ／ＮＡＣＫは、ｋ個のビットを有しているワードであってよい。ワード内の各ビットは、ｋ個のＵＥのうちの各々１つへマッピングする。例が図１０において４３４で表されている。‘１’のビット値は、対応するＵＥからのグラントフリーのアップリンク伝送が成功裏に受信及び復号されたこと、すなわち、ＡＣＫを意味する。‘０’のビット値はＮＡＣＫを意味する。特定のＵＥからのＡＣＫ又はＮＡＣＫがない場合に、次いで、そのＵＥに対応するビットは‘０’にセットされる。従って、グループ内のＵＥがグラントフリーのアップリンク伝送を送り、ワード４３４におけるそのポジション・インデックスが‘０’である場合に、そのＵＥは、アクティビティ検出が成功したかどうかを知らない。
【０１３２】
いくつかの実施形態で、ＵＥポジション・インデックスは、上述されたように、上位レイヤ・シグナリング（例えば、ＲＲＣシグナリング）において、定義されたグループ（ＧＦ＿ｇｒｏｕｐ＿ＲＮＴＩ）のために予め構成される。いくつかの実施形態で、ＵＥポジション・インデックスは、グラントフリーのアクセス領域のインデックス及びＭＡシグニチャのインデックスの組み合わせによる予め定義されたマッピングを有し、ＵＥ及びｇＮＢの両方によって知られている。
【０１３３】
図１１は、図１０の変形例を表し、２つのビットｂ１及びｂ２がワード４３６内の各ＵＥポジション・インデックスと関連付けられている。ビットｂ１は、アクティビティ検出がＵＥについて成功したか否かを示し（例えば、‘１’＝‘はい’）、ビットｂ２は、データが成功裏に復号化されたか否かを示す（例えば、‘１’＝‘データは成功裏に復号された’）。ＵＥは、次に何をすべきかを決定するために追加情報を使用することができる。例えば、ＵＥについてアクティビティ検出さえ成功しなかったことをワード４３６が示す場合に、次いで、ＵＥは、同じ最初の伝送を同じＲＶにより再送してよく、一方、ＵＥについて、アクティビティ検出が成功したが、データが成功裏に復号されなかったことをワード４３６が示す場合に、次いで、ＵＥは、他のＲＶ（例えば、より高いＲＶ）を用いて再送を送ってよい。
【０１３４】
図１０及び１１において、ＵＥポジション・インデックスは、代わりにＭＡシグニチャのインデックス、又はＭＡシグニチャのインデックスと、どのグラントフリーのアップリンク・リソースがグラントフリーのアップリンク伝送を送るために使用されたかを示すインデックスとの組み合わせ、に基づいてよい。
【０１３５】
いくつかの実施形態で、特定のＵＥは、いくつかのグラントフリーのアップリンク伝送を有してよく、その場合に、複数のＨＡＲＱプロセスが存在してよく、夫々のＨＡＲＱプロセスはＴＢを示してよい。ＨＡＲＱプロセスＩＤは、グラントフリーのアップリンク伝送において基地局へ暗黙的に又は明示的に信号伝送され得る。暗黙的シグナリングの例は、ＨＡＲＱプロセスＩＤが、ＵＥによって使用されるＭＡシグニチャに基づき基地局に識別可能である場合である。明示的シグナリングの例は、ＨＡＲＱプロセスＩＤを示すグラントフリーのアップリンク・メッセージにおいてフィールドを有することである。
【０１３６】
ポジション・インデックスは更に、ＨＡＲＱプロセスＩＤを含んでよい。図１２は、図１１におけるそれと同じであるグループＡＣＫ／ＮＡＣＫの例を表すが、各ＵＥの各ＨＡＲＱプロセスＩＤは、ビットｂ１及びｂ２のそれ自体の組を有している。ＵＥごとにＮ個の異なる可能なＨＡＲＱプロセスＩＤがある。ＵＥは、そのポジション・インデックス及びそのＨＡＲＱプロセスＩＤに基づき、ワード４３８においてどこを見るべきかを知る。
【０１３７】
他の実施形態では、例えば、ＵＥが複数のＭＡシグニチャを使用している場合、及び／又はＵＥが複数のＨＡＲＱプロセスＩＤを有している場合に、１つのＵＥが複数のポジション・インデックスを割り当てられ得る。ＵＥは、どのポジション・インデックスが、ＵＥのグラントフリーのアップリンク伝送に対応する特定のＭＡシグニチャ及び／又は特定のＨＡＲＱプロセスＩＤと関連付けられているかを知ることになる。
【０１３８】
いくつかの実施形態で、グループＡＣＫ／ＮＡＣＫは、グループＡＣＫ／ＮＡＣＫが肯定応答している夫々のＵＥについてのＵＥ  ＩＤを含む。いくつかの実施形態で、グループＡＣＫにおけるＵＥ  ＩＤの存在は、そのグラントフリーのアップリンク伝送が基地局によって成功裏に受信及び復号されたことをＵＥに示す。ＵＥ  ＩＤの欠如は、そのグラントフリーのアップリンク伝送が基地局によって成功裏に復号されなかったこと、すなわち、暗黙的ＮＡＣＫをＵＥに示す。いくつかの実施形態で、ＵＥ  ＩＤを含むのではなく、グループＡＣＫは、肯定応答している夫々のグラントフリーのアップリンク伝送について、使用されたＭＡシグニチャ及びグラントフリーのアップリンク・リソースに対応するインデックスを含む。
【０１３９】
図１３は、他の実施形態に従って、グループＡＣＫ／ＮＡＣＫ４４０を表す。グループＡＣＫ／ＮＡＣＫ４４０は、グループＡＣＫ／ＮＡＣＫ４４０においてＡＣＫ又はＮＡＣＫされるＵＥの数を示すフィールド４４２を含む。他のフィールド４４４は、各ＵＥ  ＩＤの長さを示す。他のフィールド４４６は、グループＡＣＫ／ＮＡＣＫ４４０において識別されるＵＥがＡＣＫ又はＮＡＣＫされているかどうかを示す（例えば、‘１’＝ＡＣＫ及び‘０’＝ＮＡＣＫ）。ＡＣＫ又はＮＡＣＫされる各ＵＥのＵＥ  ＩＤは、その場合に、フィールド４４８に存在する。グループＡＣＫ／ＮＡＣＫは１つのペイロードとして符号化され、ＣＲＣ４５０が加えられる。グループＡＣＫ／ＮＡＣＫがグループ共通ＤＣＩを通じて送信される場合に、ＣＲＣ４５０は、ＵＥ及び基地局の両方によって知られるグループＩＤによってスクランブルされてよい。
【０１４０】
フィールド４４２、４４４、及び４４６は任意である。フィールド４４２、４４４、及び４４６のどれも又はほんの一部しか、実施に応じて含まれない。例えば、フィールド４４４は、ＵＥ  ＩＤが常にＵＥ及び基地局に前もって知られている固定長さ、例えば、アクティビティ検出及びデータ復号化を通じて得られる固定長さＵＥ  ＩＤ、である場合に省略され得る。他の例として、フィールド４４６は、ＵＥ  ＩＤの存在が常に、ＵＥがＡＣＫされていることを意味する場合に、省略され得る。また、いくつかの実施形態で、ＣＲＣ４５０は存在しなくてもよい。また、いくつかの実施形態で、フィールド４４８におけるＵＥ  ＩＤの一部又は全ての各ＵＥ  ＩＤは、（ｉ）ＡＣＫ／ＮＡＣＫされているグラントフリーのアップリンク伝送を送るＵＥによって使用されたＭＡシグニチャを特定するインデックス、又は（ｉｉ）ＵＥによって使用されたＭＡシグニチャを特定するインデックスと、ＵＥによって使用されたグラントフリーのアップリンク・リソースを特定する他のインデックスとの組み合わせ、により置換されてよい。
【０１４１】
いくつかの実施形態で、図１３のフォーマットを有している２つの別個のグループＡＣＫ／ＮＡＣＫが送信されてよく、一方のグループＡＣＫ／ＮＡＣＫは伝送に肯定応答し、他方グループＡＣＫ／ＮＡＣＫは伝送に否定応答する。他の実施形態では、単一のグループＡＣＫ／ＮＡＣＫがＡＣＫ及びＮＡＣＫの両方を含んでよい。例えば、フィールド４４６及び４４８は２度存在してよく、一度は伝送に肯定応答し、もう一度は伝送に否定応答する。いずれの場合にも、ＮＡＣＫが送信されている場合には、基地局は、ＮＡＣＫされているＵＥを識別することができなくてもよい。その場合に、ＵＥ  ＩＤは、ＮＡＣＫされているアップリンク伝送のＭＡシグニチャのインデックス、又はＭＡシグニチャのインデックスと、ＮＡＣＫされているアップリンク伝送によって使用されるグラントフリーのアップリンク・リソースを特定するインデックスとの組み合わせにより置換されてよい。ＡＣＫ及びＮＡＣＫの両方のフィールドが存在するとき、グラントフリーのアップリンク伝送を送信したＵＥであって、グループＡＣＫ／ＮＡＣＫにおいてＡＣＫ又はＮＡＣＫを見ないＵＥは、そのグラントフリーのアップリンク伝送のアクティビティ検出でさえ基地局によって成功裏に実行されなかったことを知る。
【０１４２】
ＡＣＫ／ＮＡＣＫされる各ＵＥについてのＵＥ  ＩＤを含むグループＡＣＫ／ＮＡＣＫ（例えば、図１３において見られる。）は、ＡＣＫ／ＮＡＣＫされる可能性があるＵＥが多数存在するが、多数のＵＥのほんの一部しかグループＡＣＫ／ＮＡＣＫにおいて実際にはＡＣＫ／ＮＡＣＫされない場合には、ビットマップを含むグループＡＣＫ／ＮＡＣＫ（例えば、図１０乃至１２において見られる。）よりも短くなり得る。
【０１４３】
上記の全てのフォーマット（例えば、図１０乃至１３）について、グループＡＣＫ／ＮＡＣＫは、ダウンリンク・データ・チャネル（例えば、ＰＤＳＣＨ）において、ダウンリンク制御情報（ＤＣＩ）において、又はＤＣＩのフォーマットを有さなくてもよい既知の位置でのフィードバック・チャネルにおいて、送信されてよい。
【０１４４】
グループＡＣＫ／ＮＡＣＫがグループ共通ＤＣＩにおいて送信される実施形態で、グループＩＤは、予め定義されるか又は信号により伝えられ、ＤＣＩは、グループＩＤ（ＧＦ＿ｇｒｏｕｐ＿ＲＮＴＩ）によって定義された探索空間において送信される。ＧＦ＿ｇｒｏｕｐ＿ＲＮＴＩは、上述されたように、時間スロット又はグラントフリー領域について前もって構成されるか又は予め定義され得る。ＤＣＩにおけるＣＲＣフィールドはまた、通常はグループＩＤによりマスクをかけられる。ＤＣＩフォーマットにおける送信の更なる詳細は上述されている。
【０１４５】
グループＡＣＫ／ＮＡＣＫがダウンリンク制御情報（ＤＣＩ）の代わりに、ダウンリンク共有チャネル（例えば、ＰＤＳＣＨ）において送信される実施形態で、グループＡＣＫ／ＮＡＣＫは依然として、例えば、図１０乃至１３に関連して、上述されたフォーマットのいずれも有し得る。いくつかの実施形態で、ダウンリンク制御チャネル（例えば、ＰＤＣＣＨ）は、ダウンリンク共有チャネルにおけるグループＡＣＫ／ＮＡＣＫにおける位置を示してよい。このインジケーションは、スケジューリング・グラントと同じフォーマットを有してよいが、ダウンリンク・データ・チャネルにおいてどこでグループＡＣＫ／ＮＡＣＫを探すべきか、どのような変調がグループＡＣＫ／ＮＡＣＫのために使用されたか、などをグループ内のＵＥに知らせる。いくつかの実施形態で、インジケーションはＤＣＩフォーマットにあり、グループＩＤを用いてマスクをかけられるかスクランブルされたＣＲＣを伴って、グループＩＤ（ＧＦ＿ｇｒｏｕｐ＿ＲＮＴＩ）によって定義された探索空間において送信されてよい。いくつかの実施形態で、インジケーションは、グループ内のＵＥに知られるダウンリンク制御チャネルにおける固定位置にあってよく、その場合に、グループ内のＵＥは、グループＩＤを用いてダウンリンク制御チャネル内の探索エリアを探索する必要がない。
【０１４６】
いくつかの実施形態で、ダウンリンク・データ・チャネルにおけるグループＡＣＫ／ＮＡＣＫは、グループ内のＵＥについての他の情報、例えば、グループ内のＵＥの１つ以上へ送信されるべきダウンリンク・データ、を含んでよい。
【０１４７】
いくつかの実施形態で、グループＡＣＫ／ＮＡＣＫは、時間スロット（サブフレーム）若しくはグラントフリーの伝送リソース又はそれら２つの組み合わせに対して固定された時間−周波数位置で送信されてよい。グループＡＣＫ／ＮＡＣＫは依然として、例えば、図１０乃至１３に関連して、上述されたフォーマットのいずれも有し得る。フィードバック情報を運ぶフィードバック・チャネルは、必ずしもＤＣＩになくてもよい。グループＩＤによって定義された探索空間を有することは必要でなくてもよく、ＣＲＣは、グループＩＤによってマスクをかけられる必要があってもなくてもよい。
【０１４８】
いくつかの実施形態で、グループ共通ＤＣＩを通じて送信されるグループＡＣＫ／ＮＡＣＫは、ＰＨＩＣＨ様チャネルの場合と同様に、ＡＣＫ／ＮＡＣＫされるグラントフリーのアップリンク伝送を送るために使用されたグラントフリーのアップリンク・リソースのタイミングとの固定されたタイミング関係を有してよい。例えば、ＵＥのグループがサブフレーム（又はＴＴＩ）ｗにおいてグラントフリーのアップリンク伝送を送る場合に、そのグラントフリーのアップリンク伝送のためのグループＡＣＫ／ＮＡＣＫは、サブフレーム（又はＴＴＩ）ｗ＋ｋのＤＣＩにおいて送られる。しかし、いくつかの実施形態では、グループＡＣＫ／ＮＡＣＫは必ずしも、グラントフリーのリソースとの固定されたタイミング関係を有さなくてもよい。ＨＡＲＱプロセスＩＤ又は何らかの同様のインジケーションがＤＣＩにおいて含まれる実施形態では、ＵＥは、ＤＣＩのタイミングの代わりに、どのトランスポート・ブロック（又はパケット）がＨＡＲＱプロセスＩＤによって肯定応答されるかを識別することが可能であってよい。いくつかの実施形態で、グループ共通ＤＣＩを使用するグループＡＣＫ／ＮＡＣＫは、連続した繰り返しの終了のために使用されてよい。この場合に、任意のタイミングで送信されるＤＣＩをサポートすることは、有利であり得る。
【０１４９】
いくつかの実施形態で、グループＡＣＫ／ＮＡＣＫは、明示的又は暗黙的にＨＡＲＱプロセス番号（あるいは、ＨＡＲＱプロセスＩＤ、又はＨＡＲＱプロセス番号若しくはトランスポート・ブロック（ＴＢ）インデックスを識別する何らかの属性、例えば、ＭＡシグニチャのインデックス若しくはグラントフリーのアクセス領域のインデックス又は両方の組み合わせ）を含んでよく、これは、送信される複数のＴＢが存在する場合に、グループＡＣＫ／ＮＡＣＫがどのＴＢのために使用されるかを特定するために使用される。ＨＡＲＱ  ＩＤを含むフォーマットのいくつかは上述されている。ＨＡＲＱプロセスＩＤは、グラントフリーのアップリンク伝送において基地局へ暗黙的又は明示的に信号伝送され得る。暗黙的シグナリングの例は、ＨＡＲＱプロセスＩＤが、ＵＥによって使用されるＭＡシグニチャに基づき、基地局に識別可能である場合である。ＭＡシグニチャは、基準信号又はコードブック／シグニチャ／シーケンスであるか、あるいは、多重アクセス（ＭＡ）スキーム又は上記の何らかの他の属性のために使用され得る。例えば、ＭＡスキームが、２つのＴＢ（２つのＨＡＲＱプロセスに対応。）を送信するために２つの異なるコードブックを使用する場合。基地局は、アクティビティ検出を通じてコードブックを識別する。次いで、基地局は、グループＡＣＫ／ＮＡＣＫが対象とするＴＢを特定する、グループＡＣＫ／ＮＡＣＫにおけるコードブック・インデックス又は対応するＨＡＲＱプロセス・インデックスを示してよい。いくつかの実施形態で、ＨＡＲＱプロセスＩＤは、異なるグラントフリーのアクセス領域を通じて暗黙的に識別されることが可能であり得る。例えば、ＵＥが、１時間スロットにおいて２つのグラントフリーのアクセス領域にアクセスすることが可能であるよう構成される場合。ＵＥは、２つの異なるＨＡＲＱプロセスに対応する２つのＴＢを送信してよい。グループＡＣＫ／ＮＡＣＫフィードバックにおいて、グラント・アクセス領域インデックス又はＨＡＲＱプロセスＩＤは、グループＡＣＫ／ＮＡＣＫフィードバックがどのＴＢを対象とするかをＵＥが識別することができるように、暗黙的又は明示的に示され得る。明示的シグナリングの例は、ＨＡＲＱプロセスＩＤを示すグラントフリーのアップリンク・メッセージ内のフィールドを有することである。ＨＡＲＱ  ＩＤは、よりロバストに保護され得、それにより、基地局は、それがデータを成功裏に復号することができないかもしれない場合でさえ、それを識別することができる。
【０１５０】
いくつかのシナリオで、グループＡＣＫ／ＮＡＣＫは、１つのＵＥについて１つのＡＣＫ／ＮＡＣＫしか含まなくてよい。この場合に、本開示で記載される全てのグループＡＣＫ／ＮＡＣＫシグナリング方法及びフォーマットは、グループ内のＵＥの数が１であるか又はＡＣＫ／ＮＡＣＫが１つのＵＥを対象としているときに、個別的ＡＣＫ／ＮＡＣＫのために適用可能であり得る。一例として、グループ内のＵＥの数が１である場合に、ＨＡＲＱフィードバックは、グループ共通ＤＣＩとは対照的に、ＵＥ特有のＤＣＩにおいて送られ得る。グループＲＮＴＩはＧＦ  Ｃ−ＲＮＴＩになることができ、ＨＡＲＱフィードバックのためのＤＣＩにマスクをかけるために使用され、ＵＥ特有のＲＲＣシグナリングにおいて構成されるか、又はグラントフリーの伝送リソース、例えば、グラントフリー伝送の少なくとも時間及び周波数リソースに基づき導出され得る。ＵＥ特有のＤＣＩは、夫々のＨＡＲＱプロセスに対応するがただ１つのＵＥについてのＡＣＫ／ＮＡＣＫビットを含んでよい。この場合に、ＵＥ特有のＤＣＩは、各ビットがＵＥの各々のＨＡＲＱプロセスのためのＡＣＫ又はＮＡＣＫを示すビットマップを含んでよい。各ビットの位置／ポジションは、対応するＨＡＲＱプロセス（又はＨＡＲＱプロセスＩＤ）に関して予め定義されたマッピングを有し得る。
【０１５１】
いくつかの実施形態で、グループＡＣＫ／ＮＡＣＫは、ＣＲＣによって保護された単一のＡＣＫ／ＮＡＣＫペイロードを含んでよい。ペイロードは、ＡＣＫ／ＮＡＣＫされているアップリンク伝送に対応する全てのＵＥ  ＩＤ又はＭＡシグニチャのアグリゲーションを含んでよい。グラントフリーのアップリンク伝送を送った夫々のＵＥは、次いで、一致するＵＥ  ＩＤ又はＭＡシグニチャがグループＡＣＫ／ＮＡＣＫペイロードにおいて見つけられ得るかどうかと、そのグラントフリーのアップリンク伝送が肯定応答されたかどうかとを確認するよう、グループＡＣＫ／ＮＡＣＫを復号する。いくつかの実施形態で、グループＡＣＫ／ＮＡＣＫは、一時的なグループＩＤと関連付けられてよい。グループＩＤは、グラントフリーのリソースから導出され得る。例えば、ＵＥのグループが完全に、グラントフリーのアップリンク伝送を各々送信するためにアップリンク・リソースＣを使用する場合に、ＵＥのそのグループは、アップリンク・リソースＣに対応するグループＩＤと関連付けられてよい。いくつかの実施形態で、ＡＣＫ／ＮＡＣＫがグループＡＣＫ／ＮＡＣＫであることを示す特定の１ビットのフィールドが存在してよく、ＡＣＫ／ＮＡＣＫの時間及び周波数リソースの位置は、グラントフリーの伝送リソースに直接リンクされ、グループＩＤは不要であり得る。いくつかの実施形態で、グループＡＣＫ／ＮＡＣＫを送るためにダウンリンクにおいて予備フィールド（例えば、時間−周波数位置）が存在してよい。予備フィールドの時間−周波数位置は、グラントフリーのアップリンク伝送のために使用されるアップリンクの位置に基づき決定されてよい。例えば、ＵＥのグループが夫々、時間−周波数領域Ａ内でそれらのグラントフリーのアップリンク伝送を送る場合に、グループＡＣＫ／ＮＡＣＫの予備フィールドは、時間−周波数位置Ｂにあってよい。
【０１５２】
本開示で記載される（ダウンリンク制御チャネル若しくはダウンリンク共有チャネル又はあらゆるフィードバック・チャネル全般において送信される）グループＡＣＫ／ＮＡＣＫ及び個別的ＡＣＫ／ＮＡＣＫの全てで、フィードバックにおいて送信される追加情報が存在してよい。フィードバック・コンテンツは、ＬＴＥランダム・アクセスのために使用されるランダム・アクセス応答（ＲＡＲ）メッセージと類似し得る。グループＡＣＫ／ＮＡＣＫでは、複数のエントリが存在してよく、各エントリは、ＵＥのためのフィードバックに対応し、ＭＡシグニチャ・インデックスによってインデックス付けされるか、あるいは、ＭＡシグニチャ・インデックスを明示的に含むかのいずれかである。グループＡＣＫ／ＮＡＣＫが複数のグラントフリーのアクセス領域のフィードバックに対応する場合に、エントリは、グラントフリーのアクセス領域のインデックスとＭＡシグニチャのインデックスとの組み合わせによってインデックス付けされてよい。各エントリは、制限なしに、次のうちの少なくとも１つ又はいくつかを含んでよい：
ａ．アクティビティ検出を通じて識別されるＭＡシグニチャのインデックス、又はＭＡシグニチャのインデックスとグラントフリーのアクセス領域のインデックスとの組み合わせ。  
ｂ．ＵＥが識別される場合のＵＥ  ＩＤ。  
ｃ．フィードバックがどのＴＢに対応するかを特定するＨＡＲＱプロセス番号。時々、ＨＡＲＱプロセス番号を特定する属性（例えば、ＭＡシグニチャのインデックス、ＨＡＲＱプロセス番号を特定するコードブック・インデックス）が代わりに含まれる。時々、ＨＡＲＱプロセス番号は、明示的に含まれなくてもよく、他の属性から導出され得る。  
ｄ．タイミング・アドバンス（ＴＡ）信号、又はＴＡが最初のグラントフリー伝送において推定される場合に、アップリンク同期のためにアップリンク・タイミングを調整するために使用されるタイミング情報（例えば、ＴＡ推定のためにプリアンブル又はＲＳを使用する。）。  
ｅ．一時的な身元、例えば、ＵＥとネットワークとの間の更なる通信のために使用される、ＬＴＥ  ＲＡＲメッセージにおいて割り当てられるものと類似したＴＣ−ＲＮＴＩ。  
ｆ．ＵＥが続く送信又は再送のために使用する時間−周波数リソース、ＭＣＳ、基準信号、ＭＡシグニチャ、などを含むリソースを示すスケジューリング・グラント。  
ｇ．続く送信／再送のためのリソース・ホッピング・パターン及び／又はＲＶホッピング・パターン、及び／又はＭＡシグニチャ・ホッピング・パターン。  
ｈ．ＡＣＫ又はＮＡＣＫであるかどうかを示す明示的又は暗黙的な信号、及び任意に、アクティビティ検出がＭＡシグニチャを成功裏に検出するかどうかを示す信号。
【０１５３】
上記の追加情報はまた、個別的ＤＣＩ、個別的制御チャネル又は個別的ダウンリンク共有チャネル（ＰＤＳＣＨ）を通じて個別的ＡＣＫ／ＮＡＣＫのためにも使用されてよい。
【０１５４】
図１４は、一実施形態に従って、基地局１００及びＵＥ１０２ａによって実行される方法を表す。ステップ４５２で、基地局１００は、ＵＥ１０２ａを、グループを他のグループから区別する対応するＧＦ＿ｇｒｏｕｐ＿ＲＮＴＩを有しているグループに割り当てる。ステップ４５３で、基地局１００は、グループにおけるＵＥ１０２ａのポジション・インデックスを決定する。ステップ４５４で、基地局１００は、ＵＥ１０２ａに割り当てられたＧＦ＿ｇｒｏｕｐ＿ＲＮＴＩ及びポジション・インデックスをＵＥ１０２ａへ送信し、それらは、ステップ４５５でＵＥ１０２ａによって受信される。ステップ４５６で、ＵＥ１０２ａは、ＭＡシグニチャを用いてグラントフリーのアップリンク・メッセージを送信し、それは、ステップ４５７で基地局１００によって受信される。ステップ４５８で、基地局は、アクティビティ検出を実行し、データを復号しようと試みる。ステップ４５９で、基地局１００は、グループＡＣＫ／ＮＡＣＫにおいてＵＥ１０２ａのためのＡＣＫ又はＮＡＣＫを送る。グループＡＣＫ／ＮＡＣＫはＤＣＩ上で送られる。ステップ４６０で、ＵＥ１０２ａは、ＧＦ＿ｇｒｏｕｐ＿ＲＮＴＩによって定義された探索空間においてグループＡＣＫ／ＮＡＣＫを探す。ステップ４６１で、ＵＥ１０２ａは、グループＡＣＫ／ＮＡＣＫを取得し、ＵＥ１０２ａのポジション・インデックスでそのＡＣＫ／ＮＡＣＫを読み出す。
【０１５５】
図１５は、一実施形態に従って、基地局１００並びにＵＥ１０２ａ及び１０２ｂによって実行される方法である。ステップ４６２で、ＵＥ１０２ａは、グラントフリーのアップリンク伝送を基地局１００へ送り、それは、ステップ４６４で基地局１００によって受信される。ステップ４６６で、ＵＥ１０２ｂも、グラントフリーのアップリンク伝送を基地局１００へ送り、それは、ステップ４６８で受信される。ステップ４６３及び４６４は、ステップ４６６及び４６８と並行して起こってよい。ステップ４７０で、基地局１００は、上記のフォーマットのうちのいずれか１つを有し得るグループＡＣＫ／ＮＡＣＫをＵＥ１０２ａ及び１０２ｂへ送る。グループＡＣＫ／ＮＡＣＫは、ステップ４７２でＵＥ１０２ａ及び１０２ｂの両方によって受信される。いくつかの実施形態で、グループＡＣＫ／ＮＡＣＫは、時間スロット、ＴＴＩ、又はサブフレームのブロックに及ぶ特定の時間ウィンドウ内で受信された全てのＵＥパケットに肯定応答してよい。そのようなグループＡＣＫ／ＮＡＣＫは、“非同期”グループＡＣＫ／ＮＡＣＫと呼ばれる。非同期グループＡＣＫ／ＮＡＣＫは、予め定義された位置にあるか、又はシステム情報ブロック（ＳＩＢ）において定義されるか、又はＲＲＣを用いて構成されてよい。
【０１５６】
非同期グループＡＣＫ／ＮＡＣＫは、（例えば、異なるＴＴＩにおいて）同じＵＥによって送られた複数のパケットに肯定応答していてよいので、グループＡＣＫ／ＮＡＣＫにおける各ＡＣＫは、ＵＥ  ＩＤ（又はＵＥを一意に識別する場合には、ＭＡシグニチャ）、及び肯定応答されている特定のパケットを識別する他の情報の両方を用いて識別される。他の情報は、制限なしに：パケットＩＤ；及び／又はパケット到着時間；及び／又はパケットが送られたサブフレーム若しくはリソース／ブロックのような、パケットの位置のインジケーション；及び／又はパケットに含まれるＨＡＲＱプロセスＩＤを含んでよい。非同期グループＡＣＫ／ＮＡＣＫは、制御チャネル、データ・チャネル、又は専用のアクノリッジメント・チャネルにおいて存在してよい。
【０１５７】
非同期グループＡＣＫ／ＮＡＣＫは、図１０乃至１３でグループＡＣＫ／ＮＡＣＫについて記載されたものと同様のフォーマットを有し得る。図１０乃至１２のビットマップ・フォーマットでは、パケットＩＤ、パケット到着時間、サブフレーム番号、グラントフリーのリソースのインデックス、及び／又はＨＡＲＱ  ＩＤの追加は、ＵＥポジション・インデックスに加えられ得る。図１３における集約されたＵＥ  ＩＤのフォーマットでは、パケットＩＤ、パケット到着時間、サブフレーム番号、及び／又はグラントフリーのリソースのインデックスは、単独でフィールドとして又は各ＵＥ  ＩＤの上のフィールドとして又はグループ・インデックスとして加えられ得る。例えば、非同期グループＡＣＫ／ＮＡＣＫは、多数のグループを含んでよく、各グループは、各時間スロットについてグループＡＣＫ／ＮＡＣＫを含む。
【０１５８】
いくつかの実施形態で、非同期グループＡＣＫ／ＮＡＣＫは、前の非同期グループＡＣＫ／ＮＡＣＫが送られてから後に到着した全てのＵＥパケットに肯定応答してよい。
【０１５９】
いくつかの実施形態で、グループＡＣＫ／ＮＡＣＫ（非同期又は否）のペイロードは、順方向誤り訂正（ＦＥＣ）符号及び／又はＣＲＣを用いて符号化される。
【０１６０】
上述されたように、グループＡＣＫ／ＮＡＣＫは、肯定応答される夫々のアップリンク伝送について、ＵＥ識別情報（例えば、ＵＥ  ＩＤ若しくはＭＡシグニチャ）及び／又はパケット識別情報（例えば、パケットＩＤ若しくはパケット到着時間）を含む。いくつかの実施形態で、ＵＥ識別情報及び／又はパケット識別情報は、別々に送信されるか、あるいは、集約されて一緒に保護されてよい。例えば、上述されたように、グループＡＣＫ／ＮＡＣＫは、ＣＲＣによって保護された単一のペイロードであってよい。ＵＥは、グループＡＣＫ／ＮＡＣＫをどこで探すべきかを知る。例えば、ＵＥに知られているグループＡＣＫ／ＮＡＣＫのための専用チャネルが存在してよい。グループＡＣＫ／ＮＡＣＫ位置は、予め構成されるか、半永続的に構成されるか、又は制御チャネルを用いて動的に変更されてよい。
【０１６１】
図１６は、非同期グループＡＣＫ／ＮＡＣＫの例を表す。時間−周波数パーティションが５つの時間スロットに分けられている。第１時間スロットで、いずれの各々のグラントフリーのアップリンク伝送を介して、ＵＥ１は第１パケットを送り、ＵＥ２も第１パケットを送る。第３スロットで、夫々が各々のグラントフリーのアップリンク伝送を介して、ＵＥ１は第２パケットを送り、ＵＥ３は第１パケットを送り、ＵＥ４は第１パケットを送る。第４時間スロットで、ＵＥ５は、グラントフリーのアップリンク伝送において第１パケットを送る。次いで、第５時間スロットの終了後に、基地局は、５つの時間スロットの間に送られたパケットのための非同期グループＡＣＫ／ＮＡＣＫを送る。
【０１６２】
いくつかの実施形態で、グループＡＣＫ／ＮＡＣＫは、ＮＡＣＫも運んでよい。グループＡＣＫ／ＮＡＣＫがＮＡＣＫしか運んでいない（例えば、ＵＥはそれらのデータを成功裏に復号されなかった。）状況で、グループＡＣＫは、グループＮＡＣＫと同義的に呼ばれることがある。
【０１６３】
いくつかの実施形態で、グループＡＣＫ／ＮＡＣＫは、使用されるグラントフリーのリソースとリンクされてよい。すなわち、ＵＥのグループが特定の時間／周波数領域又は位置Ａを使用する場合に、ＵＥのそのグループは、グループＡＣＫ／ＮＡＣＫを探すべき場所を知る。例えば、グループＡＣＫ／ＮＡＣＫは、ダウンリンク・アクノリッジメント・チャネルにおいて時間−周波数位置Ｂにある。
【０１６４】
いくつかの実施形態において、グループＡＣＫ／ＮＡＣＫは、ＵＥアップリンク伝送の時間との固定の関連性を有し得る。例えば、時間Ａでグラントフリーのアップリンク伝送を送る全てのＵＥは、それらの伝送をグループＡＣＫ／ＮＡＣＫでＡＣＫ／ＮＡＣＫされ得る。
【０１６５】
いくつかの実施形態で、非同期グループＡＣＫ／ＮＡＣＫはまた、グループ共通ＤＣＩを通じて送信されてもよい。この場合に、予め定義されたグループＩＤ（例えば、ＧＦ＿ｇｒｏｕｐ＿ＲＮＴＩ）が存在し得る。グループＩＤは、（例えば、フレーム番号及びサブフレーム又は時間スロット番号の関数として）異なった予め定義された位置で変化し得るが、グラントフリーのアップリンク伝送を送るＵＥ及び基地局の両方に知られる。グループ共通ＤＣＩは、グループＩＤによって定義された探索空間で送られてよく、ＣＲＣは、グループＩＤを用いてマスクをかけられてよい。いくつかの実施形態で、非同期グループＡＣＫ／ＮＡＣＫは、ＧＦ＿ｇｒｏｕｐ＿ＲＮＴＩによって構成されるＰＤＣＣＨによって示されたデータ・チャネルにおいて送信されてよい。
【０１６６】
ＡＣＫ／ＮＡＣＫシグナリング方法の例
図１７は、一実施形態に従って、ＵＥ１０２ａ及び基地局１００によって実行される方法である。
【０１６７】
ステップ５０２で、ＵＥ１０２ａは、グラントフリーのアップリンク伝送において基地局へデータを送る。
【０１６８】
ステップ５０４で、基地局は、グラントフリーのアップリンク伝送を受ける。
【０１６９】
ステップ５０６で、基地局は、ＵＥ１０２ａの身元を決定するよう、グラントフリーのアップリンク伝送を処理する。ステップ５０６は、復号されたデータからＵＥ１０２ａのＵＥ  ＩＤを得ることを有してよい。ステップ５０６は、アクティビティ検出の後で、グラントフリーのアップリンク伝送によって用いられたＭＡシグニチャを得ることを代わりに有してもよい。
【０１７０】
ステップ５０８で、基地局１００は、次の方法：専用のダウンリンク・アクノリッジメント・チャネル上でＡＣＫ／ＮＡＣＫを送信すること、又はＵＥ１０２ａのための個別的ＤＣＩにおいてＡＣＫ／ＮＡＣＫを送信すること、又はＤＣＩを介して示されるダウンリンク・データ・チャネルにおけるリソース・パーティションでＡＣＫ／ＮＡＣＫを送信すること、又はグループＡＣＫ／ＮＡＣＫの部分としてＡＣＫ／ＮＡＣＫを送信すること、のうちの１つによりＡＣＫ又はＮＡＣＫをＵＥ１０２ａへ送信する。夫々の方法の詳細は上述されている。
【０１７１】
ステップ５１０で、ＵＥは、ＡＣＫ／ＮＡＣＫを送るために基地局１００によって使用された方法に対応する方法により、ＡＣＫ／ＮＡＣＫを受信する。例えば、ＡＣＫ／ＮＡＣＫが専用のダウンリンク・アクノリッジメント・チャネル上で基地局によって送信された場合に、次いで、ＵＥ１０２ａは、専用のダウンリンク・アクノリッジメント・チャネルからＡＣＫ／ＮＡＣＫを取得する。
【０１７２】
グラントフリーのアップリンク伝送のためのＵＥの構成
ＵＥは、グラントフリーのアップリンク伝送のためにネットワークによって（基地局を介して）構成されてよい。構成は、半静的に変化し得る。
【０１７３】
一実施形態で、構成は、ＲＲＣシグナリングにより実行され、次のパラメータのうちの１つ、いくつか、又は全てをセットすることを含んでよい：
（１）ＵＥがダウンリンク制御チャネルをモニタする必要があるかどうか。グラントベースのアップリンク通信において、ＵＥは、例えば、ＵＥのためのスケジューリング・グラントを受信するために、ＵＥへ送られるＤＣＩのためのダウンリンク制御チャネルを定期的にモニタし得る。しかし、ＵＥがグラントフリーのアップリンク伝送を実行するよう構成されるとき、ＵＥは、それほど頻繁にダウンリンク制御チャネルをモニタしなくてもよく、あるいは、ＵＥは、全くダウンリンク制御チャネルをモニタしなくてもよい。グラントフリーのアップリンク伝送を実行するＵＥが（仮にあったとして）どれくらいの頻度でダウンリンク制御チャネルをモニタする必要があるかは、ネットワークによってセットされ得る。例えば、グラントフリーのアップリンク伝送を実行するＵＥは、Ｔ個のサブフレームごとに一度、ダウンリンク制御チャネルをモニタするよう構成されてよく、ここで、Ｔは、ネットワークによって構成されるパラメータである。
【０１７４】
（２）ＵＥによって実行され得る再送の最大数。例えば、ＵＥは、ＡＣＫが受信されるまで、しかし、最大でＫ回の再送まで、再送を送り続けるよう構成されてよい。Ｋ回の再送が送られ、ＡＣＫが依然として受信され得ない場合には、ＵＥはもはや如何なる再送も送らず、データが基地局によって受信され正しく復号されなかったと見なす。
【０１７５】
（３）グラントフリーのアップリンク伝送及び再送のためにＵＥによってアクセスされ得るリソース、例えば、ＵＥによって使用されるリソース・ホッピング・パターン。いくつかの実施形態で、時間スロットにおける複数のリソース・ホッピング・パターン又は複数のグラントフリーの時間−周波数リソースは、同じＵＥに割り当てられる。ＵＥが送信すべき複数のパケットを有しているか、又はデータ送るために複数のＴＢを必要とする場合に、ＵＥは、異なる時間−周波数リソースにわたって複数のＴＢを送ることを選択してよい。例えば、１つの時間スロットにおける２つのグラントフリーの時間−周波数リソースが同じＵＥに割り当てられる場合に、ＵＥは、１つのＴＢと関連する１つのパケットを送るために１つのグラントフリー領域を、及び他のＴＢを送るために他の領域を使用してよい。夫々のＴＢは、異なるＨＡＲＱプロセスに対応し得る。夫々のＴＢは、独立してその対応するＴＢの送信又は再送であることができる。
【０１７６】
（４）伝送及び再送を送るためにＵＥによって使用されるべき、又は使用され得るＭＡシグニチャ・タプル。例えば、ＵＥは、図４のテーブル３０２における特定の３タプル、又は図５のテーブル３０８における特定の２タプルに割り当てられてよい。割り当ては、同様に、又は代わりに、ＭＡシグニチャ・ホッピング・パターン、例えば、どの基準信号が最初の送信、第１の再送、第２の再送、などのために使用されるべきであるかを示すパターンを含んでよい。
【０１７７】
（５）グラントフリーのアップリンク伝送のためにＵＥによって使用されるＭＣＳ、及び最初の送信の後にＭＣＳが（どれくらいまで）減らされるべきかどうか。例えば、ＭＣＳホッピング・パターンが、グラントフリーのアップリンク伝送のためにＵＥに割り当てられてよい。最初の送信は高いＭＣＳを有してよく、第１の再送はより低いＭＣＳを有してよく、第２の再送はより一層低いＭＣＳを有してよい、など。
【０１７８】
（６）最初の送信の後にＵＥがＡＣＫ及び／又はＮＡＣＫについてモニタする必要があるかどうか、及び専用のアクノリッジメント・チャネルがモニタされる必要があるかどうか。アクノリッジメント・チャネルをモニタする頻度も構成されてよい。同様に、又は代わりに、ＵＥは、上記の様々なオプションのうちのどれがＡＣＫ／ＮＡＣＫを送るために使用されるか、例えば、専用のダウンリンク・アクノリッジメント・チャネル、個別的ＤＣＩ、ダウンリンク・データ・チャネル、グループＡＣＫの部分として、及びあらゆる関連する詳細、を知らされてよい。
【０１７９】
代替的に、上記のパラメータのいくつか又は全てが、上位レイヤＲＲＣシグナリングを使用する代わりに、ＤＣＩ情報を介して、示されてよい。ＵＥは、その場合に、ＤＣＩをチェックするよう構成されることになる。ＤＣＩは、ＵＥがグラントフリーのアップリンク伝送を実行することを可能にするリソース構成、例えば、どのリソースを使用すべきかの割り当て、を含んでよい。
【０１８０】
先に（１）乃至（６）で述べられていないが、ＤＣＩを介して構成され得る他のパラメータは、以下である：
（７）グラントフリーのアップリンク伝送のために使用されるサブフレーム内のリソース。一例として、ＤＣＩは、ＵＥがグラントフリーのアップリンク伝送を送ることを許可されるサブフレームにおける第１リソース・ブロック位置を示し得る。いくつかの実施形態で、例えば、グラントフリーのアップリンク伝送のために使用されるリソースとそのリソースを有している対応するホッピング・パターンとの間に既知のマッピングが存在する場合に、サブフレームにおける第１リソース・ブロック位置の知識は、パケットに関する将来の再送のためのリソース・ホッピング・パターンを決定することをＵＥに可能にし得る。
【０１８１】
グラントフリーの繰り返し及びグラントフリーからグラントベースへの切り替え
グラントフリーのアップリンク伝送とグラントベースのアップリンク伝送との間を切り替えることがＵＥにとって有益である状況が存在し得る。
【０１８２】
グラントフリーのアップリンク伝送を受信することに応答してＵＥのためにアップリンク伝送をスケジューリングすることは、“グラントフリーからグラントベースへの切り替え”と呼ばれることがあり、すなわち、グラントフリーのアップリンク伝送がＵＥから受信され、それに応じて、グラントベースのアップリンク伝送が基地局によってそのＵＥのためにスケジューリングされる。グラントフリーからグラントベースへの切り替えは、グラントフリーのアップリンク伝送を送ったＵＥへスケジューリング・グラントを送ることによって行われ得る。
【０１８３】
いくつかの実施形態で、基地局１００は、特定の条件に基づき、グラントフリーからグラントベースへの切り替えを行ってよい。いずれか１つの条件、又は条件のいずれかの組み合わせが、グラントフリーからグラントベースへの切り替えを行うべきかどうかを判定するために基地局１００によって使用され得る。例となる条件は、次を含む：
（Ａ）グラントフリー・メッセージは、ＵＥが送るべきデータ（又は更なるデータ）を有していることを示すバッファ・ステータス・リポートを含む。それに応じて、基地局１００は、グラントフリーからグラントベースへの切り替えを実行してよい。
且つ／あるいは
（Ｂ）グラントフリー・メッセージ内のデータが復号されることに失敗する。それに応じて、基地局１００は、グラントフリーからグラントベースへの切り替えを実行してよい。
且つ／あるいは
（Ｃ）レイテンシ要件。ＵＥがそのレイテンシ境界に近い場合に、基地局１００は、グラントフリーからグラントベースへの切り替えを実行してよい。さもなければ、基地局１００は切り替えを実行しなくてよく、その場合に、基地局１００は、スケジューリング・グラントなしでただＡＣＫ又はＮＡＣＫを送ればよく、あるいは、基地局１００は、何も送らなくてもよい。ＵＥによる如何なるその後の送信（又は再送）も、その場合に、グラントフリーのアップリンク伝送を介して送られ得る。より一般的には、レイテンシ要件にかかわらず、ＵＥのためのグラントフリーからグラントベースへの切り替えが実行されるべきでないと基地局１００が決定する場合には、そのＵＥはグラントフリーの送信／再送を続け得る。
且つ／あるいは
（Ｄ）送信の数。例えば、ＵＥがグラントフリーのアップリンク伝送を介してデータの複数回（例えば、３回）の再送を送っており、基地局によるデータの復号化が依然として失敗する場合には、基地局は、次の再送のためのスケジューリング・グラントを送ることによって、グラントフリーからグラントベースへの切り替えを実行してよい。いくつかの実施形態で、再送の回数は、基準信号識別（例えば、再送において使用される基準信号）によって、又はグラントフリーのアップリンク伝送においてＵＥによって送られた別個のインジケータによって、決定されてよい。
且つ／あるいは
（Ｅ）ＵＥは、ＵＥの既知の環境又は要件（例えば、ＵＥのレイテンシ要件、トラフィック負荷、チャネル条件、など）に基づき、ＵＥがグラントベースのアップリンク伝送へ切り替えることを望むかどうかを示すインジケータを送ってよい。基地局１００は、ＵＥがグラントベースのアップリンク伝送へ切り替えたいという望みを示す場合に、グラントフリーからグラントベースへの切り替えを実行してよい。
且つ／あるいは
（Ｆ）グラントフリーＵＥのトラフィック負荷、例えば、現在又は先般のサブフレームに到達するグラントフリーＵＥの数。グラントフリーのアップリンク伝送の数、及び／又はグラントフリーのアップリンク伝送を送ることを許可されているＵＥの数が特定の閾値を超える場合に、それに応じて、グラントフリーからグラントベースへの切り替えが、１つ以上のＵＥのために実行されてよい。
且つ／あるいは
（Ｇ）目下検出されているＵＥがグラントフリー伝送モードで動作することからの潜在的な将来のコリジョンが存在する場合に、グラントフリーからグラントベースへの切り替えが、潜在的な将来のコリジョンを回避しようとするために実行されてよい。
且つ／あるいは
（Ｈ）クオリティ・オブ・サービス（ＱｏＳ）要件。グラントフリーのアップリンク伝送を送るＵＥのＱｏＳ要件に応じて、グラントフリーからグラントベースへの切り替えがそのＵＥのために実行されてよい。
【０１８４】
いくつかの実施形態で、ＤＣＩ及びグラントフリーからグラントベースへの切り替えのためのスケジューリング情報は、次の情報のいくつか又は全ても含んでよい：
（ｉ）許可されたアップリンク伝送の後にＵＥがグラントフリーのアップリンク伝送を介して更なるアップリンク伝送／再送を送るべきかどうか、又はＵＥがグラントベース／モードを続ける、すなわち、更なるアップリンク伝送／再送を送る前に将来のグラントを待つべきかどうかを示すインジケータ。一実施形態で、インジケータは、デフォルトで“真”である値であってよい。“真”の値は、ＡＣＫが受信されるまで（又は再送の最大数Ｋが到達されるまで）、許可されたアップリンク伝送の後に送られた如何なる再送もグラントフリーのアップリンク伝送を介して送られるべきであり、且つ、ＡＣＫ／ＮＡＣＫを待たずに続けるべきであることをＵＥに示す。“偽”の値は、許可されたアップリンク伝送の後に送られた如何なる再送もグラントベースのアップリンク伝送を介して送られるべきであることをＵＥに示す。
且つ／あるいは
（ｉｉ）グラントが単一の許可されたアップリンク伝送のためであるかどうか、又はＵＥが複数の送信、例えば、複数の再送を実行することを許可されているかどうかを示すインジケータ。ＵＥが複数の送信を実行することを許可されている場合に、インジケータは、次の１つ、いくつか、又は全てを示してよい：（ａ）再送の最大数Ｋ（例えば、上記の項目（２））；並びに／又は（ｂ）最初の送信のためのリソース・ブロック割り当て（例えば、上記の項目（７））及び／若しくはリソース・ホッピング・パターン；並びに／又は（ｃ）最初の送信のためのＭＡシグニチャ及び／若しくはＭＡシグニチャ・ホッピング・パターン（例えば、上記の項目（４））；並びに／又は（ｄ）最初の送信のためのＭＣＳ若しくはＭＣＳホッピング・パターン（例えば、上記の項目（５））。
【０１８５】
項目（ｉ）及び（ｉｉ）はまた、ＤＣＩ及び／又は、グラントフリーからグラントベースへの切り替えでない許可されたアップリンク通信のためのスケジューリング情報に含まれてもよい。例えば、ＵＥは、グラントベース・モードで動作し得るが、上記の（ｉ）及び（ｉｉ）におけるインジケータは、引き続きの挙動のためにＵＥを構成するよう、許可されたアップリンク通信の一部又は全てのためのＤＣＩ及び／又はスケジューリング情報にも含まれてよい。
【０１８６】
いくつかの実施形態で、ＵＥ１０２ａは、（例えば、パケットの）トランスポート・ブロック（ＴＢ）の最初の送信を送り、次いで、続くグラントフリーのアップリンク伝送を介してＴＢの再送を自動的に実行するよう構成されてよい。自動のグラントフリー再送は、ＴＢの連続的な繰り返しの実行と呼ばれることがある。すなわち、ＴＢの最初のアップリンク伝送が実行され、その後に、続くグラントフリーのアップリンク伝送を使用したＴＢの連続的な繰り返しが続いてよい。最初の伝送は、グラントフリーであっても、又は許可されていてもよい。
【０１８７】
いくつかの実施形態で、ＴＢの繰り返しは、異なる冗長バージョン、例えば、第１の繰り返しのためのＲＶ１、第２の繰り返しのためのＲＶ２、などを使用してよい。しかし、冗長バージョンは異なる必要がない。いくつかの実施形態で、ＴＢの繰り返しは、異なるＭＣＳを使用してよく、例えば、最初の送信は高いＭＣＳを有してよく、第１の繰り返しはより低いＭＣＳを有してよく、第２の繰り返しはより一層低いＭＣＳを有してよい、など。しかし、異なる繰り返しのＭＣＳは、異なる必要がない。
【０１８８】
いくつかの実施形態で、繰り返しは、予め構成されたリソース又は予め構成されたホッピング・パターンで実行されてよい。例えば、最初の送信を送るためにＵＥ１０２ａによって使用されるグラントフリーのリソースに基づき、最初の送信に関連した如何なる繰り返しも送るために前もって予め決定された固定の将来のリソースが存在してよい。例えば、最初のグラントフリー伝送が第１ＴＴＩにおいて時間−周波数位置Ａを使用する場合に、第１の繰り返しは、次のＴＴＩにおいて時間−周波数位置Ｂで送られるべきであり、第２の繰り返しは、続くＴＴＩにおいて時間−周波数位置Ｃで送られるべきである、など。
【０１８９】
連続した繰り返しは、以下の条件のうちの少なくとも１つが満足されるまで、ＵＥ１０２ａによって実行されてよい：
（１）基地局１００がＴＢを成功裏に受信及び復号したことを示すメッセージが、基地局１００から受信される。メッセージはＡＣＫであってよく、あるいは、ＴＢが成功裏に復号されたことをメッセージが承認しているということで、少なくとも、ここでは“ＡＣＫ”と呼ばれる。ＡＣＫは、上記のフォーマットのうちのいずれか１つを有してよい（例えば、専用のダウンリンク・アクノリッジメント・チャネルにおいて送られる、個別的ＤＣＩとして送られる、データ・チャネルにおいて送られる、図１０〜１３のフォーマットのいずれかを有するグループＡＣＫ／ＮＡＣＫの部分として送られる、など）。いくつかの実施形態で、ＡＣＫは、ＵＥ１０２ａが１つ以上の更なるＴＢを送るためのグラントを含んでよい。グラントがＡＣＫの部分として含まれる場合に、ＡＣＫは、実際には、明示的に含まれる必要がない。すなわち、ＵＥ１０２ａがグラントフリーのアップリンク伝送において第１ＴＢを送り、それに応じて、ＵＥ１０２ａが１つ以上の更なるＴＢを送るためのグラントを受ける場合に、ＵＥ１０２ａは、第１ＴＢが基地局１００によって成功裏に復号されたと考える。ＡＣＫは、ＵＥ１０２ａが更なるＴＢを送るためのグラントを受け取ったという事実に基づいて暗黙的である。いくつかの実施形態で、ＴＢの成功した受信のアクノリッジメント／インジケーションは、基地局からのＵＬグラントにある。上述されたように、ＡＣＫフィードバックは、送信される複数のＴＢが存在する場合にＡＣＫがどのＴＢに向けられているかを特定するために使用されるＨＡＲＱプロセス番号（あるいは、ＨＡＲＱプロセスＩＤ、又はＨＡＲＱプロセス番号若しくはＴＢインデックスを識別する何らかの属性、例えば、ＭＡシグニチャのインデックス若しくはグラントフリーのアクセス領域のインデックス又は両方の組み合わせ）を含んでよい。ＨＡＲＱプロセスＩＤは、グラントフリーのアップリンク伝送において基地局へ暗黙的又は明示的に信号により伝えられてよい。暗黙的シグナリングの例は、ＨＡＲＱプロセスＩＤが、ＵＥによって使用されるＭＡシグニチャに基づき、基地局に識別可能である場合である。ＭＡシグニチャは、多重アクセス（ＭＡ）スキーム又は上記の何らかの他の属性のために使用される基準信号又はコードブック／シグニチャ／シーケンスであることができる。例えば、ＭＡスキームが、２つのＴＢ（２つのＨＡＲＱプロセスに対応。）を送信するために２つの異なるコードブックを使用する場合。基地局は、アクティビティ検出を通じてコードブックを識別する。次いで、基地局は、ＡＣＫが対象とするＴＢを特定する、グラントにおけるコードブック・インデックス又は対応するＨＡＲＱプロセス・インデックスを示してよい。いくつかの実施形態で、ＨＡＲＱプロセスＩＤは、異なるグラントフリーのアクセス領域を通じて暗黙的に識別されることが可能であり得る。例えば、ＵＥが、１時間スロットにおいて２つのグラントフリーのアクセス領域にアクセスすることが可能であるよう構成される場合。ＵＥは、２つの異なるＨＡＲＱプロセスに対応する２つのＴＢを送信してよい。ＵＬグラントにおいて、グラント・アクセス領域インデックス又はＨＡＲＱプロセスＩＤは、ＡＣＫがどのＴＢを対象とするかをＵＥが識別することができるように、暗黙的又は明示的に示され得る。明示的シグナリングの例は、ＨＡＲＱプロセスＩＤを示すグラントフリーのアップリンク・メッセージ内のフィールドを有することである。ＨＡＲＱ  ＩＤは、よりロバストに保護され得、それにより、基地局は、それがデータを成功裏に復号することができないかもしれない場合でさえ、それを識別することができる。
且つ／あるいは
（２）ＴＢの繰り返しの数がＫに達する。すなわち、ＵＥ１０２ａがＫ回の再送を実行しており、ＡＣＫが依然として基地局１００から受信されない場合に、ＵＥ１０２ａは、ＴＢを基地局１００へ送ろうとすることをあきらめる。いくつかの実施形態で、Ｋは、基地局１００によって半静的に構成され、それにより、基地局１００／ネットワークは、時間にわたってＫを調整することができる。
且つ／あるいは
（３）グラントが、グラントフリーからグラントベースへの切り替えを実行する基地局から受信される。すなわち、基地局１００は、再送の１つ以上を実行するようＵＥ１０２ａへグラントを送る。アップリンク・グラントがＴＢのスロット／ミニスロットについて成功裏に受信される場合に、アップリンク・グラント割り当ては、そのＴＢのそのスロット／ミニスロットについてのグラントフリー割り当てを無効にし、そして、ＵＥの送信／再送は、そのＴＢのそのスロット／ミニスロットについてのアップリンク・グラントに従う。上述されたように、グラントは、送信される複数のＴＢが存在する場合にグラントがどのＴＢに向けられているかを特定するために使用されるＨＡＲＱプロセス番号（あるいは、ＨＡＲＱプロセスＩＤ、又はＨＡＲＱプロセス番号若しくはＴＢインデックスを識別する何らかの属性、例えば、ＭＡシグニチャのインデックス若しくはグラントフリーのアクセス領域のインデックス又は両方の組み合わせ）を含んでよい。ＨＡＲＱプロセスＩＤは、グラントフリーのアップリンク伝送において基地局へ暗黙的又は明示的に信号により伝えられてよい。暗黙的シグナリングの例は、ＨＡＲＱプロセスＩＤが、ＵＥによって使用されるＭＡシグニチャに基づき、基地局に識別可能である場合である。ＭＡシグニチャは、多重アクセス（ＭＡ）スキーム又は上記の何らかの他の属性のために使用されるＲＳ又はコードブック／シグニチャ／シーケンスであることができる。例えば、ＭＡスキームが、２つのＴＢ（２つのＨＡＲＱプロセスに対応。）を送信するために２つの異なるコードブックを使用する場合。基地局は、アクティビティ検出を通じてコードブックを識別する。次いで、基地局は、グラントが対象とするＴＢを特定する、グラントにおけるコードブック・インデックス又は対応するＨＡＲＱプロセス・インデックスを示してよい。いくつかの実施形態で、ＨＡＲＱプロセスＩＤは、異なるグラントフリーのアクセス領域を通じて暗黙的に識別されることが可能であり得る。例えば、ＵＥが、１時間スロットにおいて２つのグラントフリーのアクセス領域にアクセスすることが可能であるよう構成される場合。ＵＥは、２つの異なるＨＡＲＱプロセスに対応する２つのＴＢを送信してよい。ＵＬグラントにおいて、グラント・アクセス領域インデックス又はＨＡＲＱプロセスＩＤは、グラントがどのＴＢを対象とするかをＵＥが識別することができるように、暗黙的又は明示的に示され得る。明示的シグナリングの例は、ＨＡＲＱプロセスＩＤを示すグラントフリーのアップリンク・メッセージ内のフィールドを有することである。ＨＡＲＱ  ＩＤは、よりロバストに保護され得、それにより、基地局は、それがデータを成功裏に復号することができないかもしれない場合でさえ、それを識別することができる。これは、グラントフリー割り当てがミニスロットに基づくスロット（逆もまた同様）に基づきアップリンク・グラントがスケジューリングされると仮定しない点に留意されたい。
【０１９０】
上述されたように、いくつかの実施形態で、グラントフリーからグラントベースへの切り替えは、最初の送信がグラントフリーのアップリンク伝送を介して送られた後に再送を許可するよう起こり得る。例えば、ＵＥ１０２ａは最初の送信を送ってよく、それに応じて、基地局１００は成功したアクティビティ検出を実行し得るが、最初の送信におけるデータを復号することには失敗する。基地局１００は、そのため、１つ以上の再送を送るようＵＥ１０２ａへグラントを送る。
【０１９１】
いくつかの実施形態で、再送のためのアップリンク・グラントが時間スロットｎで受け取られ、グラントが時間スロットｎ＋ｋ（ここで、ｋ≧０）での再送の許可を示す場合に、ＵＥ１０２ａは２つのオプションを有している：
（１）ｋ＞１の場合に、ＵＥ１０２ａは、スロットｎ＋１からスロットｎ＋ｋ−１までの連続したグラントフリーの繰り返しを実行し、次いで、スロットｎ＋ｋでグラントベースの再送へ切り替わる。ｋ＝１の場合に、ＵＥ１０２ａは、次のスロットｎ＋１でグラントベースの再送を実行することになる。
あるいは
（２）ｋ＞１の場合に、ＵＥ１０２ａは、スロットｎの後にグラントフリーの繰り返しを実行することを止め（すなわち、時間スロットｎ＋１又は如何なるその後の時間スロットでもグラントフリーの繰り返しを実行しない。）、ＵＥ１０２ａは、グラントに従ってグラントベースの再送を実行することをスロットｎ＋ｋまで待つ。ｋ＝１の場合に、ＵＥ１０２ａは、次のスロットｎ＋１でグラントベースの再送を実行することになる。
【０１９２】
図１８は、一実施形態に従って、基地局１００及びＵＥ１０２ａによって実行される方法である。ステップ５５２で、ＵＥ１０２ａは、グラントフリーのアップリンク・リソース上で、ＭＡシグニチャを利用してＴＢの最初のグラントフリー伝送を送る。ステップ５５４で、基地局１００はアップリンク伝送を受ける。ステップ５５６で、基地局１００は、ＭＡシグニチャを識別するようアクティビティ検出を成功裏に実行するが、基地局１００は、ＴＢにおけるデータを成功裏に復号することができない。ステップ５５８で、基地局１００は、そのため、グラントをＵＥ１０２ａへ送る。グラントは、後の時間スロットｎ＋ｋでのＴＢの再送をスケジューリングする。ステップ５６０で、グラントは、時間スロットｎでＵＥ１０２ａによって受信される。ステップ５６２で、ＵＥ１０２ａは、許可された再送を送り、再送はステップ５６４で基地局１００によって受信される。一実施形態で、ステップ５６０から５６２の間に、ＵＥ１０２ａは、例えば、スロットｎ＋１からスロットｎ＋ｋ−１まで、ＴＢについての連続したグラントフリーの繰り返しを実行する。他の実施形態では、ステップ５６０の後、ＵＥ１０２ａは、ＴＢの如何なるグラントフリーの繰り返しも送らず、代わりに待機し、ステップ５６２で、許可された再送のみを送る。
【０１９３】
図１９は、一実施形態に従って、ＵＥ１０２ａによって実行される方法である。
【０１９４】
ステップ６０２で、ＵＥ１０２ａは、１つ以上のグラントフリーのアップリンク通信のためのパラメータを構成するメッセージを基地局１００から受ける。
【０１９５】
ステップ６０４で、ＵＥ１０２ａは、パラメータを取得するようメッセージを復号する。パラメータは：ＵＥがダウンリンク制御チャネルをどれくらいの頻度でモニタする及び／若しくはモニタすべきかどうか；並びに／又はＵＥによって実行され得る再送の最大数；並びに／又はグラントフリーのアップリンク伝送及び再送のためにＵＥによってアクセスされ得るリソース；並びに／又はＵＥによって使用されるべき少なくとも１つのＭＡシグニチャ；並びに／又はＵＥによって使用されるＭＣＳ；並びに／又は最初の送信後にＵＥがＡＣＫ及び／若しくはＮＡＣＫについてモニタする必要があるかどうか、及び／若しくは専用のアクノリッジメント・チャネルがモニタされる必要があるかどうか；並びに／又はグラントフリーのアップリンク伝送のために使用されるサブフレーム内のリソース、を含む。
【０１９６】
ＨＡＲＱフィードバック
多数の異なるＨＡＲＱフィードバック・シナリオが、グラントフリーのアップリンク伝送のために先に与えられている。以下は、連続した繰り返しがあろうとなかろうと、あるいは、グラントフリーのアップリンク伝送が最初の送信であろうと再送であろうと、上記のシナリオの全てに当てはまる。
【０１９７】
ＴＢは、グラントフリーのアップリンク伝送を用いてＵＥ１０２ａから基地局１００へ送られる。それに応じて、グラントフリーのアップリンク伝送のためのＨＡＲＱフィードバック（例えば、ＡＣＫ／ＮＡＣＫ、グラント、など）が基地局１００によってＵＥ１０２ａへ供給される。いくつかの実施形態で、ＴＢの成功した受信のアクノリッジメント／インジケーション（例えば、ＡＣＫ）は、基地局１００からのアップリンク・グラントの形をとる。上述されたように、いくつかの実施形態で、ＡＣＫ／ＮＡＣＫフィードバックは、送信される複数のＴＢが存在する場合にＡＣＫ／ＮＡＣＫがどのＴＢに向けられているかを特定するために使用されるＨＡＲＱプロセス番号（あるいは、ＨＡＲＱプロセスＩＤ、又はＨＡＲＱプロセス番号若しくはＴＢインデックスを識別する何らかの属性、例えば、ＭＡシグニチャのインデックス若しくはグラントフリーのアクセス領域のインデックス又は両方の組み合わせ）を含んでよい。ＨＡＲＱプロセスＩＤは、ＵＥ１０２ａからグラントフリーのアップリンク伝送において基地局１００へ暗黙的又は明示的に信号により伝えられてよい。暗黙的シグナリングの例は、ＨＡＲＱプロセスＩＤが、グラントフリーのアップリンク伝送においてＵＥ１０２ａによって使用されたＭＡシグニチャに基づき、基地局１００に識別可能である場合である。ＭＡシグニチャは、多重アクセス（ＭＡ）スキーム又は上記の何らかの他の属性のために使用される基準信号又はコードブック／シグニチャ／シーケンスであってよい。例えば、ＭＡスキームが、２つのＴＢ（２つのＨＡＲＱプロセスに対応。）を送信するために２つの異なるコードブックを使用する場合。基地局１００は、アクティビティ検出を通じてコードブックを識別する。次いで、基地局１００は、ＡＣＫが対象とするＴＢを特定する、そのグラントにおけるコードブック・インデックス又は対応するＨＡＲＱプロセス・インデックスを示してよい。いくつかの実施形態で、ＨＡＲＱプロセスＩＤは、異なるグラントフリーのアクセス領域を通じて基地局１００によって暗黙的に識別されることが可能であり得る。例えば、ＵＥ１０２ａが、１時間スロットにおいて２つのグラントフリーのアクセス領域にアクセスすることが可能であるよう構成される場合。ＵＥ１０２ａは、２つの異なるＨＡＲＱプロセスに対応する２つのＴＢを送信してよい。基地局１００からのアップリンク・グラントにおいて、グラント・アクセス領域インデックス又はＨＡＲＱプロセスＩＤは、ＡＣＫがどのＴＢを対象とするかをＵＥ１０２ａが識別することができるように、暗黙的又は明示的に示され得る。明示的シグナリングの例は、ＨＡＲＱプロセスＩＤを示すグラントフリーのアップリンク・メッセージ内のフィールドを有することである。ＨＡＲＱ  ＩＤは、よりロバストに保護され得、それにより、基地局１００は、それがデータを成功裏に復号することができないかもしれない場合でさえ、それを識別することができる。
【０１９８】
全てのＨＡＲＱフィードバック（ＡＣＫ／ＮＡＣＫ及び／又はグラント）シグナリングについて、ＵＥの連続したグラントフリーの繰り返しは、Ｋ回の繰り返しを終える前に、任意に、グラントによって早期に停止されるか、あるいは、任意に、ＡＣＫによって早期に停止されてよい。例えば、ＵＥがＫ回の繰り返しの間にＡＣＫを受信した場合に、ＵＥは、繰り返しの数がＫに達していないならば、更なる繰り返しを中止してよい。いくつかの他のシナリオでは、ＵＥは、繰り返しがＫ回に達するか、又はアップリンク・グラントが受信されるかのいずれかまで、連続した繰り返しを実行してよい。ＡＣＫは、本開示で記載されたシグナリング・フォーマットのいずれかにあることができる（例えば、それは、グループ共通ＤＣＩ又はＵＥ特有のＤＣＩであることができる。）。同じＴＢの再送をスケジューリングするスケジューリング・グラントがＫ回の繰り返しの間又はその後で受け取られる場合に、次いで、ＵＥは、スケジューリング・グラントにおいて構成されたリソースにおけるＴＢのグラントベースの再送へ切り替わる。
【０１９９】
いくつかの実施形態で、ＵＥがＴＢのＫ回の繰り返しを終え、ＵＥが未だＨＡＲＱフィードバック（例えば、ＡＣＫ／ＮＡＣＫ又はグラント）を受信していない場合に、ＵＥは、ＨＡＲＱフィードバック（ＡＣＫ／ＮＡＣＫ又はグラント）を待ってよい。Ｋ回の繰り返しが送信された後、予め定義されたウィンドウＴ１内で、ＵＥが基地局からＡＣＫ又はグラントを受信しない場合には、ＵＥは、ＮＡＣＫを仮定し、ＴＢのグラントフリーの再送を実行してよい。グラントフリーの再送は、構成されたグラントフリーのリソース上で行われてよい。グラントフリーの再送は、Ｋ回の繰り返しの他の組を含んでよい。いくつかの他の実施形態で、ＵＥが、Ｋ回の繰り返しの後、予め定義された／構成されたウィンドウＴ１内で、基地局からＮＡＣＫ又はグラントを受信しない場合には、ＵＥは、ＡＣＫを仮定し、更にスケジューリングされるまで如何なる更なる再送も実行しなくてよい。いくつかの他の実施形態で、ＨＡＲＱフィードバックが、Ｋ回の繰り返しの後、予め定義された時間ウィンドウ内で受信されない場合に、更なるグラントフリーの再送を実行すべきかどうかは、ＵＥの実施次第である。時間ウィンドウが到達されるか又はグラントフリー再送の最大数がＵＥによって実行される場合に、ＵＥが基地局からのフィードバックなしで如何なる更なるグラントフリーの再送／繰り返しも実行すべきでないように、他の予め定義された／構成された時間ウィンドウＴ２（最初のグラントフリー伝送の時点から始まる。）又は、ＵＥが実行することができるグラントフリー再送の最大数Ｎが存在してよい。パラメータＴ１、Ｔ２又はＮは、予め定義されるか、あるいは、ＵＥ特有のＲＲＣシグナリングにおいて構成され得る。
【０２００】
いくつかの実施形態で、ＵＥは、ＡＣＫがＫ回の繰り返しの間又はその後にＴＢについて受け取られる場合に直ちに、ＴＢのバッファをフラッシュしてよい。ＡＣＫは、本開示で記載されたシグナリング形式のいずれかにあることができる。いくつかの他の実施形態で、ＵＥは、ＡＣＫが受信されるときに、同じＴＢの更なる繰り返し／再送を単に先延ばしする。ＵＥは、ＴＢの同じＨＡＲＱプロセス（又はＨＡＲＱプロセスＩＤ）を使用している新しいＴＢをスケジューリングするアップリンク・グラントが受け取られる場合にのみ、グラントフリー伝送のＴＢのＨＡＲＱバッファをフラッシュしてよい。いくつかの実施形態で、ＵＥが、Ｋ回の繰り返しの送信を終えた後、予め定義された／構成されたウィンドウＴ１内で基地局からＮＡＣＫ又はグラントを受信しない場合には、ＵＥは、ＡＣＫを仮定し、ＴＢのバッファをフラッシュしてよく、あるいは、ＵＥは、ＡＣＫを仮定し、バッファをフラッシュせず、更にスケジューリングされるまで如何なる更なる再送も実行しない。
【０２０１】
グラントフリーの再送が、Ｋ回の繰り返しのウィンドウ内で如何なるフィードバックも受信しなかった後にＵＥによって実行されるべきである場合に、ＵＥは、対応するＨＡＲＱプロセスＩＤにかかわらず、グラントフリーのリソースのいずれかでグラントフリーの再送を実行してよい。いくつかの他の実施形態で、ＵＥは、グラントフリーの最初の送信の同じＨＡＲＱプロセスＩＤへマッピングされているグラントフリーのリソース上でのみグラントフリーの再送を実行することを許可され得る。記載されるプロシージャは、Ｋ＝１である場合にも有効である。
【０２０２】
１つのアップリンク・グラントフリー伝送モードにおいて、ＵＥは、ＤＣＩシグナリング／起動によらずにＲＲＣシグナリング後にグラントフリー伝送を実行することができる。ＵＥは最初に、最初のアクセス・プロセスを実行する。基地局は次いで、ＵＥのためのグラントフリー伝送リソースを選択し、ＲＲＣシグナリングを通じてグラントフリー伝送リソースを示すことによりＵＥを構成する。リソースは、制限なしに、時間、周波数リソース、基準信号情報、ＭＣＳ／ＴＢＳ情報、電力制御パラメータ、リソースの周期性及びオフセット、グラントフリーＲＮＴＩ、繰り返し数Ｋ（Ｋ＞＝１）、などを含んでよい。ＲＲＣシグナリングの後、ＵＥは、アップリンク伝送リソースを取得しており、次いで、如何なるＤＣＩシグナリングにもよらずにアップリンク伝送を実行することができる。データの第１バッチがＵＥに到達した後、ＵＥは次いで、割り当てられたグラントフリー伝送リソースを用いて、データの第１バッチの最初のグラントフリー伝送を実行することができる。いくつかの実施形態で、グラントフリー・モードで動作するＵＥ（“グラントフリーＵＥ”）は、それがグラントフリー伝送を実行することができるためにＤＣＩ起動を必要としないということで、最初のグラントフリー伝送を実行する前にＤＣＩをモニタしなくてよい。時間ｎでデータの最初のグラントフリー伝送を実行するＵＥは、時間ｎ＋１＿ａでＤＣをモニタし始めさえすればよく、ここで、ｔ＿ａは、最初の伝送後にＵＥがＤＣＩをモニタし始める時間である。時間の単位はスロット、サブフレーム、ミニスロット、又は何らかの時間単位指標であることができる。ｔ＿ａは、予め定義された値であることができ、あるいは、それは、ネットワークによって構成され、ＵＥへ、例えば、ＵＥ特有のＲＲＣシグナリングを介して、送られ得る。ｔ＿ａが予め定義される場合に、それは、ＵＥが最初のグラントフリー伝送の後にＤＣＩフィードバックを受信すると期待される最も早い時点としてセットされ得る。いくつかの実施形態で、ｔ＿ａ＝０又は１であり、すなわち、ＵＥは、最初のグラントフリー伝送の後に直ちにＤＣＩをチェックするか、あるいは、次のスロットにおいてＤＣＩをチェックしてよい。ＤＣＩは、ＵＥ特有及び／又はグループ共通ＤＣＩであることができ、ＡＣＫ／ＮＡＣＫ及び／又はアップリンク・グラントを送信するために使用され得る。いくつかの実施形態で、ＵＥは、Ｋ回の繰り返しが終了した後に、ＤＣＩのみをモニタするか、又はＡＣＫ／ＮＡＣＫのみをモニタする。グラントフリーの送信のＫ回の繰り返しは時間ｍで終了し、そして、ＵＥは時間ｍ＋ｔ＿ｂでＤＣＩをモニタするか又はＡＣＫ／ＮＡＣＫモニタし始めさえすればよいとする。ここで、ｔ＿ｂも、予め定義されるか又は、ＲＲＣシグナリングにおいて構成され得る。ＵＥは、任意に、Ｋ回の繰り返しが終了した後の時間ウィンドウでＤＣＩをモニタすることを中止してよい。例えば、Ｋ回の繰り返しが時間ｍで終了する場合に、ＵＥは、時間ｍ＋ｔ＿ｃでＤＣＩモニタするのを止めてよい。ここで、ｔ＿ｃは、予め定義されるか又は、ＲＲＣシグナリングにおいて構成され得る。
【０２０３】
Ｋ回の繰り返しの後にウィンドウＴ１内で如何なるＨＡＲＱフィードバック又はグラントも受信しなかった後にＵＥがＡＣＫを仮定する場合には、ＵＥは、更なるシグナリングまで、更なる繰り返し／再送を中止してよい。いくつかの実施形態で、ｔ＿ｃはＴ１と同じであり、すなわち、ＵＥは、時間ｍ＋Ｔ１でＤＣＩをモニタするのを止めるので、それらのうちの１つしか予め定義されるか又はＲＲＣシグナリングにおいて構成されない。いくつかの他の実施形態で、ＵＥは、ウィンドウＴ１内で如何なるＨＡＲＱフィードバック又はグラントも受信しなかった後にＮＡＣＫを仮定し、ＡＣＫ若しくはグラントが受信されるまで、又は再送の最大数Ｎ又は最大再送時間Ｔ２（最初のグラントフリー伝送時点ｎから始まる。）が上述されたように受信されるまで、ＴＢの自主的な再送／繰り返しを実行し始める。ＵＥは、ｎ＋Ｔ２が到達された後、又は再送の最大数Ｎが到達された後の時点ｔ＿ｃで、ＤＣＩをモニタするのを止めてよい。送信のためにＤＣＩをモニタするのを止めた後、ＵＥは、次の最初のグラントフリー伝送のｔ＿ａ時点の後に再びＤＣＩをモニタしてよい。
【０２０４】
いくつかの実施形態で、ＤＣＩシグナリングを必要とする他の機能（例えば、支援されるグラントベースの伝送）が存在し得るということで、ＵＥは、最初のグラントフリー伝送の前又は後に休みなくＤＣＩをモニタしてよい。いくつかの実施形態で、ＵＥは、ＴＴｉごとにＤＣＩをモニタせず、代わりにＵＥは、Ｔ＿ｍ個のＴＴｉごとにＤＣＩをモニタしさえすればよい。ここで、Ｔ＿ｍは、予め定義されるか、又はＲＲＣシグナリングにおいて構成され得る。これはまた、ＵＥが最初のグラントフリー伝送の後に時間ｔ＿ａでのみＤＣＩをモニタし始める場合にも当てはまり得る。一般に、時間及びＤＣＩをモニタすべきかどうかは、例えば、ＲＲＣシグナリングを通じて、夫々のＵＥについて構成され得る。
【０２０５】
例
上記も鑑みて更に、次の例が開示される。
【０２０６】
例１：基地局によって実行される方法であって：アップリンク・リソースでユーザ機器（ＵＥ）からグラントフリーのアップリンク伝送を受けることと；前記グラントフリーのアップリンク伝送において前記ＵＥによって使用されているＭＡシグニチャを得るようアクティビティ検出を実行することと；前記グラントフリーのアップリンク伝送におけるデータを復号しようと試みること；ＡＣＫ又はＮＡＣＫを含むフィードバックをダウンリンク・アクノリッジメント・チャネルにおいて送信することとを有し；前記フィードバックを運ぶために使用される直交シーケンス及び／又は前記フィードバックの時間−周波数位置は、前記ＭＡシグニチャ及び前記アップリンク・リソースのうちの少なくとも１つに基づく、方法。
【０２０７】
例２：例１の方法であって、前記ダウンリンク・アクノリッジメント・チャネルがＰＨＩＣＨ様のチャネルである、方法。
【０２０８】
例３：例１又は例２の方法であって、前記フィードバックを運ぶために使用される前記直交シーケンスが前記ＭＡシグニチャに基づき、前記フィードバックの前記時間−周波数位置が前記アップリンク・リソースに基づく、方法。
【０２０９】
例４：例１乃至３のうちいずれか１つの方法であって、前記ダウンリンク・アクノリッジメント・チャネルにおけるフィードバック・タイミングは、前記グラントフリーのアップリンク伝送を送るために使用されるグラントフリーのリソース・アクセス・タイミングと固定された関係を有している、方法。
【０２１０】
例５：例１乃至４のうちいずれか１つの方法であって、前記ＡＣＫ又は前記ＮＡＣＫを表す１ビットを得ること；該ビットを繰り返して複数のビットを得ること；該複数のビットを変調してシンボルを得ること；及び前記直交シーケンスによって前記シンボルを変調することを含む動作を実行することによって、前記フィードバックを生成することを更に有する方法。
【０２１１】
例６：プロセッサと；該プロセッサによって実行されるプログラミングを記憶しているコンピュータ可読記憶媒体とを有し、前記プログラミングは、例１乃至５のうちいずれか１つの方法に従うステップを実行するための命令を含む、基地局。
【０２１２】
例７：アップリンク・リソースでユーザ機器（ＵＥ）からグラントフリーのアップリンク伝送を受ける少なくとも１つのアンテナと；（ｉ）前記グラントフリーのアップリンク伝送において前記ＵＥによって使用されているＭＡシグニチャを得るようアクティビティ検出を実行し；（ｉｉ）前記グラントフリーのアップリンク伝送におけるデータを復号しようと試み；（ｉｉｉ）ＡＣＫ又はＮＡＣＫを含むフィードバックの伝送をダウンリンク・アクノリッジメント・チャネルにおいて引き起こすグラントフリー伝送モジュールとを有し；前記フィードバックを運ぶために使用される直交シーケンス及び／又は前記フィードバックの時間−周波数位置は、前記ＭＡシグニチャ及び前記アップリンク・リソースのうちの少なくとも１つに基づく、基地局。
【０２１３】
例８：ユーザ機器（ＵＥ）によって実行される方法であって：ＭＡシグニチャを利用するグラントフリーのアップリンク伝送をアップリンク・リソースで基地局へ送ることと；ＡＣＫ又はＮＡＣＫを含むフィードバックをダウンリンク・アクノリッジメント・チャネルにおいて受けることとを有し；前記フィードバックを運ぶために使用される直交シーケンス及び／又は前記フィードバックの時間−周波数位置は、前記ＭＡシグニチャ及び前記アップリンク・リソースのうちの少なくとも１つに基づく、方法。
【０２１４】
例９：例８の方法であって、前記ダウンリンク・アクノリッジメント・チャネルがＰＨＩＣＨ様のチャネルである、方法。
【０２１５】
例１０：例８又は例９の方法であって、前記フィードバックを運ぶために使用される前記直交シーケンスが前記ＭＡシグニチャに基づき、前記フィードバックの前記時間−周波数位置が前記アップリンク・リソースに基づく、方法。
【０２１６】
例１１：例８乃至１０のうちいずれか１つの方法であって、前記ダウンリンク・アクノリッジメント・チャネルにおけるフィードバック・タイミングは、前記グラントフリーのアップリンク伝送を送るために使用されるグラントフリーのリソース・アクセス・タイミングと固定された関係を有している、方法。
【０２１７】
例１２：プロセッサと；該プロセッサによって実行されるプログラミングを記憶しているコンピュータ可読記憶媒体とを有し、前記プログラミングは、例８乃至１１のうちいずれか１つの方法に従うステップを実行するための命令を含む、ユーザ機器（ＵＥ）。
【０２１８】
例１３：ＭＡシグニチャを利用するグラントフリーのアップリンク伝送をアップリンク・リソースで基地局へ送る少なくとも１つのアンテナと；前記グラントフリーのアップリンク伝送に対応し、ダウンリンク・アクノリッジメント・チャネルにおいて受け取られるフィードバックを復号する復号器であり、前記フィードバックはＡＣＫ又はＮＡＣＫを含む、前記復号器とを有し；前記フィードバックを運ぶために使用される直交シーケンス及び／又は前記フィードバックの時間−周波数位置は、前記ＭＡシグニチャ及び前記アップリンク・リソースのうちの少なくとも１つに基づく、ユーザ機器（ＵＥ）。
【０２１９】
例１４：基地局によって実行される方法であって：第１ユーザ機器（ＵＥ）から第１のグラントフリーのアップリンク伝送を受けることと；第２ＵＥから第２のグラントフリーのアップリンク伝送を受けることと；前記第１のグラントフリーのアップリンク伝送についてのＡＣＫ又はＮＡＣＫ及び前記第２のグラントフリーのアップリンク伝送についてのＡＣＫ又はＮＡＣＫを少なくとも含むペイロードを有しているグループＡＣＫ／ＮＡＣＫメッセージを送ることとを有する方法。
【０２２０】
例１５：例１４の方法であって、前記ペイロードは、前記第１のグラントフリーのアップリンク伝送についてのＡＣＫ又はＮＡＣＫを示す１ビットと、前記第２のグラントフリーのアップリンク伝送についてのＡＣＫ又はＮＡＣＫを示す他のビットとを含むワードである、方法。
【０２２１】
例１６：例１４の方法であって、前記ペイロードは、前記第１のグラントフリーのアップリンク伝送に対応するビットの第１対と、前記第２のグラントフリーのアップリンク伝送に対応するビットの第２対とを含むワードであり、ビットの各対は、アクティビティ検出が成功したかどうかを示すビットと、データ復号化が成功したかどうかを示す他のビットとを含む、方法。
【０２２２】
例１７：例１４乃至１６のうちいずれか１つの方法であって、前記ペイロードにおける１つのポジション・インデックスは、前記第１ＵＥに対応し、前記ペイロードにおける他のポジション・インデックスは、前記第２ＵＥに対応する、方法。
【０２２３】
例１８：例１４の方法であって、前記ペイロードは、複数のＵＥ  ＩＤを有し、前記ペイロードにおけるＵＥ  ＩＦの存在は、そのＵＥ  ＩＤに対応するＵＥについてのＡＣＫを示す、方法。
【０２２４】
例１９：例１４乃至１８のうちいずれか１つの方法であって、前記ペイロードは、複数のＨＡＲＱプロセスＩＤについてのＡＣＫ／ＮＡＣＫを含む、方法。
【０２２５】
例２０：例１４乃至１９のうちいずれか１つの方法であって、前記ペイロードは、ダウンリンク制御チャネルにおいて送られ、グループＩＤによってスクランブルされる、方法。
【０２２６】
例２１：例１４乃至１９のうちいずれか１つの方法であって、前記ペイロードは、ダウンリンク・データ・チャネルにおいて送られる、方法。
【０２２７】
例２２：プロセッサと；該プロセッサによって実行されるプログラミングを記憶しているコンピュータ可読記憶媒体とを有し、前記プログラミングは、例１４乃至２１のうちいずれか１つの方法に従うステップを実行するための命令を含む、基地局。
【０２２８】
例２３：第１ユーザ機器（ＵＥ）から第１のグラントフリーのアップリンク伝送を受け、第２ＵＥから第２のグラントフリーのアップリンク伝送を受ける少なくとも１つのアンテナと；前記第１のグラントフリーのアップリンク伝送についてのＡＣＫ又はＮＡＣＫ及び前記第２のグラントフリーのアップリンク伝送についてのＡＣＫ又はＮＡＣＫを少なくとも含むペイロードを有しているグループＡＣＫ／ＮＡＣＫメッセージを生成するグラントフリー伝送モジュールとを有する基地局。
【０２２９】
例２４：第１ユーザ機器（ＵＥ）によって実行される方法であって：第１のグラントフリーのアップリンク伝送を基地局へ送ることと；前記第１のグラントフリーのアップリンク伝送についてのＡＣＫ又はＮＡＣＫと、第２ＵＥからの第２のグラントフリーのアップリンク伝送についてのＡＣＫ又はＮＡＣＫとを少なくとも含むペイロードを有しているグループＡＣＫ／ＮＡＣＫメッセージを受けることとを有する方法。
【０２３０】
例２５：例２４の方法であって、前記ペイロードは、前記第１のグラントフリーのアップリンク伝送についてのＡＣＫ又はＮＡＣＫを示す１ビットと、前記第２のグラントフリーのアップリンク伝送についてのＡＣＫ又はＮＡＣＫを示す他のビットとを含むワードである、方法。
【０２３１】
例２６：例２４の方法であって、前記ペイロードは、前記第１のグラントフリーのアップリンク伝送に対応するビットの第１対と、前記第２のグラントフリーのアップリンク伝送に対応するビットの第２対とを含むワードであり、ビットの各対は、アクティビティ検出が成功したかどうかを示すビットと、データ復号化が成功したかどうかを示す他のビットとを含む、方法。
【０２３２】
例２７：例２４乃至２６のうちいずれか１つの方法であって、前記ペイロードにおける１つのポジション・インデックスは、前記第１ＵＥに対応し、前記ペイロードにおける他のポジション・インデックスは、前記第２ＵＥに対応する、方法。
【０２３３】
例２８：例２４の方法であって、前記ペイロードは、複数のＵＥ  ＩＤを有し、前記ペイロードにおけるＵＥ  ＩＦの存在は、そのＵＥ  ＩＤに対応するＵＥについてのＡＣＫを示す、方法。
【０２３４】
例２９：例２４乃至２８のうちいずれか１つの方法であって、前記ペイロードは、複数のＨＡＲＱプロセスＩＤについてのＡＣＫ／ＮＡＣＫを含む、方法。
【０２３５】
例３０：例２４乃至２９のうちいずれか１つの方法であって、前記ペイロードは、ダウンリンク制御チャネルにおいて受け取られ、グループＩＤによってスクランブルされる、方法。
【０２３６】
例３１：例２４乃至２９のうちいずれか１つの方法であって、前記ペイロードは、ダウンリンク・データ・チャネルにおいて受け取られる、方法。
【０２３７】
例３２：プロセッサと；該プロセッサによって実行されるプログラミングを記憶しているコンピュータ可読記憶媒体とを有し、前記プログラミングは、例２４乃至３１のうちいずれか１つの方法に従うステップを実行するための命令を含む、ユーザ機器（ＵＥ）。
【０２３８】
例３３：第１のグラントフリーのアップリンク伝送を基地局へ送る少なくとも１つのアンテナと；前記第１のグラントフリーのアップリンク伝送についてのＡＣＫ又はＮＡＣＫと、第２ＵＥからの第２のグラントフリーのアップリンク伝送についてのＡＣＫ又はＮＡＣＫとを少なくとも含むペイロードを有しているグループＡＣＫ／ＮＡＣＫメッセージを復号する復号器とを有する第１ユーザ機器（ＵＥ）。
【０２３９】
例３４：基地局によって実行される方法であって：第１ユーザ機器（ＵＥ）から第１のグラントフリーのアップリンク伝送を受けることと；第２ＵＥから第２のグラントフリーのアップリンク伝送を受けることと；前記第１のグラントフリーのアップリンク伝送に対応するＡＣＫ又はＮＡＣＫと、前記第２のグラントフリーのアップリンク伝送に対応するＡＣＫ又はＮＡＣＫとを示すペイロードを有しているグループＡＣＫ／ＮＡＣＫメッセージを前記第１ＵＥへ及び前記第２ＵＥへ送ることとを有する方法。
【０２４０】
例３５：例３４の方法であって、前記グループＡＣＫ／ＮＡＣＫメッセージを送ることより前に、前記基地局は、前記第１のグラントフリーのアップリンク伝送における第１データと、前記第２のグラントフリーのアップリンク伝送における第２データとを復号するよう試みる、方法。
【０２４１】
例３６：例３４又は３５の方法であって、前記グループＡＣＫ／ＮＡＣＫは、前記第１ＵＥへのアップリンク伝送を許可するグラントを含む、方法。
【０２４２】
例３７：例３６の方法であって、前記グラントは、前記第１のグラントフリーのアップリンク伝送において送られたデータの再送を許可する、方法。
【０２４３】
例３８：例３６の方法であって、前記グラントは、前記第１のグラントフリーのアップリンク伝送において送られたデータの再送をスケジューリングすることによって、前記第１のグラントフリーのアップリンク伝送に対応するＮＡＣＫを暗に示す、方法。
【０２４４】
例３９：例３６の方法であって、前記グラントは、新しいデータの送信をスケジューリングすることによって、前記第１のグラントフリーのアップリンク伝送に対応するＡＣＫを暗に示す、方法。
【０２４５】
例４０：例３４乃至３９のうちいずれか１つの方法であって、前記第１ＵＥ及び前記第２ＵＥは、グループ識別子（ＩＤ）を有しているグループ内にあり、前記グループＡＣＫ／ＮＡＣＫは、前記グループＩＤと関連付けられる、方法。
【０２４６】
例４１：例４０の方法であって、前記グループＩＤは、無線ネットワーク一時識別子（ＲＮＴＩ）である、方法。
【０２４７】
例４２：例４０又は４１の方法であって、前記グループＩＤは、前記第１のグラントフリーのアップリンク伝送が送られたグラントフリーのリソースの関数である、方法。
【０２４８】
例４３：例４２の方法であって、前記グループＩＤは、前記第１のグラントフリーのアップリンク伝送が送られた時間単位の関数である、方法。
【０２４９】
例４４：例４３の方法であって、前記時間単位は時間スロットである、方法。
【０２５０】
例４５：例４３の方法であって、前記グループＩＤはまた、前記第１のグラントフリーのアップリンク伝送が送られたフレーム番号の関数でもある、方法。
【０２５１】
例４６：例４２の方法であって、前記グループＩＤは、前記第１のグラントフリーのアップリンク伝送が送られた周波数位置の関数である、方法。
【０２５２】
例４７：例４２の方法であって、前記グループＩＤは、前記第１のグラントフリーのアップリンク伝送が送られた時間単位及び周波数位置のうちの少なくとも一方の関数である、方法。
【０２５３】
例４８：例４２の方法であって、前記グループＩＤは、前記第１のグラントフリーのアップリンク伝送が送られたサブフレーム、スロット番号、及びフレーム番号のうちの少なくとも１つの関数である、方法。
【０２５４】
例４９：例４８の方法であって、前記スロットは時間スロットである、方法。
【０２５５】
例５０：例４０乃至４９のうちいずれか１つの方法であって、前記グループＩＤは、上位レイヤ・シグナリングにおいて構成される、方法。
【０２５６】
例５１：例５０の方法であって、前記グループＩＤを無線リソース制御（ＲＲＣ）シグナリングにおいて前記第１ＵＥへ及び前記第２ＵＥへ信号伝送することを更に有する方法。
【０２５７】
例５２：例４０乃至５０のうちいずれか１つの方法であって、前記グループＡＣＫ／ＮＡＣＫは、グループ共通ダウンリンク制御情報（ＤＣＩ）において送られる、方法。
【０２５８】
例５３：例５２の方法であって、前記グループ共通ＤＣＩは、前記グループＩＤによって定義された探索空間におけるダウンリンク制御チャネルにおいて送られる、方法。
【０２５９】
例５４：例５２又は５３の方法であって、前記グループ共通ＤＣＩの巡回冗長検査（ＣＲＣ）は、前記グループＩＤによってマスクをかけられる、方法。
【０２６０】
例５５：例５４の方法であって、前記基地局が前記グループＩＤを用いて前記グループ共通ＤＣＩの前記ＣＲＣをスクランブルすることを有する方法。
【０２６１】
例５６：例３４乃至５５のうちいずれか１つの方法であって、前記ペイロードは、前記第１のグラントフリーのアップリンク伝送に対応するＡＣＫ又はＮＡＣＫを示す１ビットと、前記第２のグラントフリーのアップリンク伝送に対応するＡＣＫ又はＮＡＣＫを示す他のビットとを含むワードである、方法。
【０２６２】
例５７：例３４乃至５５のうちいずれか１つの方法であって、前記ペイロードは、前記第１のグラントフリーのアップリンク伝送に対応するビットの第１対と、前記第２のグラントフリーのアップリンク伝送に対応するビットの第２対とを含むワードであり、ビットの各対は、アクティビティ検出が成功したかどうかを示すビットと、データ復号化が成功したかどうかを示す他のビットと含む、方法。
【０２６３】
例５８：例３４乃至５５のうちいずれか１つの方法であって、前記ペイロードにおける１つの位置は前記第１ＵＥに対応し、前記ペイロードにおける他の位置は前記第２ＵＥに対応する、方法。
【０２６４】
例５９：例５８の方法であって、前記第１ＵＥに対応する前記位置は、ＭＡシグニチャに基づく、方法。
【０２６５】
例６０：例５９の方法であって、前記第１ＵＥに対応する前記位置は、前記ＭＡシグニチャと、前記第１のグラントフリーのアップリンク伝送を送るために前記第１ＵＥによって使用されるグラントフリーのリソースとに基づき、前記第１ＵＥによって知られる、方法。
【０２６６】
例６１：例５８の方法であって、前記第１ＵＥに対応する前記位置は、前記第１ＵＥが前記第１のグラントフリーのアップリンク伝送を送ることより前に、前記第１ＵＥへ信号伝送される、方法。
【０２６７】
例６２：例６１の方法であって、前記第１ＵＥに対応する前記位置は、上位レイヤ・シグナリングを用いて信号伝送される、方法。
【０２６８】
例６３：例６２の方法であって、前記上位レイヤ・シグナリングはＲＲＣシグナリングである、方法。
【０２６９】
例６４：例３４乃至６３のうちいずれか１つの方法であって、前記グループＡＣＫ／ＮＡＣＫは、全ての受信されたパケットが１ＴＴＩ又は１時間スロット又は１サブフレームにおいて成功裏に復号されたことについてのＡＣＫを示す、方法。
【０２７０】
例６５：例３４乃至６３のうちいずれか１つの方法であって、前記ペイロードは、複数のＵＥ  ＩＤを有し、前記ペイロードにおけるＵＥ  ＩＤの存在は、そのＵＥ  ＩＤに対応するＵＥについてのＡＣＫを示す、方法。
【０２７１】
例６６：例３４乃至６３のうちいずれか１つの方法であって、前記ペイロードは、複数のＨＡＲＱプロセスＩＤについてのＡＣＫ／ＮＡＣＫを含む、方法。
【０２７２】
例６７：例６６の方法であって、前記第１のグラントフリーのアップリンク伝送におけるデータと関連するＨＡＲＱプロセスＩＤは、前記第１のグラントフリーのアップリンク伝送において明示的に又は暗黙的に示される、方法。
【０２７３】
例６８：例６６の方法であって、前記第１のグラントフリーのアップリンク伝送におけるデータは、ＨＡＲＱプロセスＩＤと関連付けられ、前記第１のグラントフリーのアップリンク伝送に対応するＡＣＫ又はＮＡＣＫの前記ペイロード中の位置は、前記第１ＵＥに対応するポジション・インデックス及び前記ＨＡＲＱプロセスＩＤの両方に基づく、方法。
【０２７４】
例６９：例６６の方法であって、前記第１ＵＥは、前記ペイロードにおいて複数の位置を割り当てられ、該複数の位置の夫々１つは、各々のＭＡシグニチャ及び／又はＨＡＲＱプロセスＩＤと関連付けられる、方法。
【０２７５】
例７０：例３４乃至６９のうちいずれか１つの方法であって、前記第１のグラントフリーのアップリンク伝送は、トランスポート・ブロックの複数のアップリンク反復のうちの１つであり、前記グループＡＣＫ／ＮＡＣＫは、前記複数のアップリンク反復を終了するために使用される、方法。
【０２７６】
例７１：例７０の方法であって、前記グループＡＣＫ／ＮＡＣＫは、前記複数のアップリンク反復を終了するために、前記第１のグラントフリーのアップリンク伝送に対応するＡＣＫを示す、方法。
【０２７７】
例７２：例３４乃至７１のうちいずれか１つの方法であって、（ｉ）前記第１のグラントフリーのアップリンク伝送及び前記第２のグラントフリーのアップリンク伝送が送られたアップリンク時間−周波数リソースと、（ｉｉ）前記グループＡＣＫ／ＮＡＣＫが送られるダウンリンク時間−周波数リソースとの間には、固定のタイミング関係がある、方法。
【０２７８】
例７３：例３４乃至７１のうちいずれか１つの方法であって、（ｉ）前記第１のグラントフリーのアップリンク伝送及び前記第２のグラントフリーのアップリンク伝送が送られたサブフレーム又は時間単位と、（ｉｉ）前記グループＡＣＫ／ＮＡＣＫが送られるサブフレーム又は時間単位との間には、固定のタイミング関係がある、方法。
【０２７９】
例７４：例３４乃至７１のうちいずれか１つの方法であって、前記第１のグラントフリーのアップリンク伝送におけるデータは、ＨＡＲＱプロセスＩＤと関連付けられ、該ＨＡＲＱプロセスＩＤのインジケーションは、ダウンリンク制御情報に存在し、前記ＨＡＲＱプロセスＩＤの前記インジケーションは、前記データが肯定応答されていることを特定するために前記第１ＵＥによって使用される、方法。
【０２８０】
例７５：例３４の方法であって、前記ペイロードがダウンリンク・データ・チャネルにおいて送られる、方法。
【０２８１】
例７６：例７５の方法であって、前記ダウンリンク・データ・チャネルにおいてどこで前記ペイロードを見つけるべきかを示すダウンリンク制御情報を送ることを更に有する方法。
【０２８２】
例７７：例３４の方法であって、前記ペイロードは、前記第１のグラントフリーのアップリンク伝送に対応する部分を含み、該部分は、前記第１のグラントフリーのアップリンク伝送によって利用されるＭＡシグニチャにマッピングされた前記ペイロード中の位置を有し、前記部分は、前記第１ＵＥのためのスケジューリング・グラント；タイミング・アドバンス（ＴＡ）情報；前記第１ＵＥのＵＥ  ＩＤ；前記第１ＵＥと前記基地局との間の更なる通信のために使用される一時的な身元；前記第１のグラントフリーのアップリンク伝送に対応するＡＣＫ又はＮＡＫ、のうちの少なくとも１つを含む、方法。
【０２８３】
例７８：例５７の方法であって、前記第１のグラントフリーのアップリンク伝送は第１データを運び、当該方法は：アクティビティ検出が成功しなかったことを前記ビットの第１対が示すときに、前記第１ＵＥから前記第１データの再送を受けることを更に有し、該再送は、前記第１のグラントフリーのアップリンク伝送と同じ冗長バージョン（ＲＶ）にある、方法。
【０２８４】
例７９：例５７の方法であって、前記第１のグラントフリーのアップリンク伝送は第１データを運び、当該方法は：アクティビティ検出は成功したが、データ復号化は成功しなかったことを前記ビットの第１対が示すときに、前記第１ＵＥから前記第１データの再送を受けることを更に有し、該再送のデータは、前記第１のグラントフリーのアップリンク伝送とは異なるＲＶにある、方法。
【０２８５】
例８０：第１ユーザ機器（ＵＥ）から第１のグラントフリーのアップリンク伝送を受け、第２ＵＥから第２のグラントフリーのアップリンク伝送を受ける受信器と；前記第１のグラントフリーのアップリンク伝送に対応するＡＣＫ又はＮＡＣＫと、前記第２のグラントフリーのアップリンク伝送に対応するＡＣＫ又はＮＡＣＫとを示すペイロードを有しているグループＡＣＫ／ＮＡＣＫメッセージを生成するグラントフリー伝送モジュールとを有する基地局。
【０２８６】
例８１：プロセッサと；該プロセッサによって実行されるプログラミングを記憶しているコンピュータ可読記憶媒体とを有する基地局であって、前記プログラミングは、前記プロセッサによって実行される場合に、例３４乃至７９のうちいずれか１つの方法を当該基地局に実行させる命令を含む、基地局。
【０２８７】
例８２：ユーザ機器（ＵＥ）によって実行される方法であって：第１のグラントフリーのアップリンク伝送を基地局へ送ることと；前記第１のグラントフリーのアップリンク伝送に対応するＡＣＫ又はＮＡＣＫと、第２ＵＥからの第２のグラントフリーのアップリンク伝送に対応するＡＣＫ又はＮＡＣＫとを示すペイロードを有するグループＡＣＫ／ＮＡＣＫメッセージを受けることとを有する方法。
【０２８８】
例８３：例８２の方法であって、前記第１ＵＥ及び前記第２ＵＥは、グループ識別子（ＩＤ）を有しているグループ内にあり、前記グループＡＣＫ／ＮＡＣＫは、前記グループＩＤと関連付けられる、方法。
【０２８９】
例８４：例８３の方法であって、前記グループＩＤは、無線ネットワーク一時識別子（ＲＮＴＩ）である、方法。
【０２９０】
例８５：例８３又は８４の方法であって、前記グループＩＤは、前記第１のグラントフリーのアップリンク伝送が送られるグラントフリーのリソースの関数である、方法。
【０２９１】
例８６：例８５の方法であって、前記グループＩＤは、前記第１のグラントフリーのアップリンク伝送が送られる時間単位の関数である、方法。
【０２９２】
例８７：例８６の方法であって、前記時間単位は時間スロットである、方法。
【０２９３】
例８８：例８６又は８７の方法であって、前記グループＩＤはまた、前記第１のグラントフリーのアップリンク伝送が送られるフレーム番号の関数でもある、方法。
【０２９４】
例８９：例８５の方法であって、前記グループＩＤは、前記第１のグラントフリーのアップリンク伝送が送られる周波数位置の関数である、方法。
【０２９５】
例９０：例８５の方法であって、前記グループＩＤは、前記第１のグラントフリーのアップリンク伝送が送られる時間単位及び周波数位置のうちの少なくとも一方の関数である、方法。
【０２９６】
例９１：例８５の方法であって、前記グループＩＤは、前記第１のグラントフリーのアップリンク伝送が送られるサブフレーム、スロット、及びフレーム番号のうちの少なくとも１つの関数である、方法。
【０２９７】
例９２：例９１の方法であって、前記スロットは時間スロットである、方法。
【０２９８】
例９３：例８３乃至９２のうちいずれか１つの方法であって、前記グループＩＤは、上位レイヤ・シグナリングにおいて構成される、方法。
【０２９９】
例９４：例９３の方法であって、前記グループＩＤのインジケーションを無線リソース制御（ＲＲＣ）シグナリングにおいて前記基地局から受けることを更に有する方法。
【０３００】
例９５：例８３乃至９４のうちいずれか１つの方法であって、前記グループＡＣＫ／ＮＡＣＫは、グループ共通ダウンリンク制御情報（ＤＣＩ）において受け取られる、方法。
【０３０１】
例９６：例９５の方法であって、前記グループ共通ＤＣＩは、前記グループＩＤによって定義された探索空間におけるダウンリンク制御チャネルにおいて受け取られる、方法。
【０３０２】
例９７：例９５又は９６の方法であって、前記グループ共通ＤＣＩの巡回冗長検査（ＣＲＣ）は、前記グループＩＤによってマスクをかけられる、方法。
【０３０３】
例９８：例９７の方法であって、前記グループＩＤを用いて前記グループ共通ＤＣＩの前記ＣＲＣをスクランブル解除することを更に有する方法。
【０３０４】
例９９：例８２乃至９８のうちいずれか１つの方法であって、前記ペイロードは、前記第１のグラントフリーのアップリンク伝送に対応するＡＣＫ又はＮＡＣＫを示す１ビットと、前記第２のグラントフリーのアップリンク伝送に対応するＡＣＫ又はＮＡＣＫを示す他のビットとを含むワードである、方法。
【０３０５】
例１００：例８２乃至９８のうちいずれか１つの方法であって、前記ペイロードは、前記第１のグラントフリーのアップリンク伝送に対応するビットの第１対と、前記第２のグラントフリーのアップリンク伝送に対応するビットの第２対とを含むワードであり、ビットの各対は、アクティビティ検出が成功したかどうかを示すビットと、データ復号化が成功したかどうかを示す他のビットと含む、方法。
【０３０６】
例１０１：例８２乃至９８のうちいずれか１つの方法であって、前記ペイロードにおける１つの位置は前記第１ＵＥに対応し、前記ペイロードにおける他の位置は前記第２ＵＥに対応する、方法。
【０３０７】
例１０２：例１０１の方法であって、前記第１ＵＥに対応する前記位置は、ＭＡシグニチャに基づく、方法。
【０３０８】
例１０３：例１０２の方法であって、前記第１ＵＥに対応する前記位置は、前記ＭＡシグニチャと、前記第１のグラントフリーのアップリンク伝送を送るために前記第１ＵＥによって使用されるグラントフリーのリソースとに基づき、前記第１ＵＥによって知られる、方法。
【０３０９】
例１０４：例１０１の方法であって、前記第１ＵＥに対応する前記位置は、前記第１ＵＥが前記第１のグラントフリーのアップリンク伝送を送ることより前に、前記第１ＵＥへ信号伝送される、方法。
【０３１０】
例１０５：例１０４の方法であって、前記第１ＵＥに対応する前記位置は、上位レイヤ・シグナリングを用いて信号伝送される、方法。
【０３１１】
例１０６：例１０５の方法であって、前記上位レイヤ・シグナリングはＲＲＣシグナリングである、方法。
【０３１２】
例１０７：例８２乃至１０６のうちいずれか１つの方法であって、前記グループＡＣＫ／ＮＡＣＫは、全ての受信されたパケットが１ＴＴＩ又は１時間スロット又は１サブフレームにおいて成功裏に復号されたことについてのＡＣＫを示す、方法。
【０３１３】
例１０８：例８２乃至１０７のうちいずれか１つの方法であって、前記ペイロードは、複数のＵＥ  ＩＤを有し、前記ペイロードにおけるＵＥ  ＩＤの存在は、そのＵＥ  ＩＤに対応するＵＥについてのＡＣＫを示す、方法。
【０３１４】
例１０９：例８２の方法であって、前記ペイロードは、複数のＨＡＲＱプロセスＩＤについてのＡＣＫ／ＮＡＣＫを含む、方法。
【０３１５】
例１１０：例１０９の方法であって、ＨＡＲＱプロセスＩＤが前記第１のグラントフリーのアップリンク伝送におけるデータと関連付けられ、前記ＨＡＲＱプロセスＩＤは、前記第１のグラントフリーのアップリンク伝送において明示的に又は暗黙的に示される、方法。
【０３１６】
例１１１：例１０９の方法であって、ＨＡＲＱプロセスＩＤが前記第１のグラントフリーのアップリンク伝送におけるデータと関連付けられ、前記第１のグラントフリーのアップリンク伝送に対応するＡＣＫ又はＮＡＣＫの前記ペイロード中の位置は、前記第１ＵＥに対応するポジション・インデックス及び前記ＨＡＲＱプロセスＩＤの両方に基づく、方法。
【０３１７】
例１１２：例１０９の方法であって、前記第１ＵＥは、前記ペイロードにおいて複数の位置を割り当てられ、該複数の位置の夫々１つは、各々のＭＡシグニチャ及び／又はＨＡＲＱプロセスＩＤと関連付けられる、方法。
【０３１８】
例１１３：例８２乃至１１２のうちいずれか１つの方法であって、前記第１のグラントフリーのアップリンク伝送は、トランスポート・ブロックの複数のアップリンク反復のうちの１つであり、前記グループＡＣＫ／ＮＡＣＫは、前記複数のアップリンク反復を終了するために使用される、方法。
【０３１９】
例１１４：例１１３の方法であって、前記グループＡＣＫ／ＮＡＣＫは、前記複数のアップリンク反復を終了するために、前記第１のグラントフリーのアップリンク伝送に対応するＡＣＫを示す、方法。
【０３２０】
例１１５：例８２乃至１１４のうちいずれか１つの方法であって、（ｉ）前記第１のグラントフリーのアップリンク伝送が送られるアップリンク時間−周波数リソースと、（ｉｉ）前記グループＡＣＫ／ＮＡＣＫが受け取られるダウンリンク時間−周波数リソースとの間には、固定のタイミング関係がある、方法。
【０３２１】
例１１６：例８２乃至１１４のうちいずれか１つの方法であって、（ｉ）前記第１のグラントフリーのアップリンク伝送が送られるサブフレーム又は時間単位と、（ｉｉ）前記グループＡＣＫ／ＮＡＣＫが受け取られるサブフレーム又は時間単位との間には、固定のタイミング関係がある、方法。
【０３２２】
例１１７：例８２乃至１１６のうちいずれか１つの方法であって、ＨＡＲＱプロセスＩＤが前記第１のグラントフリーのアップリンク伝送におけるデータと関連付けられ、該ＨＡＲＱプロセスＩＤのインジケーションは、ダウンリンク制御情報に存在し、前記ＨＡＲＱプロセスＩＤの前記インジケーションは、前記データが肯定応答されていることを特定するために前記第１ＵＥによって使用される、方法。
【０３２３】
例１１８：例８２乃至１１７のうちいずれか１つの方法であって、前記ペイロードがダウンリンク・データ・チャネルにおいて受け取られる、方法。
【０３２４】
例１１９：例１１８の方法であって、前記ダウンリンク・データ・チャネルにおいてどこで前記ペイロードを見つけるべきかを示すダウンリンク制御情報を受けることを更に有する方法。
【０３２５】
例１２０：例８２乃至１１９のうちいずれか１つの方法であって、前記ペイロードは、前記第１のグラントフリーのアップリンク伝送に対応する部分を含み、該部分は、前記第１のグラントフリーのアップリンク伝送によって利用されるＭＡシグニチャにマッピングされた前記ペイロード中の位置を有し、前記部分は、前記第１ＵＥのためのスケジューリング・グラント；タイミング・アドバンス（ＴＡ）情報；前記第１ＵＥのＵＥ  ＩＤ；前記第１ＵＥと前記基地局との間の更なる通信のために使用される一時的な身元；前記第１のグラントフリーのアップリンク伝送に対応するＡＣＫ又はＮＡＫ、のうちの少なくとも１つを含む、方法。
【０３２６】
例１２１：例９５の方法であって、前記グループ共通ＤＣＩを復号することを更に有し、前記グループＩＤを用いてＣＲＣチェックを行うことを含む方法。
【０３２７】
例１２２：例１２１の方法であって、前記グループＩＤがＲＮＴＩである、方法。
【０３２８】
例１２３：例９５の方法であって、前記グループ共通ＤＣＩを得るよう前記グループＩＤを用いてダウンリンク制御チャネルにおいて探索空間を探索することを更に有する方法。
【０３２９】
例１２４：例１２３の方法であって、探索される前記探索空間は、前記第１のグラントフリーのアップリンク伝送を送信するために使用されるアップリンク・リソースの関数である、方法。
【０３３０】
例１２５：例１００の方法であって、アクティビティ検出が成功しなかったことを前記ビットの第１対が示すときに、前記第１のグラントフリーのアップリンク伝送と同じ冗長バージョン（ＲＶ）で前記第１のグラントフリーのアップリンク伝送からのデータを再送することを更に有する方法。
【０３３１】
例１２６：例１００の方法であって、アクティビティ検出は成功したが、データ復号化は成功しなかったことを前記ビットの第１対が示すときに、前記第１のグラントフリーのアップリンク伝送とは異なるＲＶで前記第１のグラントフリーのアップリンク伝送からのデータを再送することを更に有する方法。
【０３３２】
例１２７：例８２乃至１２６のうちいずれか１つの方法であって、前記グループＡＣＫ／ＮＡＣＫは、前記ＵＥへのアップリンク伝送を許可するグラントを含む、方法。
【０３３３】
例１２８：例１２７の方法であって、前記グラントは、前記第１のグラントフリーのアップリンク伝送において送られたデータの再送を許可する、方法。
【０３３４】
例１２９：第１のグラントフリーのアップリンク伝送を基地局へ送る送信器と；前記第１のグラントフリーのアップリンク伝送に対応するＡＣＫ又はＮＡＣＫと、第２ＵＥからの第２のグラントフリーのアップリンク伝送に対応するＡＣＫ又はＮＡＣＫとを示すペイロードを有するグループＡＣＫ／ＮＡＣＫメッセージを受ける受信器とを有するユーザ機器（ＵＥ）。
【０３３５】
例１３０：プロセッサと；該プロセッサによって実行されるプログラミングを記憶しているコンピュータ可読記憶媒体とを有するＵＥであって、前記プログラミングは、前記プロセッサによって実行される場合に、例８２乃至１２８のうちいずれか１つの方法を前記ＵＥに実行させる命令を含む、ＵＥ。
【０３３６】
例１３１：基地局によって実行される方法であって：第１トランスポート・ブロックに対応するデータを運ぶグラントフリーのアップリンク伝送をユーザ機器（ＵＥ）から受けることと；グラントを前記ＵＥへ送ることとを有し、前記グラントは、前記第１トランスポート・ブロックの復号化が失敗するときに前記第１トランスポート・ブロックの再送をスケジューリングし、あるいは、前記第１トランスポート・ブロックの復号化が成功するときに第２トランスポート・ブロックの送信をスケジューリングする、方法。
【０３３７】
例１３２：例１３１の方法であって、前記グラントは、前記第１トランスポート・ブロックのための明示的なＡＣＫ又は明示的なＮＡＣＫを含まない、方法。
【０３３８】
例１３３：例１３１又は１３２の方法であって、前記グラントがダウンリンク制御情報（ＤＣＩ）において送られる、方法。
【０３３９】
例１３４：例１３１乃至１３３のうちいずれか１つの方法であって、前記グラントがグループＡＣＫ／ＮＡＣＫの部分として送られる、方法。
【０３４０】
例１３５：例１３１乃至１３４のうちいずれか１つの方法であって、前記グラントを送る前に、前記基地局は、前記グラントフリーのアップリンク伝送におけるデータに基づき前記第１トランスポート・ブロックを復号しようと試みる、方法。
【０３４１】
例１３６：例１３１乃至１３５のうちいずれか１つの方法であって、前記グラントは、前記第１トランスポート・ブロックの前記再送をスケジューリングすることによって、前記第１トランスポート・ブロックのためのＮＡＣＫを暗に示す、方法。
【０３４２】
例１３７：例１３１乃至１３５のうちいずれか１つの方法であって、前記グラントは、前記第にトランスポート・ブロックの前記送信をスケジューリングすることによって、前記第１トランスポート・ブロックのためのＡＣＫを暗に示す、方法。
【０３４３】
例１３８：例１３１乃至１３７のうちいずれか１つの方法であって、前記グラントが、前記第１トランスポート・ブロックに対応するＨＡＲＱプロセスＩＤを含む、方法。
【０３４４】
例１３９：例１３１乃至１３８のうちいずれか１つの方法であって、前記グラントフリーのアップリンク伝送は、前記第１トランスポート・ブロックの複数のアップリンク反復のうちの１つであり、前記グラントは前記複数のアップリンク反復を終了する、方法。
【０３４５】
例１４０：第１トランスポート・ブロックに対応するデータを運ぶグラントフリーのアップリンク伝送をユーザ機器（ＵＥ）から受ける受信器と；前記ＵＥのためのグラントを生成するグラントフリー伝送モジュールとを有し；前記グラントは、前記第１トランスポート・ブロックの復号化が失敗するときに前記第１トランスポート・ブロックの再送をスケジューリングし、あるいは、前記第１トランスポート・ブロックの復号化が成功するときに第２トランスポート・ブロックの送信をスケジューリングする、方法。
【０３４６】
例１４１：プロセッサと、該プロセッサによって実行されるプログラミングを記憶しているコンピュータ可読記憶媒体とを有する基地局であって、前記プログラミングは、前記プロセッサによって実行される場合に、例１３１乃至１３９のうちいずれか１つの方法を前記基地局に実行させる命令を含む、基地局。
【０３４７】
例１４２：ユーザ機器（ＵＥ）によって実行される方法であって：第１トランスポート・ブロックに対応するデータを運ぶグラントフリーのアップリンク伝送を基地局へ送ることと；前記基地局からグラントを受けることであり、該グラントは、前記第１トランスポート・ブロックの復号化が前記基地局で失敗したときには前記第１トランスポート・ブロックの再送をスケジューリングし、又は前記第１トランスポート・ブロックの復号化が前記基地局で成功したときには第２トランスポート・ブロックの送信をスケジューリングする、前記受けることと；前記グラントに従ってアップリンク伝送を送信することとを有する方法。
【０３４８】
例１４３：例１４２の方法であって、前記グラントフリーのアップリンク伝送を送ることに応答して、前記第１トランスポート・ブロックのための明示的なＡＣＫ又は明示的なＮＡＣＫが前記ＵＥによって受け取られない、方法。
【０３４９】
例１４４：例１４２又は１４３の方法であって、前記グラントがダウンリンク制御情報（ＤＣＩ）において受け取られる、方法。
【０３５０】
例１４５：例１４２乃至１４４のうちいずれか１つの方法であって、前記グラントがグループＡＣＫ／ＮＡＣＫの部分として受け取られる、方法。
【０３５１】
例１４６：例１４２乃至１４５のうちいずれか１つの方法であって、前記グラントは、前記第１トランスポート・ブロックの前記再送をスケジューリングすることによって前記第１トランスポート・ブロックのためのＮＡＣＫを暗に示す、方法。
【０３５２】
例１４７：例１４２乃至１４５のうちいずれか１つの方法であって、前記グラントは、前記第にトランスポート・ブロックの前記送信をスケジューリングすることによって前記第１トランスポート・ブロックのためのＡＣＫを暗に示す、方法。
【０３５３】
例１４８：例１４２乃至１４７のうちいずれか１つの方法であって、前記グラントは、前記第１トランスポート・ブロックに対応するＨＡＲＱプロセスＩＤを含む、方法。
【０３５４】
例１４９：例１４２乃至１４８のうちいずれか１つの方法であって、前記グラントフリーのアップリンク伝送は、前記第１トランスポート・ブロックの複数のアップリンク反復のうちの１つであり、前記グラントは前記アップリンク反復を終了する、方法。
【０３５５】
例１５０：グラントフリーのアップリンク伝送を介して基地局へ送られるべきメッセージを生成し、該メッセージが第１トランスポート・ブロックに対応するデータを運ぶグラントフリー伝送モジュールと；前記基地局からグラントを受け、該グラントが、前記第１トランスポート・ブロックの復号化が前記基地局で失敗したときには前記第１トランスポート・ブロックの再送をスケジューリングし、又は前記第１トランスポート・ブロックの復号化が前記基地局で成功したときには第２トランスポート・ブロックの送信をスケジューリングする、受信器と；前記グラントに従ってアップリンク伝送を送信する送信器とを有するユーザ機器（ＵＥ）。
【０３５６】
例１５１：プロセッサと、該プロセッサによって実行されるプログラミングを記憶しているコンピュータ可読記憶媒体とを有するＵＥであって、前記プログラミングは、前記プロセッサによって実行される場合に、例１４２乃至１４９のうちいずれか１つの方法を前記ＵＥに実行させる命令を含む、ＵＥ。
【０３５７】
例１５２：基地局によって実行される方法であって：アップリンク・リソースでユーザ機器（ＵＥ）からグラントフリーのアップリンク伝送を受けることと；該グラントフリーのアップリンク伝送に対応する、ＡＣＫ又はＮＡＣＫを含むフィードバックをダウンリンク・アクノリッジメント・チャネルにおいて送ることとを有し、前記フィードバックを運ぶために使用される直交シーケンス及び／又は前記フィードバックの時間−周波数位置は、ＭＡシグニチャ及び前記アップリンク・リソースのうちの少なくとも１つに基づく、方法。
【０３５８】
例１５３：例１５２の方法であって、前記フィードバックを運ぶために使用される前記直交シーケンスは、前記ＭＡシグニチャに基づき、前記フィードバックの時間−周波数位置は、前記アップリンク・リソースに基づく、方法。
【０３５９】
例１５４：例１５２又は１５３の方法であって、前記ダウンリンク・アクノリッジメント・チャネルにおけるフィードバック・タイミングは、前記グラントフリーのアップリンク伝送を送るために使用されるグラントフリーのリソース・アクセス・タイミングと固定された関係を有している、方法。
【０３６０】
例１５５：例１５２乃至１５４のうちいずれか１つの方法であって、前記ＡＣＫ又は前記ＮＡＣＫを表す１ビットを得ること；該ビットを繰り返して複数のビットを得ること；該複数のビットを変調してシンボルを得ること；及び前記直交シーケンスによって前記シンボルを変調することを含む動作を実行することによって、前記フィードバックを生成することを更に有する方法。
【０３６１】
例１５６：例１５２乃至１５５のうちいずれか１つの方法であって、前記ダウンリンク・アクノリッジメント・チャネルがＰＨＩＣＨ様のチャネルである、方法。
【０３６２】
例１５７：アップリンク・リソースでユーザ機器（ＵＥ）からグラントフリーのアップリンク伝送を受ける受信器と；ダウンリンク・アクノリッジメント・チャネルにおける送信のために、前記グラントフリーのアップリンク伝送に対応する、ＡＣＫ又はＮＡＣＫを有するフィードバックを生成するグラントフリー伝送モジュールとを有し；前記フィードバックを運ぶために使用される直交シーケンス及び／又は前記フィードバックの時間−周波数位置は、ＭＡシグニチャ及び前記アップリンク・リソースのうちの少なくとも１つに基づく、基地局。
【０３６３】
例１５８：プロセッサと；該プロセッサによって実行されるプログラミングを記憶しているコンピュータ可読記憶媒体とを有する基地局であって、前記プログラミングは、前記プロセッサによって実行される場合に、例１５２乃至１５６のうちいずれか１つの方法を前記基地局に実行させる命令を含む、基地局。
【０３６４】
例１５９：ユーザ機器（ＵＥ）によって実行される方法であって：ＭＡシグニチャを利用するグラントフリーのアップリンク伝送をアップリンク・リソースで基地局へ送ることと；該グラントフリーのアップリンク伝送に対応する、ＡＣＫ又はＮＡＣＫを含むフィードバックをダウンリンク・アクノリッジメント・チャネルにおいて受けることとを有し；前記フィードバックを運ぶために使用される直交シーケンス及び／又は前記フィードバックの時間−周波数位置は、前記ＭＡシグニチャ及び前記アップリンク・リソースのうちの少なくとも１つに基づく、方法。
【０３６５】
例１６０：例１５９の方法であって、前記フィードバックを運ぶために使用される前記直交シーケンスは、前記ＭＡシグニチャに基づき、前記フィードバックの時間−周波数位置は、前記アップリンク・リソースに基づく、方法。
【０３６６】
例１６１：例１５９又は１６０の方法であって、前記ダウンリンク・アクノリッジメント・チャネルにおけるフィードバック・タイミングは、前記グラントフリーのアップリンク伝送を送るために使用されるグラントフリーのリソース・アクセス・タイミングと固定された関係を有している、方法。
【０３６７】
例１６２：例１５９乃至１６１のうちいずれか１つの方法であって、前記ダウンリンク・アクノリッジメント・チャネルがＰＨＩＣＨ様のチャネルである、方法。
【０３６８】
例１６３：ＭＡシグニチャを利用するグラントフリーのアップリンク伝送をアップリンク・リソースで基地局へ送る送信器と；該グラントフリーのアップリンク伝送に対応し、ダウンリンク・アクノリッジメント・チャネルにおいて受け取られるフィードバックを復号する復号器であり、前記フィードバックはＡＣＫ又はＮＡＣＫを含む、前記復号器とを有し；前記フィードバックを運ぶために使用される直交シーケンス及び／又は前記フィードバックの時間−周波数位置は、前記ＭＡシグニチャ及び前記アップリンク・リソースのうちの少なくとも１つに基づく、ユーザ機器（ＵＥ）。
【０３６９】
例１６４：プロセッサと；該プロセッサによって実行されるプログラミングを記憶しているコンピュータ可読記憶媒体とを有するＵＥであって、前記プログラミングは、前記プロセッサによって実行される場合に、例１５９乃至１６２のうちいずれか１つの方法を前記ＵＥに実行させる命令を含む、ＵＥ。
【０３７０】
例１６５：基地局によって実行される方法であって：ユーザ機器（ＵＥ）からグラントフリーのアップリンク伝送をアップリンク時間−周波数リソースで受けることと；前記グラントフリーのアップリンク伝送に対応するフィードバックをダウンリンク制御情報（ＤＣＩ）において送ることとを有し；前記ＤＣＩのＣＲＣはＩＤを用いてマスクをかけられ、前記ＩＤは、前記グラントフリーのアップリンク伝送が受け取られた前記アップリンク時間−周波数リソースの関数である、方法。
【０３７１】
例１６６：プロセッサと；該プロセッサによって実行されるプログラミングを記憶しているコンピュータ可読記憶媒体とを有する基地局であって、前記プログラミングは、前記プロセッサによって実行される場合に、例１６５の方法を前記基地局に実行させる命令を含む、基地局。
【０３７２】
例１６７：ＵＥによって実行される方法であって：アップリンク時間−周波数リソースで基地局へグラントフリーのアップリンク伝送を送ることと；該グラントフリーのアップリンク伝送に対応するフィードバックをダウンリンク制御情報（ＤＣＩ）において受けることとを有し；前記ＤＣＩのＣＲＣはＩＤを用いてマスクをかけられ、前記ＩＤは、前記グラントフリーのアップリンク伝送が送られた前記アップリンク時間−周波数リソースの関数である、方法。
【０３７３】
例１６８：プロセッサと；該プロセッサによって実行されるプログラミングを記憶しているコンピュータ可読記憶媒体とを有するＵＥであって、前記プログラミングは、前記プロセッサによって実行される場合に、例１６７の方法を前記ＵＥに実行させる命令を含む、ＵＥ。
【０３７４】
例１６９：基地局によって実行される方法であって：グラントフリーのアップリンク伝送のためにユーザ機器によって使用される変調及び符号化（ＭＣＳ）スキームのインジケーションを前記ＵＥへ送ることと；前記ＵＥから、前記ＭＣＳを有するデータを運ぶ前記グラントフリーのアップリンク伝送を受けることとを有する方法。
【０３７５】
例１７０：例１６９の方法であって、前記インジケーションが無線リソース制御（ＲＲＣ）シグナリングにおいて送信される、方法。
【０３７６】
例１７１：例１６９又は１７０の方法であって、前記インジケーションが、複数のグラントフリーのアップリンク伝送のために前記ＵＥによって使用されるＭＣＳホッピング・パターンを示す、方法。
【０３７７】
例１７２：例１７１の方法であって、前記ＭＣＳホッピング・パターンは、第１のグラントフリーのアップリンク伝送が第１ＭＣＳを使用すべきであり、第２のグラントフリーのアップリンク伝送が第２ＭＣＳを使用すべきであることを示し、前記第２ＭＣＳは前記第１ＭＣＳよりも低い、方法。
【０３７８】
例１７３：例１７２の方法であって、前記第１のグラントフリーのアップリンク伝送は、トランスポート・ブロックの第１の繰り返しであり、前記第２のグラントフリーのアップリンク伝送は、前記トランスポート・ブロックの第２の繰り返しである、方法。
【０３７９】
例１７４：グラントフリーのアップリンク伝送のためにユーザ機器によって使用される変調及び符号化（ＭＣＳ）スキームのインジケーションを前記ＵＥへ送る送信器と；前記ＵＥから、前記ＭＣＳを有するデータを運ぶ前記グラントフリーのアップリンク伝送を受ける受信器とを有する基地局。
【０３８０】
例１７５：プロセッサと；該プロセッサによって実行されるプログラミングを記憶しているコンピュータ可読記憶媒体とを有する基地局であって、前記プログラミングは、前記プロセッサによって実行される場合に、例１６９乃至１７３のうちいずれか１つの方法を前記基地局に実行させる命令を含む、基地局。
【０３８１】
例１７６：ユーザ機器（ＵＥ）によって実行される方法であって：グラントフリーのアップリンク伝送のために前記ＵＥによって使用される変調及び符号化（ＭＣＳ）スキームのインジケーションを基地局から受けることと；前記ＭＣＳを有するデータを運ぶ前記グラントフリーのアップリンク伝送を前記基地局へ送ることとを有する方法。
【０３８２】
例１７７：例１７６の方法であって、前記インジケーションが無線リソース制御（ＲＲＣ）シグナリングにおいて受信される、方法。
【０３８３】
例１７８：例１７６又は１７７の方法であって、前記インジケーションが、複数のグラントフリーのアップリンク伝送のために前記ＵＥによって使用されるＭＣＳホッピング・パターンを示す、方法。
【０３８４】
例１７９：例１７８の方法であって、前記ＭＣＳホッピング・パターンは、第１のグラントフリーのアップリンク伝送が第１ＭＣＳを使用すべきであり、第２のグラントフリーのアップリンク伝送が第２ＭＣＳを使用すべきであることを示し、前記第２ＭＣＳは前記第１ＭＣＳよりも低い、方法。
【０３８５】
例１８０：例１７９の方法であって、前記第１のグラントフリーのアップリンク伝送は、トランスポート・ブロックの第１の繰り返しであり、前記第２のグラントフリーのアップリンク伝送は、前記トランスポート・ブロックの第２の繰り返しである、方法。
【０３８６】
例１８１：ユーザ機器（ＵＥ）であって：グラントフリーのアップリンク伝送のために前記ＵＥによって使用される変調及び符号化（ＭＣＳ）スキームのインジケーションを基地局から受ける受信器と；前記ＭＣＳを有するデータを運ぶ前記グラントフリーのアップリンク伝送を前記基地局へ送る送信器とを有するＵＥ。
【０３８７】
例１８２：プロセッサと；該プロセッサによって実行されるプログラミングを記憶しているコンピュータ可読記憶媒体とを有するＵＥであって、前記プログラミングは、前記プロセッサによって実行される場合に、例１７６乃至１８０のうちいずれか１つの方法を前記ＵＥに実行させる命令を含む、ＵＥ。
【０３８８】
例１８３：基地局によって実行される方法であって、当該方法は：２つのアップリンク伝送をユーザ機器（ＵＥ）から同じ時間スロットで受けることを有し、前記２つのアップリンク伝送は、第１アップリンク時間−周波数リソースで受信される第１アップリンク伝送と、第２アップリンク時間−周波数リソースで受信される第２アップリンク伝送とを含む、方法。
【０３８９】
例１８４：例１８３の方法であって、前記第１アップリンク伝送は、第１ＨＡＲＱプロセスに対応する第１トランスポート・ブロックを運び、前記第２アップリンク伝送は、第２ＨＡＲＱプロセスに対応する第２トランスポート・ブロックを運ぶ、方法。
【０３９０】
例１８５：例１８４の方法であって、前記第１ＨＡＲＱプロセスのＨＡＲＱプロセスＩＤは、前記第１アップリンク伝送が受信される前記第１アップリンク時間−周波数リソースによって暗黙的に識別される、方法。
【０３９１】
例１８６：２つのアップリンク伝送をユーザ機器（ＵＥ）から同じ時間スロットで受ける受信器を有し、前記２つのアップリンク伝送は、第１アップリンク時間−周波数リソースで受信される第１アップリンク伝送と、第２アップリンク時間−周波数リソースで受信される第２アップリンク伝送とを含む、基地局。
【０３９２】
例１８７：プロセッサと；該プロセッサによって実行されるプログラミングを記憶しているコンピュータ可読記憶媒体とを有する基地局であって、前記プログラミングは、前記プロセッサによって実行される場合に、例１８３乃至１８５のうちいずれか１つの方法を前記基地局に実行させる命令を含む、基地局。
【０３９３】
例１８８：ユーザ機器（ＵＥ）によって実行される方法であって、当該方法は：２つのアップリンク伝送を基地局へ同じ時間スロットで送ることを有し、前記２つのアップリンク伝送は、第１アップリンク時間−周波数リソースで送信される第１アップリンク伝送と、第２アップリンク時間−周波数リソースで送信される第２アップリンク伝送とを含む、方法。
【０３９４】
例１８９：例１８８の方法であって、前記第１アップリンク伝送は、第１ＨＡＲＱプロセスに対応する第１トランスポート・ブロックを運び、前記第２アップリンク伝送は、第２ＨＡＲＱプロセスに対応する第２トランスポート・ブロックを運ぶ、方法。
【０３９５】
例１９０：例１８９の方法であって、前記第１ＨＡＲＱプロセスのＨＡＲＱプロセスＩＤは、前記第１アップリンク伝送が送信される前記第１アップリンク時間−周波数リソースによって暗黙的に識別される、方法。
【０３９６】
例１９１：２つのアップリンク伝送を基地局へ同じ時間スロットで送る送信器を有し、前記２つのアップリンク伝送は、第１アップリンク時間−周波数リソースで送信される第１アップリンク伝送と、第２アップリンク時間−周波数リソースで送信される第２アップリンク伝送とを含む、ユーザ機器（ＵＥ）。
【０３９７】
例１９２：プロセッサと；該プロセッサによって実行されるプログラミングを記憶しているコンピュータ可読記憶媒体とを有するＵＥであって、前記プログラミングは、前記プロセッサによって実行される場合に、例１８８乃至１９０のうちいずれか１つの方法を前記ＵＥに実行させる命令を含む、ＵＥ。
【０３９８】
例１９３：基地局によって実行される方法であって：第１のグラントフリーのアップリンク伝送を第１ユーザ機器（ＵＥ）から受けることと；第２のグラントフリーのアップリンク伝送を第２ＵＥから受けることと；グループＡＣＫ／ＮＡＣＫメッセージを前記第１ＵＥへ及び前記第２ＵＥへ送ることとを有し、前記第１ＵＥ及び前記第２ＵＥは、グループ識別子（ＩＤ）を有するグループ内にあり、前記グループＡＣＫ／ＮＡＣＫは前記グループＩＤと関連付けられ、前記グループＩＤは、前記第１のグラントフリーのアップリンク伝送が送られたサブフレーム、スロット番号、及びフレーム番号のうちの少なくとも１つの関数である、方法。
【０３９９】
例１９４：第１ＵＥによって実行される方法であって：第１のグラントフリーのアップリンク伝送を基地局へ送ることと；前記第１ＵＥ及び第２ＵＥへ向けられたグループＡＣＫ／ＮＡＣＫメッセージを受けることとを有し、前記第１ＵＥ及び前記第２ＵＥは、グループ識別子（ＩＤ）を有するグループ内にあり、前記グループＡＣＫ／ＮＡＣＫは前記グループＩＤと関連付けられ、前記グループＩＤは、前記第１のグラントフリーのアップリンク伝送が送られたサブフレーム、スロット番号、及びフレーム番号のうちの少なくとも１つの関数である、方法。
【０４００】
例１９５：基地局によって実行される方法であって：第１のグラントフリーのアップリンク伝送を第１ユーザ機器（ＵＥ）から受けることと；第２のグラントフリーのアップリンク伝送を第２ＵＥから受けることと；前記第１のグラントフリーのアップリンク伝送に対応するＡＣＫ又はＮＡＣＫ及び前記第２のグラントフリーのアップリンク伝送に対応するＡＣＫ又はＮＡＣＫを示すグループＡＣＫ／ＮＡＣＫメッセージを前記第１ＵＥへ及び前記第２ＵＥへ送ることとを有する方法。
【０４０１】
例１９６：例１９５の方法であって、前記第１ＵＥ及び前記第２ＵＥは、グループ識別子（ＩＤ）を有するグループ内にあり、前記グループＡＣＫ／ＮＡＣＫは前記グループＩＤと関連付けられ、前記グループＩＤは、前記第１のグラントフリーのアップリンク伝送が送られたグラントフリーのリソースの関数である、方法。
【０４０２】
例１９７：例１９５の方法であって、前記第１ＵＥ及び前記第２ＵＥは、グループＩＤを有するグループ内にあり、前記グループＡＣＫ／ＮＡＣＫは前記グループＩＤと関連付けられ、前記グループＡＣＫ／ＮＡＣＫは、グループ共通ダウンリンク制御情報（ＤＣＩ）において送信され、前記グループ共通ＤＣＩの巡回冗長検査（ＣＲＣ）は前記グループＩＤによってマスクをかけられる、方法。
【０４０３】
例１９８：例１９７の方法であって、前記グループＩＤは、前記第１のグラントフリーのアップリンク伝送が送られた時間単位及び周波数位置のうちの少なくとも一方の関数である、方法。
【０４０４】
例１９９：例１９７又は１９８の方法であって、前記グループＩＤは、無線ネットワーク一時識別子（ＲＮＴＩ）であり、無線リソース制御（ＲＲＣ）シグナリングにおいて前記第１ＵＥへ信号伝送される、方法。
【０４０５】
例２００：例１９５乃至１９９のうちいずれか１つの方法であって、前記グループＡＣＫ／ＮＡＣＫメッセージは、前記ＡＣＫ又はＮＡＣＫを示すペイロードを有し、該ペイロードは、前記第１のグラントフリーのアップリンク伝送に対応する第１ビットと、前記第２のグラントフリーのアップリンク伝送に対応する第２ビットとを有し、各ビットは、アクティビティ検出が成功したかどうか又はデータ復号化が成功したかどうかを示す、方法。
【０４０６】
例２０１：例２００の方法であって、前記ペイロードにおける前記第１ビット及び前記第２ビットの位置は、前記第１のグラントフリーのアップリンク伝送及び前記第２のグラントフリーのアップリンク伝送のＭＡシグニチャ及びＨＡＲＱプロセスＩＤのうちの少なくとも１つに対応する、方法。
【０４０７】
例２０２：例２００の方法であって、前記ペイロードにおける前記第１ビットの位置は、前記第１ＵＥが前記第１のグラントフリーのアップリンク伝送を送ることより前に、無線リソース制御（ＲＲＣ）シグナリングにより前記第１ＵＥへ信号伝送される、方法。
【０４０８】
例２０３：第１のグラントフリーのアップリンク伝送を第１ユーザ機器（ＵＥ）から受け、第２のグラントフリーのアップリンク伝送を第２ＵＥから受ける受信器と；前記第１のグラントフリーのアップリンク伝送に対応するＡＣＫ又はＮＡＣＫ及び前記第２のグラントフリーのアップリンク伝送に対応するＡＣＫ又はＮＡＣＫを示すグループＡＣＫ／ＮＡＣＫメッセージを生成するグラントフリー伝送モジュールとを有する基地局。
【０４０９】
例２０４：例２０３の基地局であって、前記第１ＵＥ及び前記第２ＵＥは、グループ識別子（ＩＤ）を有するグループ内にあり、前記グループＡＣＫ／ＮＡＣＫは前記グループＩＤと関連付けられ、前記グループＩＤは、前記第１のグラントフリーのアップリンク伝送が送られたグラントフリーのリソースの関数である、基地局。
【０４１０】
例２０５：例２０３の基地局であって、前記第１ＵＥ及び前記第２ＵＥは、グループＩＤを有するグループ内にあり、前記グループＡＣＫ／ＮＡＣＫは前記グループＩＤと関連付けられ、前記基地局は、グループ共通ダウンリンク制御情報（ＤＣＩ）において前記グループＡＣＫ／ＮＡＣＫを送信し、前記グループＩＤによって前記グループ共通ＤＣＩの巡回冗長検査（ＣＲＣ）にマスクをかける、基地局。
【０４１１】
例２０６：例２０５の方法であって、前記グループＩＤは、前記第１のグラントフリーのアップリンク伝送が送られた時間単位及び周波数位置のうちの少なくとも一方の関数である、基地局。
【０４１２】
例２０７：例２０３乃至２０６のうちいずれか１つの基地局であって、前記グループＡＣＫ／ＮＡＣＫメッセージは、前記ＡＣＫ又はＮＡＣＫを示すペイロードを有し、該ペイロードは、前記第１のグラントフリーのアップリンク伝送に対応する第１ビットと、前記第２のグラントフリーのアップリンク伝送に対応する第２ビットとを有し、各ビットは、アクティビティ検出が成功したかどうか又はデータ復号化が成功したかどうかを示す、基地局。
【０４１３】
例２０８：例２０７の基地局であって、前記ペイロードにおける前記第１ビット及び前記第２ビットの位置は、前記第１のグラントフリーのアップリンク伝送及び前記第２のグラントフリーのアップリンク伝送のＭＡシグニチャ及びＨＡＲＱプロセスＩＤのうちの少なくとも１つに対応する、基地局。
【０４１４】
例２０９：例２０７又は２０８の基地局であって、前記基地局は、前記ペイロードにおける前記第１ビットの位置を、前記第１ＵＥが前記第１のグラントフリーのアップリンク伝送を送ることより前に、無線リソース制御（ＲＲＣ）シグナリングにより前記第１ＵＥへ信号伝送する、基地局。
【０４１５】
例２１０：第１ユーザ機器（ＵＥ）によって実行される方法であって：第１のグラントフリーのアップリンク伝送を基地局へ送ることと；前記第１のグラントフリーのアップリンク伝送に対応するＡＣＫ又はＮＡＣＫ及び第２ＵＥからの第２のグラントフリーのアップリンク伝送に対応するＡＣＫ又はＮＡＣＫを示すグループＡＣＫ／ＮＡＣＫメッセージを受けることとを有する方法。
【０４１６】
例２１１：例２１０の方法であって、前記第１ＵＥ及び前記第２ＵＥは、グループ識別子（ＩＤ）を有するグループ内にあり、前記グループＡＣＫ／ＮＡＣＫは前記グループＩＤと関連付けられ、前記グループＩＤは、前記第１のグラントフリーのアップリンク伝送が送られるグラントフリーのリソースの関数である、方法。
【０４１７】
例２１２：例２１０の方法であって、前記第１ＵＥ及び前記第２ＵＥは、グループＩＤを有するグループ内にあり、前記グループＡＣＫ／ＮＡＣＫは前記グループＩＤと関連付けられ、前記グループＡＣＫ／ＮＡＣＫは、グループ共通ダウンリンク制御情報（ＤＣＩ）において受信され、前記グループ共通ＤＣＩの巡回冗長検査（ＣＲＣ）は前記グループＩＤによってマスクをかけられる、方法。
【０４１８】
例２１３：例２１１又は２１２の方法であって、前記グループＩＤは、前記第１のグラントフリーのアップリンク伝送が送られる時間単位及び周波数位置のうちの少なくとも一方の関数である、方法。
【０４１９】
例２１４：例２１１乃至２１３のうちいずれか１つの方法であって、前記グループＩＤは、無線ネットワーク一時識別子（ＲＮＴＩ）であり、無線リソース制御（ＲＲＣ）シグナリングにおいて前記第１ＵＥへ信号伝送される、方法。
【０４２０】
例２１５：例２１１乃至２１４のうちいずれか１つの方法であって、前記グループＡＣＫ／ＮＡＣＫメッセージは、前記ＡＣＫ又はＮＡＣＫを示すペイロードを有し、該ペイロードは、前記第１のグラントフリーのアップリンク伝送に対応する第１ビットと、前記第２のグラントフリーのアップリンク伝送に対応する第２ビットとを有し、各ビットは、アクティビティ検出が成功したかどうか又はデータ復号化が成功したかどうかを示す、方法。
【０４２１】
例２１６：例２１５の方法であって、前記ペイロードにおける前記第１ビット及び前記第２ビットの位置は、前記第１のグラントフリーのアップリンク伝送及び前記第２のグラントフリーのアップリンク伝送のＭＡシグニチャ及びＨＡＲＱプロセスＩＤのうちの少なくとも１つに対応する、方法。
【０４２２】
例２１７：例２１５の方法であって、前記ペイロードにおける前記第１ビットの位置は、前記第１ＵＥが前記第１のグラントフリーのアップリンク伝送を送ることより前に、無線リソース制御（ＲＲＣ）シグナリングにより前記第１ＵＥへ信号伝送される、方法。
【０４２３】
例２１８：第１のグラントフリーのアップリンク伝送を基地局へ送る送信器と；前記第１のグラントフリーのアップリンク伝送に対応するＡＣＫ又はＮＡＣＫ及び第２ＵＥからの第２のグラントフリーのアップリンク伝送に対応するＡＣＫ又はＮＡＣＫを示すグループＡＣＫ／ＮＡＣＫメッセージを受ける受信器とを有する第１ユーザ機器（ＵＥ）。
【０４２４】
例２１９：例２１８の第１ＵＥであって、前記第１ＵＥ及び前記第２ＵＥは、グループ識別子（ＩＤ）を有するグループ内にあり、前記グループＡＣＫ／ＮＡＣＫは前記グループＩＤと関連付けられ、前記グループＩＤは、前記第１のグラントフリーのアップリンク伝送が送られるグラントフリーのリソースの関数である、第１ＵＥ。
【０４２５】
例２２０：例２１８の第１ＵＥであって、前記第１ＵＥ及び前記第２ＵＥは、グループＩＤを有するグループ内にあり、前記グループＡＣＫ／ＮＡＣＫは前記グループＩＤと関連付けられ、前記受信器は、前記グループＡＣＫ／ＮＡＣＫをグループ共通ダウンリンク制御情報（ＤＣＩ）において受信し、前記グループ共通ＤＣＩの巡回冗長検査（ＣＲＣ）は前記グループＩＤによってマスクをかけられる、第１ＵＥ。
【０４２６】
例２２１：例２１９又は２２０の第１ＵＥであって、前記グループＩＤは、前記第１のグラントフリーのアップリンク伝送が送られる時間単位及び周波数位置のうちの少なくとも一方の関数である、第１ＵＥ。
【０４２７】
例２２２：例２１８乃至２２１のうちいずれか１つの第１ＵＥであって、前記グループＡＣＫ／ＮＡＣＫメッセージは、前記ＡＣＫ又はＮＡＣＫを示すペイロードを有し、該ペイロードは、前記第１のグラントフリーのアップリンク伝送に対応する第１ビットと、前記第２のグラントフリーのアップリンク伝送に対応する第２ビットとを有し、各ビットは、アクティビティ検出が成功したかどうか又はデータ復号化が成功したかどうかを示す、第１ＵＥ。
【０４２８】
例２２３：例２２２の第１ＵＥであって、前記ペイロードにおける前記第１ビット及び前記第２ビットの位置は、前記第１のグラントフリーのアップリンク伝送及び前記第２のグラントフリーのアップリンク伝送のＭＡシグニチャ及びＨＡＲＱプロセスＩＤのうちの少なくとも１つに対応する、第１ＵＥ。
【０４２９】
例２２４：例２２２の第１ＵＥであって、前記ペイロードにおける前記第１ビットの位置は、前記第１ＵＥが前記第１のグラントフリーのアップリンク伝送を送ることより前に、無線リソース制御（ＲＲＣ）シグナリングにより前記第１ＵＥへ信号伝送される、第１ＵＥ。
【０４３０】
結論
本発明は、その具体的な特徴及び実施形態を参照して記載されてきたが、様々な変更及び組み合わせが、本発明から外れることなしにそれに対して行われ得る。記載及び図面は、然るに、添付の特許請求の範囲によって定義される発明のいくつかの実施形態の実例として単に見なされるべきであり、本発明の適用範囲内にあるありとあらゆる変更、変形、組み合わせ又は均等をカバーするよう企図される。従って、本発明及びその利点は詳細に記載されてきたが、様々な変更、置換及び代替が、添付の特許請求の範囲によって定義される発明から外れることなしにここで行われ得る。更には、本願の適用範囲は、明細書で記載されているプロセス、マシン、製品、組成物、手段、方法及びステップの特定の実施形態に制限されるよう意図されない。当業者は、ここで記載される対応する実施形態と実質的に同じ機能を実行するか又は実質的に同じ結果を達成する、既に存在しているか又は後に配置されるプロセス、マシン、製品、組成物、手段、方法、又はステップが本発明に従って利用されてよいことを容易に認識するだろう。然るに、添付の特許請求の範囲は、それらの適用範囲内にそのようなプロセス、マシン、製品、組成物、手段、方法、又はステップを含めるよう意図される。
【０４３１】
更には、命令を実行する、ここで例示される如何なるモジュール、コンポーネント、又はデバイスも、コンピュータ／プロセッサ読み出し可能な命令、データ構造、プログラム・モジュール、及び／又は他のデータのような情報の記憶のための非一時的なコンピュータ／プロセッサ可読記憶媒体又は複数の媒体を含むか、あるいは別なふうに、それへのアクセスを有し得る。非一時的なコンピュータ／プロセッサ可読記憶媒体の例の非包括的なリストは、磁気カセット、磁気テープ、磁気ディスク・ストレージ若しくは他の磁気記憶デバイス、コンパクト・ディスク型リード・オンリー・メモリ（ＣＤ−ＲＯＭ）、デジタル・ビデオ・ディスク若しくはデジタル・バーサタイル・ディスク（ＤＶＤ）、ブルーレイ・ディスク、又は他の光学ストレージのような光ディスク、何らかの方法若しくは技術で実装される揮発性及び不揮発性のリムーバブル及び非リムーバブル媒体、ランダム・アクセス・メモリ（ＲＡＭ）、リード・オンリー・メモリ（ＲＯＭ）、電気的消去可能なプログラム可能リード・オンリー・メモリ（ＥＥＰＲＯＭ）、フラッシュ・メモリ、あるいは他のメモリ技術を含む。如何なるそのような非一時的なコンピュータ／プロセッサ記憶媒体も、デバイスの部分又はそれへアクセス可能若しくは接続可能であってよい。ここで記載される如何なるアプリケーション又はモジュールも、そのような非一時的なコンピュータ／プロセッサ可読記憶媒体によって記憶又は別なふうに保持され得るコンピュータ／プロセッサ読み出し可能／実行可能な命令を用いて実装されてよい。
【図１】
2020500474.tif 000003
【図２】
2020500474.tif 000004
【図３】
2020500474.tif 000005
【図４】
2020500474.tif 000006
【図５】
2020500474.tif 000007
【図６】
2020500474.tif 000008
【図７】
2020500474.tif 000009
【図８】
2020500474.tif 000010
【図９】
2020500474.tif 000011
【図１０】
2020500474.tif 000012
【図１１】
2020500474.tif 000013
【図１２】
2020500474.tif 000014
【図１３】
2020500474.tif 000015
【図１４】
2020500474.tif 000016
【図１５】
2020500474.tif 000017
【図１６】
2020500474.tif 000018
【図１７】
2020500474.tif 000019
【図１８】
2020500474.tif 000020
【図１９】
2020500474.tif 000021
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
基地局によって実行される方法であって、
第１のグラントフリーのアップリンク伝送を第１ユーザ機器（ＵＥ）から受けることと、
第２のグラントフリーのアップリンク伝送を第２ＵＥから受けることと、
前記第１のグラントフリーのアップリンク伝送に対応するＡＣＫ又はＮＡＣＫ及び前記第２のグラントフリーのアップリンク伝送に対応するＡＣＫ又はＮＡＣＫを示すグループ肯定応答／否定応答（ＡＣＫ／ＮＡＣＫ）メッセージを前記第１ＵＥへ前記第２ＵＥへ送ることと
を有し、
前記第１ＵＥ及び前記第２ＵＥは、グループ識別子（ＩＤ）を有するグループ内にあり、前記グループＡＣＫ／ＮＡＣＫメッセージは前記グループＩＤと関連付けられ、前記グループＡＣＫ／ＮＡＣＫメッセージは、グループ共通ダウンリンク制御情報（ＤＣＩ）において送信され、前記グループ共通ＤＣＩの巡回冗長検査（ＣＲＣ）は、前記グループＩＤによってマスクをかけられる、方法。
【請求項２】
前記グループＩＤは、前記第１のグラントフリーのアップリンク伝送が送られたグラントフリーのリソースの関数である、
請求項１に記載の方法。
【請求項３】
前記グループＩＤは、前記第１のグラントフリーのアップリンク伝送が送られた時間単位及び周波数位置のうちの少なくとも一方の関数である、
請求項１又は請求項２に記載の方法。
【請求項４】
前記グループＩＤは、無線ネットワーク一時識別子（ＲＮＴＩ）であり、無線リソース制御（ＲＲＣ）シグナリングにおいて前記第１ＵＥへ信号伝送される、
請求項１又は請求項２に記載の方法。
【請求項５】
前記グループＡＣＫ／ＮＡＣＫメッセージは、前記ＡＣＫ又はＮＡＣＫを示すペイロードを有し、該ペイロードは、前記第１のグラントフリーのアップリンク伝送に対応する第１ビットと、前記第２のグラントフリーのアップリンク伝送に対応する第２ビットとを有し、各ビットは、アクティビティ検出が成功したかどうか又はデータ復号化が成功したかどうかを示す、
請求項１乃至請求項４のうちいずれか一項に記載の方法。
【請求項６】
前記ペイロードにおける前記第１ビット及び前記第２ビットの位置は、前記第１のグラントフリーのアップリンク伝送及び前記第２のグラントフリーのアップリンク伝送の多重アクセス（ＭＡ）シグニチャ及びＨＡＲＱプロセスＩＤのうちの少なくとも１つに対応する、
請求項５に記載の方法。
【請求項７】
前記ペイロードにおける前記第１ビットの位置は、前記第１ＵＥが前記第１のグラントフリーのアップリンク伝送を送ることより前に、無線リソース制御（ＲＲＣ）シグナリングにより前記第１ＵＥへ信号伝送される、
請求項５に記載の方法。
【請求項８】
第１のグラントフリーのアップリンク伝送を第１ユーザ機器（ＵＥ）から受け、第２のグラントフリーのアップリンク伝送を第２ＵＥから受ける受信器と、
前記第１のグラントフリーのアップリンク伝送に対応するＡＣＫ又はＮＡＣＫ及び前記第２のグラントフリーのアップリンク伝送に対応するＡＣＫ又はＮＡＣＫを示すグループ肯定応答／否定応答（ＡＣＫ／ＮＡＣＫ）メッセージを生成するグラントフリー伝送モジュールと
を有し、
前記第１ＵＥ及び前記第２ＵＥは、グループ識別子（ＩＤ）を有するグループ内にあり、前記グループＡＣＫ／ＮＡＣＫメッセージは前記グループＩＤと関連付けられ、前記基地局は、前記グループＡＣＫ／ＮＡＣＫメッセージをグループ共通ダウンリンク制御情報（ＤＣＩ）において送信し、前記グループ共通ＤＣＩの巡回冗長検査（ＣＲＣ）に前記グループＩＤによってマスクをかける、基地局。
【請求項９】
前記グループＩＤは、前記第１のグラントフリーのアップリンク伝送が送られたグラントフリーのリソースの関数である、
請求項８に記載の基地局。
【請求項１０】
前記グループＩＤは、前記第１のグラントフリーのアップリンク伝送が送られた時間単位及び周波数位置のうちの少なくとも一方の関数である、
請求項８又は請求項９に記載の基地局。
【請求項１１】
前記グループＡＣＫ／ＮＡＣＫメッセージは、前記ＡＣＫ又はＮＡＣＫを示すペイロードを有し、該ペイロードは、前記第１のグラントフリーのアップリンク伝送に対応する第１ビットと、前記第２のグラントフリーのアップリンク伝送に対応する第２ビットとを有し、各ビットは、アクティビティ検出が成功したかどうか又はデータ復号化が成功したかどうかを示す、
請求項８乃至請求項１０のうちいずれか一項に記載の基地局。
【請求項１２】
前記ペイロードにおける前記第１ビット及び前記第２ビットの位置は、前記第１のグラントフリーのアップリンク伝送及び前記第２のグラントフリーのアップリンク伝送の多重アクセス（ＭＡ）シグニチャ及びＨＡＲＱプロセスＩＤのうちの少なくとも１つに対応する、
請求項１１に記載の基地局。
【請求項１３】
前記基地局は、前記第１ＵＥが前記第１のグラントフリーのアップリンク伝送を送ることより前に、前記ペイロードにおける前記第１ビットの位置を無線リソース制御（ＲＲＣ）シグナリングにより前記第１ＵＥへ信号伝送する、
請求項１１に記載の基地局。
【請求項１４】
第１ユーザ機器（ＵＥ）によって実行される方法であって、
第１のグラントフリーのアップリンク伝送を基地局へ送ることと、
前記第１のグラントフリーのアップリンク伝送に対応するＡＣＫ又はＮＡＣＫ及び第２ＵＥからの第２のグラントフリーのアップリンク伝送に対応するＡＣＫ又はＮＡＣＫを示すグループ肯定応答／否定応答（ＡＣＫ／ＮＡＣＫ）メッセージを受けることと
を有し、
前記第１ＵＥ及び前記第２ＵＥは、グループ識別子（ＩＤ）を有するグループ内にあり、前記グループＡＣＫ／ＮＡＣＫメッセージは前記グループＩＤと関連付けられ、前記グループＡＣＫ／ＮＡＣＫメッセージは、グループ共通ダウンリンク制御情報（ＤＣＩ）において受信され、前記グループ共通ＤＣＩの巡回冗長検査（ＣＲＣ）は、前記グループＩＤによってマスクをかけられる、方法。
【請求項１５】
前記グループＩＤは、前記第１のグラントフリーのアップリンク伝送が送られるグラントフリーのリソースの関数である、
請求項１４に記載の方法。
【請求項１６】
前記グループＩＤは、前記第１のグラントフリーのアップリンク伝送が送られる時間単位及び周波数位置のうちの少なくとも一方の関数である、
請求項１４又は請求項１５に記載の方法。
【請求項１７】
前記グループＩＤは、無線ネットワーク一時識別子（ＲＮＴＩ）であり、無線リソース制御（ＲＲＣ）シグナリングにおいて前記第１ＵＥへ信号伝送される、
請求項１４又は請求項１５に記載の方法。
【請求項１８】
前記グループＡＣＫ／ＮＡＣＫメッセージは、前記ＡＣＫ又はＮＡＣＫを示すペイロードを有し、該ペイロードは、前記第１のグラントフリーのアップリンク伝送に対応する第１ビットと、前記第２のグラントフリーのアップリンク伝送に対応する第２ビットとを有し、各ビットは、アクティビティ検出が成功したかどうか又はデータ復号化が成功したかどうかを示す、
請求項１４乃至請求項１７のうちいずれか一項に記載の方法。
【請求項１９】
前記ペイロードにおける前記第１ビット及び前記第２ビットの位置は、前記第１のグラントフリーのアップリンク伝送及び前記第２のグラントフリーのアップリンク伝送の多重アクセス（ＭＡ）シグニチャ及びＨＡＲＱプロセスＩＤのうちの少なくとも１つに対応する、
請求項１８に記載の方法。
【請求項２０】
前記ペイロードにおける前記第１ビットの位置は、前記第１ＵＥが前記第１のグラントフリーのアップリンク伝送を送ることより前に、無線リソース制御（ＲＲＣ）シグナリングにより前記第１ＵＥへ信号伝送される、
請求項１８に記載の方法。
【請求項２１】
第１のグラントフリーのアップリンク伝送を基地局へ送る送信器と、
前記第１のグラントフリーのアップリンク伝送に対応するＡＣＫ又はＮＡＣＫ及び第２ＵＥからの第２のグラントフリーのアップリンク伝送に対応するＡＣＫ又はＮＡＣＫを示すグループ肯定応答／否定応答（ＡＣＫ／ＮＡＣＫ）メッセージを受ける受信器と
を有し、
前記第１ＵＥ及び前記第２ＵＥは、グループ識別子（ＩＤ）を有するグループ内にあり、前記グループＡＣＫ／ＮＡＣＫメッセージは前記グループＩＤと関連付けられ、前記受信器は、前記グループＡＣＫ／ＮＡＣＫメッセージをグループ共通ダウンリンク制御情報（ＤＣＩ）において受信し、前記グループ共通ＤＣＩの巡回冗長検査（ＣＲＣ）は、前記グループＩＤによってマスクをかけられる、第１ユーザ機器（ＵＥ）。
【請求項２２】
前記グループＩＤは、前記第１のグラントフリーのアップリンク伝送が送られるグラントフリーのリソースの関数である、
請求項２１に記載の第１ＵＥ。
【請求項２３】
前記グループＩＤは、前記第１のグラントフリーのアップリンク伝送が送られる時間単位及び周波数位置のうちの少なくとも一方の関数である、
請求項２１又は請求項２２に記載の第１ＵＥ。
【請求項２４】
前記グループＡＣＫ／ＮＡＣＫメッセージは、前記ＡＣＫ又はＮＡＣＫを示すペイロードを有し、該ペイロードは、前記第１のグラントフリーのアップリンク伝送に対応する第１ビットと、前記第２のグラントフリーのアップリンク伝送に対応する第２ビットとを有し、各ビットは、アクティビティ検出が成功したかどうか又はデータ復号化が成功したかどうかを示す、
請求項２１乃至請求項２３のうちいずれか一項に記載の第１ＵＥ。
【請求項２５】
前記ペイロードにおける前記第１ビット及び前記第２ビットの位置は、前記第１のグラントフリーのアップリンク伝送及び前記第２のグラントフリーのアップリンク伝送の多重アクセス（ＭＡ）シグニチャ及びＨＡＲＱプロセスＩＤのうちの少なくとも１つに対応する、
請求項２４に記載の第１ＵＥ。
【請求項２６】
前記ペイロードにおける前記第１ビットの位置は、前記第１ＵＥが前記第１のグラントフリーのアップリンク伝送を送ることより前に、無線リソース制御（ＲＲＣ）シグナリングにより前記第１ＵＥへ信号伝送される、
請求項２４に記載の第１ＵＥ。
【手続補正２】
【補正対象書類名】明細書
【補正対象項目名】００３４
【補正方法】変更
【補正の内容】
【００３４】
図３における例１３０は、ＵＥ  ＩＤ１５６及びデータ１５４が異なるリソースにより送信される変形を示す。例えば、ＵＥ  ＩＤ１５６は、物理アップリンク制御チャネル（ＰＵＣＣＨ）のような制御チャネルの部分として送信されてよい。データ１５４は、アップリンク・データ・チャネルのグラントフリー領域において送信されてよい。ＭＡシグニチャは例１３０では表されておらず、ＭＡシグニチャはデータ伝送の部分ということになる。
【手続補正３】
【補正対象書類名】明細書
【補正対象項目名】００５３
【補正方法】変更
【補正の内容】
【００５３】
基地局１００は、復号化を実行するためにＲＶの知識を使用する。チェイス合成について、最初の送信及び再送のＲＶは同じ、例えば、ＲＶ０であってよい。増分冗長について、再送は、固定パターンに従うことができるより高いＲＶ、例えば、最初の送信のためにはＲＶ０、第１の再送のためにはＲＶ２、第２の再送のためにはＲＶ３、第３の再送のためにはＲＶ１を使用してよい。従って、データを復号するために、基地局１００は、ただ１つの予め定義されたＲＶしかない場合を除いて、グラントフリーのアップリンク伝送において受け取られるデータのＲＶインデックスを知ることが必要とされ得る。
【手続補正４】
【補正対象書類名】明細書
【補正対象項目名】００５６
【補正方法】変更
【補正の内容】
【００５６】
第１の例として、図４は、異なるマッピングを示す３つのテーブル３０２、３０４、及び３０６を表す。テーブル３０２で、ＭＡシグニチャは基準信号である。９つの基準信号（すなわち、９つのＭＡシグニチャ）のプール｛Ｐ｝は、３つの組｛Ｐ１｝、｛Ｐ２｝、及び｛Ｐ３｝に分割される。基準信号はパイロットであってよい。テーブル３０２における各行は３タプルを表す。この例で、プール｛Ｐ｝は３つの排他的な組｛Ｐ１｝、｛Ｐ２｝、及び｛Ｐ３｝に分けられる。それにより、各組は、９つの基準信号のうちの３つを有する。具体的に、｛Ｐ１｝は、基準信号ｐ１１、ｐ１２、及びｐ１３を含み、｛Ｐ２｝は、基準信号ｐ２１、ｐ２２、及びｐ２３を含み、｛Ｐ３｝は、基準信号ｐ３１、ｐ３２、及びｐ３３を含む。９つの基準信号のうちの３つが最初の基準信号として指定され、９つの基準信号のうちの他の３つが第１の再送基準信号として指定され、９つの基準信号のうちの最後の３つが第２の再送基準信号として指定される。テーブル３０２における具体的なマッピングは、単なる一例であり、マッピングは、時間にわたって変化してよく、且つ／あるいは、特定のグラントフリーのアップリンク・リソース・パーティションのためだけであってよい（例えば、異なるＭＡ物理リソースでは異なるマッピングが存在してよい。）。テーブル３０２における例で、ＵＥ１０２ａはタプル・インデックス１を割り当てられ、ＵＥ１０２ｂはタプル・インデックス２を割り当てられ、ＵＥ１０２ｃはタプル・インデックス３を割り当てられる。従って、基地局１００が成功するアクティビティ検出を実行する（すなわち、基準信号を成功裏に復号する）とき、次いで、基地局１００は、どのＵＥがグラントフリーのアップリンク伝送を送ったかを決定するために基準信号シーケンスを使用する。テーブル３０２における例で、各基準信号シーケンスはまた、グラントフリーのアップリンク伝送が最初の送信、第１の再送、又は第２の再送のいずれであるかも基地局１００に示す。テーブル３０２の例で、基準信号は、ＵＥの身元に加えて、最初の送信及び再送の両方を識別するために使用され得る。例えば、基準信号ｐ１１、ｐ２１又はｐ３１は、グラントフリーのパケットがＵＥ１０２ａによって送信されることを示し得る。代替の実施形態では、基準信号とＵＥとの間には一意のマッピングが依然としてあり得るが、基準信号は、ＵＥの身元にのみマッピングされ、最初の送信又は再送にはマッピングされない。例えば、基準信号ｐ１１は第１ＵＥに割り当てられてよく、基準信号ｐ１２は第２ＵＥに割り当てられてよく、・・・そして、基準信号ｐ３３は第９ＵＥに割り当てられてよい。９つのＵＥの夫々は次いで、それらの最初の送信及び再送のためにそれらの同じ割り当てられた基準信号を使用してよい。
【手続補正５】
【補正対象書類名】明細書
【補正対象項目名】００５７
【補正方法】変更
【補正の内容】
【００５７】
テーブル３０４は、ＭＡシグニチャが散在符号化多重アクセス（ＳＣＭＡ）コードブックである点を除いて、テーブル３０２と同じである。９つのＳＣＭＡコードブック｛Ａ１，Ａ２，Ａ３，Ｂ１，Ｂ２，Ｂ３，Ｃ１，Ｃ２，及びＣ３｝が最初の送信及び再送の組に分けられ、ＵＥ１０２ａ〜ｃの各１つに割り当てられる。例えば、コードブックＡ１の使用は、ＵＥ１０２ａが伝送を送ったこと及び伝送が最初のデータ送信であることを基地局１００に示す。いくつかの実施形態では、特定の基準信号とＳＣＭＡコードブックとの間には固定の、半永続的な、又は動的な関連性も存在してよい。そのような実施形態で、基準信号シーケンス又はＳＣＭＡコードブックは、ＵＥ及び／又は伝送が最初の送信、第１の再送、若しくは第２の再送のいずれであるかを特定するために使用されてよい。いくつかの実施形態では、１つのＳＣＭＡコードブックが複数の基準信号と関連付けられてよい。そのような実施形態で、基準信号シーケンスを特定することは、使用されるＳＣＭＡコードブックを明らかにする。いくつかの実施形態では、ＳＣＭＡコードブックは、基準信号と一対一の関連性を有してよい。そのような実施形態で、基準信号シーケンスを特定することは、使用されるＳＣＭＡコードブックを明らかにし、逆もしかりである。
【手続補正６】
【補正対象書類名】明細書
【補正対象項目名】００５８
【補正方法】変更
【補正の内容】
【００５８】
テーブル３０６も、ＭＡシグニチャの代わりに、グラントフリーの伝送のために使用される物理アップリンク・リソースと最初の送信及び再送並びにＵＥとの間に割り当てられたマッピングが存在する点を除いて、テーブル３０２と同じである。９つの異なる時間−周波数値｛Ａ１，Ａ２，Ａ３，Ｂ１，Ｂ２，Ｂ３，Ｃ１，Ｃ２，及びＣ３｝が最初の送信及び再送の組に分けられ、ＵＥ１０２ａ〜ｃの各１つに割り当てられる。例えば、物理アップリンク・リソースＡ１でのグラントフリーのアップリンク伝送の基地局１００による受信は、ＵＥ１０２ａが伝送を送ったこと及び伝送が最初のデータ送信であることを基地局１００に示す。
【手続補正７】
【補正対象書類名】明細書
【補正対象項目名】００９０
【補正方法】変更
【補正の内容】
【００９０】
制御チャネル情報（ＤＣＩ）における探索空間位置は、グラントフリー・モードで動作するＵＥのために定義され得る。いくつかの実施形態で、探索空間位置は、各サブフレーム／ＴＴＩにおける可能性があるＣＣＥ（制御チャネル要素）のインデックスによって示され得る。インデックスは、ＵＥに割り当てられたグラントフリーＵＥ  ＩＤ（例えば、Ｃ＿ＲＮＴＩ）又はグラントフリー・グループＩＤ（例えば、ｇｒｏｕｐ＿ＲＮＴＩ）から導出される予め定義された関係を有し得る。ＰＤＣＣＨのための探索空間を定義するために使用されるグラントフリーＵＥ  ＩＤは、ＧＦ  Ｃ−ＲＮＴＩ又はＧＢ  Ｃ−ＲＮＴＩであることができる。この方法は、ＬＴＥにおけるＰＤＣＣＨ探索空間の定義と類似する。
【手続補正８】
【補正対象書類名】明細書
【補正対象項目名】００９４
【補正方法】変更
【補正の内容】
【００９４】
いくつかの実施形態で、ＡＣＫ／ＮＡＣＫを運ぶＤＣＩ又は個別フィードバック・チャネルは、同様に、又は代わりに、ＡＣＫ／ＮＡＣＫされるパケットについてのＨＡＲＱプロセスＩＤ（又はＨＡＲＱプロセス番号）を含んでよい。ＡＣＫ／ＮＡＣＫは、明示的又は暗黙的にＨＡＲＱプロセス番号（あるいは、ＨＡＲＱプロセスＩＤ、又はＨＡＲＱプロセス番号若しくはトランスポート・ブロック（ＴＢ）インデックスを識別する何らかの属性、例えば、ＭＡシグニチャのインデックス若しくはグラントフリーのアクセス領域のインデックス又は両方の組み合わせ）を含んでよく、これは、送信される複数のＴＢが存在する場合に、ＡＣＫ／ＮＡＣＫがどのＴＢのために使用されるかを特定するために使用される。ＨＡＲＱプロセスＩＤは、グラントフリーのアップリンク伝送において基地局へ暗黙的又は明示的に信号伝送され得る。暗黙的シグナリングの例は、ＨＡＲＱプロセスＩＤが、ＵＥによって使用されるＭＡシグニチャに基づき、基地局に識別可能である場合である。ＭＡシグニチャは、多重アクセス（ＭＡ）スキーム又は上記の何らかの他の属性のために使用される基準信号又はコードブック／シグニチャ／シーケンスであることができる。例えば、ＭＡスキームが、２つのＴＢ（２つのＨＡＲＱプロセスに対応。）を送信するために２つの異なるコードブックを使用する場合。基地局は、アクティビティ検出を通じてコードブックを識別する。次いで、基地局は、ＡＣＫ／ＮＡＣＫが対象とするＴＢを特定する、ＡＣＫ／ＮＡＣＫにおけるコードブック・インデックス又は対応するＨＡＲＱプロセス・インデックスを示してよい。いくつかの実施形態で、ＨＡＲＱプロセスＩＤは、異なるグラントフリーのアクセス領域を通じて暗黙的に識別されることが可能であり得る。例えば、ＵＥが、１時間スロットにおいて２つのグラントフリーのアクセス領域にアクセスすることが可能であるよう構成される場合。ＵＥは、２つの異なるＨＡＲＱプロセスに対応する２つのＴＢを送信してよい。ＡＣＫ／ＮＡＣＫフィードバックにおいて、グラントフリーのアクセス領域のインデックス又はＨＡＲＱプロセスＩＤは、ＡＣＫ／ＮＡＣＫフィードバックがどのＴＢを対象とするかをＵＥが識別することができるように、暗黙的又は明示的に示され得る。明示的シグナリングの例は、ＨＡＲＱプロセスＩＤを示すグラントフリーのアップリンク・メッセージ内のフィールドを有することである。ＨＡＲＱプロセスＩＤは、よりロバストに保護され得、それにより、基地局は、それがデータを成功裏に復号することができないかもしれない場合でさえ、それを識別することができる。
【手続補正９】
【補正対象書類名】明細書
【補正対象項目名】００９６
【補正方法】変更
【補正の内容】
【００９６】
一般に、グラントフリー伝送に関してＨＡＲＱフィードバック（ＡＣＫ／ＮＡＣＫ又はグラント）のために使用されるＤＣＩは、ＧＦ  Ｃ−ＲＮＴＩ又はＧＢ  Ｃ−ＲＮＴＩと関連付けられ得る。いくつかの実施形態で、グラントフリーの最初の送信の再送のグラントのために使用されるＤＣＩのために使用されるＵＥ  ＩＤは、ＧＦ  Ｃ−ＲＮＴＩである。いくつかの他の実施形態では、グラントフリーの最初の送信の再送のグラントのために使用されるＤＣＩのために使用されるＵＥ  ＩＤは、ＧＢ  Ｃ−ＲＮＴＩである。ＧＦ  Ｃ−ＲＮＴＩは、グラントフリーの最初の送信の再送のために使用されるＤＣＩのＣＲＣにマスクをかけるために少なくとも使用される。ＤＣＩが再送のために使用されるかどうかは、ＤＣＩにおける新データ・インジケータ（ＮＤＩ）フィールドによって特定され得る。ＮＤＩは、０又は１のいずれかであることができる１ビットのフィールドであってよい。ＵＥが、ＧＢ  Ｃ−ＲＮＴＩによってマスクをかけられたＣＲＣを伴うＤＣＩグラントを検出する場合に、ＵＥは、ＮＤＩが同じＨＡＲＱプロセスの最後のグラントに対して切り替えられていない場合に、グラントを再送グラントと見なしてよい。他方で、ＧＢ  Ｃ−ＲＮＴＩによってマスクをかけられたＣＲＣを伴うＤＣＩグラントが存在し、ＮＤＩが同じＨＡＲＱプロセスの最後のグラントに対して切り替えられている場合に、ＵＥは、グラントを、新しいＴＢのスケジューリング・グラントと見なしてよい。グラントフリー伝送において、最初のグラントフリー伝送のためのスケジューリング・グラントは存在しない。ＤＣＩグラントが再送のためであるかどうかは、グラント内のＮＤＩフィールドの固定値によって決定される。例えば、グラントフリーの最初の送信の後、ＵＥがＧＦ  Ｃ−ＲＮＴＩによってマスクをかけられたＣＲＣを伴うＤＣＩを検出し、ＤＣＩ内のＮＤＩフィールドが１に等しい場合に、ＵＥは、ＤＣＩを、最初のグラントフリー伝送の再送グラントと見なしてよい。再送がどのＴＢのためであるかは、ＤＣＩに含まれるＨＡＲＱプロセスＩＤを用いてＵＥによって識別され得る。グラントフリーのリソースとＨＡＲＱプロセスＩＤとの間には構成又は予め定義されたマッピングが存在してよく、それにより、ＵＥは、ＨＡＲＱプロセスＩＤがどのＴＢに対応するかを知る点に留意されたい。他方で、ＵＥがＧＦ  Ｃ−ＲＮＴＩによってマスクをかけられたＣＲＣを伴うＤＣＩを検出し、ＤＣＩ内のＮＤＩフィールドが０に等しい場合には、ＵＥは、ＤＣＩを、グラントフリー伝送のＡＣＫと見なしてよい。ＡＣＫがグラントフリー伝送のどのＴＢに対応するかは、ＤＣＩに含まれるＨＡＲＱプロセスＩＤ又は番号によって識別され得る。いくつかの実施形態で、ＤＣＩにはＡＣＫ／ＮＡＣＫの明示的なビットが存在しない点に留意されたい。ＵＥは、ＤＣＩがＧＦ  Ｃ−ＲＮＩＴと関連し、ＮＤＩ＝０である場合に、ＤＣＩを、ＤＣＩにおけるＨＡＲＱプロセスＩＤと関連するＴＢのＡＣＫと見なすことができる。いくつかの実施形態で、ＵＥがＧＦ  Ｃ−ＲＮＴＩによってマスクをかけられたＣＲＣを伴うＤＣＩを検出する場合に、ＵＥは、それを、ＮＤＩの値にかかわらず、対応するＨＡＲＱプロセスの再送グラ���トと見なしてよい。すなわち、ＮＤＩはここで、グラントが再送グラントであるかどうかを判定するためには使用されない。いくつかの実施形態で、グラントフリーＴＢのＡＣＫを示すために使用されるＤＣＩは、ＧＢ  Ｃ−ＲＮＴＩによりＣＲＣにマスクをかけてよい。ＵＥがＧＢ  Ｃ−ＲＮＴＩと関連したＤＣＩを検出し、同じＨＡＲＱプロセス（ＤＣＩにおけるＨＡＲＱプロセスＩＤによって識別される。）によるＴＢの前回の送信がグラントフリー伝送である場合に、ＵＥは、ＤＣＩを、ＮＤＩ値にかかわらず、ＨＡＲＱプロセスＩＤと関連したグラントフリーＴＢのＡＣＫと見なしてよい。いくつかの他の実施形態で、ＵＥは、ＮＤＩ＝０の場合に、ＧＢ  Ｃ−ＲＮＴＩと関連したＤＣＩを、グラントフリー伝送のＡＣＫと単に見なす。ＧＢ  Ｃ−ＲＮＴＩと関連したＤＣＩがＡＣＫを示すために使用される場合に、ＵＥはまた、それを、含まれるＨＡＲＱプロセスＩＤとともに新しいＴＢのスケジューリング・グラントを含むものとして見なしてよい。ＵＥが送信すべきデータを有している場合に、ＵＥは、ＧＢ  Ｃ−ＲＮＴＩと関連したＤＣＩにおいて構成されるリソースを用いて、新しいＴＢを送信してよい。いくつかの実施形態で、ＧＦ  Ｃ−ＲＮＴＩと関連したＤＣＩがＡＣＫを示すために使用される場合に、ＵＥは、それを、新しいＴＢのスケジューリング・グラントと見なさなくてよく、グラントに基づき新しいＴＢを送信しなくてよい。いくつかの他の実施形態で、ＧＦ  Ｃ−ＲＮＴＩと関連したＤＣＩがＡＣＫを示すために使用される場合に、ＵＥはまた、それを、含まれるＨＡＲＱプロセスＩＤとともに新しいＴＢのスケジューリング・グラントを含むものとして見なしてよい。ＵＥが送信すべきデータを有している場合に、ＵＥは、ＧＦ  Ｃ−ＲＮＴＩと関連したＤＣＩにおいて構成されるリソースを用いて、新しいＴＢを送信してよい。
【手続補正１０】
【補正対象書類名】明細書
【補正対象項目名】０１４９
【補正方法】変更
【補正の内容】
【０１４９】
いくつかの実施形態で、グループＡＣＫ／ＮＡＣＫは、明示的又は暗黙的にＨＡＲＱプロセス番号（あるいは、ＨＡＲＱプロセスＩＤ、又はＨＡＲＱプロセス番号若しくはトランスポート・ブロック（ＴＢ）インデックスを識別する何らかの属性、例えば、ＭＡシグニチャのインデックス若しくはグラントフリーのアクセス領域のインデックス又は両方の組み合わせ）を含んでよく、これは、送信される複数のＴＢが存在する場合に、グループＡＣＫ／ＮＡＣＫがどのＴＢのために使用されるかを特定するために使用される。ＨＡＲＱプロセスＩＤを含むフォーマットのいくつかは上述されている。ＨＡＲＱプロセスＩＤは、グラントフリーのアップリンク伝送において基地局へ暗黙的又は明示的に信号伝送され得る。暗黙的シグナリングの例は、ＨＡＲＱプロセスＩＤが、ＵＥによって使用されるＭＡシグニチャに基づき、基地局に識別可能である場合である。ＭＡシグニチャは、多重アクセス（ＭＡ）スキーム又は上記の何らかの他の属性のために使用される基準信号又はコードブック／シグニチャ／シーケンスであることができる。例えば、ＭＡスキームが、２つのＴＢ（２つのＨＡＲＱプロセスに対応。）を送信するために２つの異なるコードブックを使用する場合。基地局は、アクティビティ検出を通じてコードブックを識別する。次いで、基地局は、グループＡＣＫ／ＮＡＣＫが対象とするＴＢを特定する、グループＡＣＫ／ＮＡＣＫにおけるコードブック・インデックス又は対応するＨＡＲＱプロセス・インデックスを示してよい。いくつかの実施形態で、ＨＡＲＱプロセスＩＤは、異なるグラントフリーのアクセス領域を通じて暗黙的に識別されることが可能であり得る。例えば、ＵＥが、１時間スロットにおいて２つのグラントフリーのアクセス領域にアクセスすることが可能であるよう構成される場合。ＵＥは、２つの異なるＨＡＲＱプロセスに対応する２つのＴＢを送信してよい。グループＡＣＫ／ＮＡＣＫフィードバックにおいて、グラント・アクセス領域インデックス又はＨＡＲＱプロセスＩＤは、グループＡＣＫ／ＮＡＣＫフィードバックがどのＴＢを対象とするかをＵＥが識別することができるように、暗黙的又は明示的に示され得る。明示的シグナリングの例は、ＨＡＲＱプロセスＩＤを示すグラントフリーのアップリンク・メッセージ内のフィールドを有することである。ＨＡＲＱプロセスＩＤは、よりロバストに保護され得、それにより、基地局は、それがデータを成功裏に復号することができないかもしれない場合でさえ、それを識別することができる。
【手続補正１１】
【補正対象書類名】明細書
【補正対象項目名】０１５７
【補正方法】変更
【補正の内容】
【０１５７】
非同期グループＡＣＫ／ＮＡＣＫは、図１０乃至１３でグループＡＣＫ／ＮＡＣＫについて記載されたものと同様のフォーマットを有し得る。図１０乃至１２のビットマップ・フォーマットでは、パケットＩＤ、パケット到着時間、サブフレーム番号、グラントフリーのリソースのインデックス、及び／又はＨＡＲＱプロセスＩＤの追加は、ＵＥポジション・インデックスに加えられ得る。図１３における集約されたＵＥ  ＩＤのフォーマットでは、パケットＩＤ、パケット到着時間、サブフレーム番号、及び／又はグラントフリーのリソースのインデックスは、単独でフィールドとして又は各ＵＥ  ＩＤの上のフィールドとして又はグループ・インデックスとして加えられ得る。例えば、非同期グループＡＣＫ／ＮＡＣＫは、多数のグループを含んでよく、各グループは、各時間スロットについてグループＡＣＫ／ＮＡＣＫを含む。
【手続補正１２】
【補正対象書類名】明細書
【補正対象項目名】０１６１
【補正方法】変更
【補正の内容】
【０１６１】
図１６は、非同期グループＡＣＫ／ＮＡＣＫの例を表す。時間−周波数パーティションが５つの時間スロットに分けられている。第１時間スロットで、いずれの各々のグラントフリーのアップリンク伝送を介して、ＵＥ１は第１パケットを送り、ＵＥ２も第１パケットを送る。第３時間スロットで、夫々が各々のグラントフリーのアップリンク伝送を介して、ＵＥ１は第２パケットを送り、ＵＥ３は第１パケットを送り、ＵＥ４は第１パケットを送る。第４時間スロットで、ＵＥ５は、グラントフリーのアップリンク伝送において第１パケットを送る。次いで、第５時間スロットの終了後に、基地局は、５つの時間スロットの間に送られたパケットのための非同期グループＡＣＫ／ＮＡＣＫを送る。
【手続補正１３】
【補正対象書類名】明細書
【補正対象項目名】０１８９
【補正方法】変更
【補正の内容】
【０１８９】
連続した繰り返しは、以下の条件のうちの少なくとも１つが満足されるまで、ＵＥ１０２ａによって実行されてよい：
（１）基地局１００がＴＢを成功裏に受信及び復号したことを示すメッセージが、基地局１００から受信される。メッセージはＡＣＫであってよく、あるいは、ＴＢが成功裏に復号されたことをメッセージが承認しているということで、少なくとも、ここでは“ＡＣＫ”と呼ばれる。ＡＣＫは、上記のフォーマットのうちのいずれか１つを有してよい（例えば、専用のダウンリンク・アクノリッジメント・チャネルにおいて送られる、個別的ＤＣＩとして送られる、データ・チャネルにおいて送られる、図１０〜１３のフォーマットのいずれかを有するグループＡＣＫ／ＮＡＣＫの部分として送られる、など）。いくつかの実施形態で、ＡＣＫは、ＵＥ１０２ａが１つ以上の更なるＴＢを送るためのグラントを含んでよい。グラントがＡＣＫの部分として含まれる場合に、ＡＣＫは、実際には、明示的に含まれる必要がない。すなわち、ＵＥ１０２ａがグラントフリーのアップリンク伝送において第１ＴＢを送り、それに応じて、ＵＥ１０２ａが１つ以上の更なるＴＢを送るためのグラントを受ける場合に、ＵＥ１０２ａは、第１ＴＢが基地局１００によって成功裏に復号されたと考える。ＡＣＫは、ＵＥ１０２ａが更なるＴＢを送るためのグラントを受け取ったという事実に基づいて暗黙的である。いくつかの実施形態で、ＴＢの成功した受信のアクノリッジメント／インジケーションは、基地局からのＵＬグラントにある。上述されたように、ＡＣＫフィードバックは、送信される複数のＴＢが存在する場合にＡＣＫがどのＴＢに向けられているかを特定するために使用されるＨＡＲＱプロセス番号（あるいは、ＨＡＲＱプロセスＩＤ、又はＨＡＲＱプロセス番号若しくはＴＢインデックスを識別する何らかの属性、例えば、ＭＡシグニチャのインデックス若しくはグラントフリーのアクセス領域のインデックス又は両方の組み合わせ）を含んでよい。ＨＡＲＱプロセスＩＤは、グラントフリーのアップリンク伝送において基地局へ暗黙的又は明示的に信号により伝えられてよい。暗黙的シグナリングの例は、ＨＡＲＱプロセスＩＤが、ＵＥによって使用されるＭＡシグニチャに基づき、基地局に識別可能である場合である。ＭＡシグニチャは、多重アクセス（ＭＡ）スキーム又は上記の何らかの他の属性のために使用される基準信号又はコードブック／シグニチャ／シーケンスであることができる。例えば、ＭＡスキームが、２つのＴＢ（２つのＨＡＲＱプロセスに対応。）を送信するために２つの異なるコードブックを使用する場合。基地局は、アクティビティ検出を通じてコードブックを識別する。次いで、基地局は、ＡＣＫが対象とするＴＢを特定する、グラントにおけるコードブック・インデックス又は対応するＨＡＲＱプロセス・インデックスを示してよい。いくつかの実施形態で、ＨＡＲＱプロセスＩＤは、異なるグラントフリーのアクセス領域を通じて暗黙的に識別されることが可能であり得る。例えば、ＵＥが、１時間スロットにおいて２つのグラントフリーのアクセス領域にアクセスすることが可能であるよう構成される場合。ＵＥは、２つの異なるＨＡＲＱプロセスに対応する２つのＴＢを送信してよい。ＵＬグラントにおいて、グラント・アクセス領域インデックス又はＨＡＲＱプロセスＩＤは、ＡＣＫがどのＴＢを対象とするかをＵＥが識別することができるように、暗黙的又は明示的に示され得る。明示的シグナリングの例は、ＨＡＲＱプロセスＩＤを示すグラントフリーのアップリンク・メッセージ内のフィールドを有することである。ＨＡＲＱプロセスＩＤは、よりロバストに保護され得、それにより、基地局は、それがデータを成功裏に復号することができないかもしれない場合でさえ、それを識別することができる。
且つ／あるいは
（２）ＴＢの繰り返しの数がＫに達する。すなわち、ＵＥ１０２ａがＫ回の再送を実行しており、ＡＣＫが依然として基地局１００から受信されない場合に、ＵＥ１０２ａは、ＴＢを基地局１００へ送ろうとすることをあきらめる。いくつかの実施形態で、Ｋは、基地局１００によって半静的に構成され、それにより、基地局１００／ネットワークは、時間にわたってＫを調整することができる。
且つ／あるいは
（３）グラントが、グラントフリーからグラントベースへの切り替えを実行する基地局から受信される。すなわち、基地局１００は、再送の１つ以上を実行するようＵＥ１０２ａへグラントを送る。アップリンク・グラントがＴＢのスロット／ミニスロットについて成功裏に受信される場合に、アップリンク・グラント割り当ては、そのＴＢのそのスロット／ミニスロットについてのグラントフリー割り当てを無効にし、そして、ＵＥの送信／再送は、そのＴＢのそのスロット／ミニスロットについてのアップリンク・グラントに従う。上述されたように、グラントは、送信される複数のＴＢが存在する場合にグラントがどのＴＢに向けられているかを特定するために使用されるＨＡＲＱプロセス番号（あるいは、ＨＡＲＱプロセスＩＤ、又はＨＡＲＱプロセス番号若しくはＴＢインデックスを識別する何らかの属性、例えば、ＭＡシグニチャのインデックス若しくはグラントフリーのアクセス領域のインデックス又は両方の組み合わせ）を含んでよい。ＨＡＲＱプロセスＩＤは、グラントフリーのアップリンク伝送において基地局へ暗黙的又は明示的に信号により伝えられてよい。暗黙的シグナリングの例は、ＨＡＲＱプロセスＩＤが、ＵＥによって使用されるＭＡシグニチャに基づき、基地局に識別可能である場合である。ＭＡシグニチャは、多重アクセス（ＭＡ）スキーム又は上記の何らかの他の属性のために使用されるＲＳ又はコードブック／シグニチャ／シーケンスであることができる。例えば、ＭＡスキームが、２つのＴＢ（２つのＨＡＲＱプロセスに対応。）を送信するために２つの異なるコードブックを使用する場合。基地局は、アクティビティ検出を通じてコードブックを識別する。次いで、基地局は、グラントが対象とするＴＢを特定する、グラントにおけるコードブック・インデックス又は対応するＨＡＲＱプロセス・インデックスを示してよい。いくつかの実施形態で、ＨＡＲＱプロセスＩＤは、異なるグラントフリーのアクセス領域を通じて暗黙的に識別されることが可能であり得る。例えば、ＵＥが、１時間スロットにおいて２つのグラントフリーのアクセス領域にアクセスすることが可能であるよう構成される場合。ＵＥは、２つの異なるＨＡＲＱプロセスに対応する２つのＴＢを送信してよい。ＵＬグラントにおいて、グラント・アクセス領域インデックス又はＨＡＲＱプロセスＩＤは、グラントがどのＴＢを対象とするかをＵＥが識別することができるように、暗黙的又は明示的に示され得る。明示的シグナリングの例は、ＨＡＲＱプロセスＩＤを示すグラントフリーのアップリンク・メッセージ内のフィールドを有することである。ＨＡＲＱプロセスＩＤは、よりロバストに保護され得、それにより、基地局は、それがデータを成功裏に復号することができないかもしれない場合でさえ、それを識別することができる。これは、グラントフリー割り当てがミニスロットに基づくスロット（逆もまた同様）に基づきアップリンク・グラントがスケジューリングされると仮定しない点に留意されたい。
【手続補正１４】
【補正対象書類名】明細書
【補正対象項目名】０１９７
【補正方法】変更
【補正の内容】
【０１９７】
ＴＢは、グラントフリーのアップリンク伝送を用いてＵＥ１０２ａから基地局１００へ送られる。それに応じて、グラントフリーのアップリンク伝送のためのＨＡＲＱフィードバック（例えば、ＡＣＫ／ＮＡＣＫ、グラント、など）が基地局１００によってＵＥ１０２ａへ供給される。いくつかの実施形態で、ＴＢの成功した受信のアクノリッジメント／インジケーション（例えば、ＡＣＫ）は、基地局１００からのアップリンク・グラントの形をとる。上述されたように、いくつかの実施形態で、ＡＣＫ／ＮＡＣＫフィードバックは、送信される複数のＴＢが存在する場合にＡＣＫ／ＮＡＣＫがどのＴＢに向けられているかを特定するために使用されるＨＡＲＱプロセス番号（あるいは、ＨＡＲＱプロセスＩＤ、又はＨＡＲＱプロセス番号若しくはＴＢインデックスを識別する何らかの属性、例えば、ＭＡシグニチャのインデックス若しくはグラントフリーのアクセス領域のインデックス又は両方の組み合わせ）を含んでよい。ＨＡＲＱプロセスＩＤは、ＵＥ１０２ａからグラントフリーのアップリンク伝送において基地局１００へ暗黙的又は明示的に信号により伝えられてよい。暗黙的シグナリングの例は、ＨＡＲＱプロセスＩＤが、グラントフリーのアップリンク伝送においてＵＥ１０２ａによって使用されたＭＡシグニチャに基づき、基地局１００に識別可能である場合である。ＭＡシグニチャは、多重アクセス（ＭＡ）スキーム又は上記の何らかの他の属性のために使用される基準信号又はコードブック／シグニチャ／シーケンスであってよい。例えば、ＭＡスキームが、２つのＴＢ（２つのＨＡＲＱプロセスに対応。）を送信するために２つの異なるコードブックを使用する場合。基地局１００は、アクティビティ検出を通じてコードブックを識別する。次いで、基地局１００は、ＡＣＫが対象とするＴＢを特定する、そのグラントにおけるコードブック・インデックス又は対応するＨＡＲＱプロセス・インデックスを示してよい。いくつかの実施形態で、ＨＡＲＱプロセスＩＤは、異なるグラントフリーのアクセス領域を通じて基地局１００によって暗黙的に識別されることが可能であり得る。例えば、ＵＥ１０２ａが、１時間スロットにおいて２つのグラントフリーのアクセス領域にアクセスすることが可能であるよう構成される場合。ＵＥ１０２ａは、２つの異なるＨＡＲＱプロセスに対応する２つのＴＢを送信してよい。基地局１００からのアップリンク・グラントにおいて、グラント・アクセス領域インデックス又はＨＡＲＱプロセスＩＤは、ＡＣＫがどのＴＢを対象とするかをＵＥ１０２ａが識別することができるように、暗黙的又は明示的に示され得る。明示的シグナリングの例は、ＨＡＲＱプロセスＩＤを示すグラントフリーのアップリンク・メッセージ内のフィールドを有することである。ＨＡＲＱプロセスＩＤは、よりロバストに保護され得、それにより、基地局１００は、それがデータを成功裏に復号することができないかもしれない場合でさえ、それを識別することができる。
【手続補正１５】
【補正対象書類名】明細書
【補正対象項目名】０２４１
【補正方法】変更
【補正の内容】
【０２４１】
例３６：例３４又は３５の方法であって、前記グループＡＣＫ／ＮＡＣＫメッセージは、前記第１ＵＥへのアップリンク伝送を許可するグラントを含む、方法。
【手続補正１６】
【補正対象書類名】明細書
【補正対象項目名】０２４５
【補正方法】変更
【補正の内容】
【０２４５】
例４０：例３４乃至３９のうちいずれか１つの方法であって、前記第１ＵＥ及び前記第２ＵＥは、グループ識別子（ＩＤ）を有しているグループ内にあり、前記グループＡＣＫ／ＮＡＣＫメッセージは、前記グループＩＤと関連付けられる、方法。
【手続補正１７】
【補正対象書類名】明細書
【補正対象項目名】０２５７
【補正方法】変更
【補正の内容】
【０２５７】
例５２：例４０乃至５０のうちいずれか１つの方法であって、前記グループＡＣＫ／ＮＡＣＫメッセージは、グループ共通ダウンリンク制御情報（ＤＣＩ）において送られる、方法。
【手続補正１８】
【補正対象書類名】明細書
【補正対象項目名】０２６９
【補正方法】変更
【補正の内容】
【０２６９】
例６４：例３４乃至６３のうちいずれか１つの方法であって、前記グループＡＣＫ／ＮＡＣＫメッセージは、全ての受信されたパケットが１ＴＴＩ又は１時間スロット又は１サブフレームにおいて成功裏に復号されたことについてのＡＣＫを示す、方法。
【手続補正１９】
【補正対象書類名】明細書
【補正対象項目名】０２７５
【補正方法】変更
【補正の内容】
【０２７５】
例７０：例３４乃至６９のうちいずれか１つの方法であって、前記第１のグラントフリーのアップリンク伝送は、トランスポート・ブロックの複数のアップリンク反復のうちの１つであり、前記グループＡＣＫ／ＮＡＣＫメッセージは、前記複数のアップリンク反復を終了するために使用される、方法。
【手続補正２０】
【補正対象書類名】明細書
【補正対象項目名】０２７６
【補正方法】変更
【補正の内容】
【０２７６】
例７１：例７０の方法であって、前記グループＡＣＫ／ＮＡＣＫメッセージは、前記複数のアップリンク反復を終了するために、前記第１のグラントフリーのアップリンク伝送に対応するＡＣＫを示す、方法。
【手続補正２１】
【補正対象書類名】明細書
【補正対象項目名】０２７７
【補正方法】変更
【補正の内容】
【０２７７】
例７２：例３４乃至７１のうちいずれか１つの方法であって、（ｉ）前記第１のグラントフリーのアップリンク伝送及び前記第２のグラントフリーのアップリンク伝送が送られたアップリンク時間−周波数リソースと、（ｉｉ）前記グループＡＣＫ／ＮＡＣＫメッセージが送られるダウンリンク時間−周波数リソースとの間には、固定のタイミング関係がある、方法。
【手続補正２２】
【補正対象書類名】明細書
【補正対象項目名】０２７８
【補正方法】変更
【補正の内容】
【０２７８】
例７３：例３４乃至７１のうちいずれか１つの方法であって、（ｉ）前記第１のグラントフリーのアップリンク伝送及び前記第２のグラントフリーのアップリンク伝送が送られたサブフレーム又は時間単位と、（ｉｉ）前記グループＡＣＫ／ＮＡＣＫメッセージが送られるサブフレーム又は時間単位との間には、固定のタイミング関係がある、方法。
【手続補正２３】
【補正対象書類名】明細書
【補正対象項目名】０２８７
【補正方法】変更
【補正の内容】
【０２８７】
例８２：第１ユーザ機器（ＵＥ）によって実行される方法であって：第１のグラントフリーのアップリンク伝送を基地局へ送ることと；前記第１のグラントフリーのアップリンク伝送に対応するＡＣＫ又はＮＡＣＫと、第２ＵＥからの第２のグラントフリーのアップリンク伝送に対応するＡＣＫ又はＮＡＣＫとを示すペイロードを有するグループＡＣＫ／ＮＡＣＫメッセージを受けることとを有する方法。
【手続補正２４】
【補正対象書類名】明細書
【補正対象項目名】０２８８
【補正方法】変更
【補正の内容】
【０２８８】
例８３：例８２の方法であって、前記第１ＵＥ及び前記第２ＵＥは、グループ識別子（ＩＤ）を有しているグループ内にあり、前記グループＡＣＫ／ＮＡＣＫメッセージは、前記グループＩＤと関連付けられる、方法。
【手続補正２５】
【補正対象書類名】明細書
【補正対象項目名】０３００
【補正方法】変更
【補正の内容】
【０３００】
例９５：例８３乃至９４のうちいずれか１つの方法であって、前記グループＡＣＫ／ＮＡＣＫメッセージは、グループ共通ダウンリンク制御情報（ＤＣＩ）において受け取られる、方法。
【手続補正２６】
【補正対象書類名】明細書
【補正対象項目名】０３１８
【補正方法】変更
【補正の内容】
【０３１８】
例１１３：例８２乃至１１２のうちいずれか１つの方法であって、前記第１のグラントフリーのアップリンク伝送は、トランスポート・ブロックの複数のアップリンク反復のうちの１つであり、前記グループＡＣＫ／ＮＡＣＫメッセージは、前記複数のアップリンク反復を終了するために使用される、方法。
【手続補正２７】
【補正対象書類名】明細書
【補正対象項目名】０３１９
【補正方法】変更
【補正の内容】
【０３１９】
例１１４：例１１３の方法であって、前記グループＡＣＫ／ＮＡＣＫメッセージは、前記複数のアップリンク反復を終了するために、前記第１のグラントフリーのアップリンク伝送に対応するＡＣＫを示す、方法。
【手続補正２８】
【補正対象書類名】明細書
【補正対象項目名】０３２０
【補正方法】変更
【補正の内容】
【０３２０】
例１１５：例８２乃至１１４のうちいずれか１つの方法であって、（ｉ）前記第１のグラントフリーのアップリンク伝送が送られるアップリンク時間−周波数リソースと、（ｉｉ）前記グループＡＣＫ／ＮＡＣＫメッセージが受け取られるダウンリンク時間−周波数リソースとの間には、固定のタイミング関係がある、方法。
【手続補正２９】
【補正対象書類名】明細書
【補正対象項目名】０３２１
【補正方法】変更
【補正の内容】
【０３２１】
例１１６：例８２乃至１１４のうちいずれか１つの方法であって、（ｉ）前記第１のグラントフリーのアップリンク伝送が送られるサブフレーム又は時間単位と、（ｉｉ）前記グループＡＣＫ／ＮＡＣＫメッセージが受け取られるサブフレーム又は時間単位との間には、固定のタイミング関係がある、方法。
【手続補正３０】
【補正対象書類名】明細書
【補正対象項目名】０３３２
【補正方法】変更
【補正の内容】
【０３３２】
例１２７：例８２乃至１２６のうちいずれか１つの方法であって、前記グループＡＣＫ／ＮＡＣＫメッセージは、前記ＵＥへのアップリンク伝送を許可するグラントを含む、方法。
【手続補正３１】
【補正対象書類名】明細書
【補正対象項目名】０３７４
【補正方法】変更
【補正の内容】
【０３７４】
例１６９：基地局によって実行される方法であって：グラントフリーのアップリンク伝送のためにユーザ機器（ＵＥ）によって使用される変調及び符号化スキーム（ＭＣＳ）のインジケーションを前記ＵＥへ送ることと；前記ＵＥから、前記ＭＣＳを有するデータを運ぶ前記グラントフリーのアップリンク伝送を受けることとを有する方法。
【手続補正３２】
【補正対象書類名】明細書
【補正対象項目名】０３７９
【補正方法】変更
【補正の内容】
【０３７９】
例１７４：グラントフリーのアップリンク伝送のためにユーザ機器（ＵＥ）によって使用される変調及び符号化スキーム（ＭＣＳ）のインジケーションを前記ＵＥへ送る送信器と；前記ＵＥから、前記ＭＣＳを有するデータを運ぶ前記グラントフリーのアップリンク伝送を受ける受信器とを有する基地局。
【手続補正３３】
【補正対象書類名】明細書
【補正対象項目名】０３８１
【補正方法】変更
【補正の内容】
【０３８１】
例１７６：ユーザ機器（ＵＥ）によって実行される方法であって：グラントフリーのアップリンク伝送のために前記ＵＥによって使用される変調及び符号化スキーム（ＭＣＳ）のインジケーションを基地局から受けることと；前記ＭＣＳを有するデータを運ぶ前記グラントフリーのアップリンク伝送を前記基地局へ送ることとを有する方法。
【手続補正３４】
【補正対象書類名】明細書
【補正対象項目名】０３８６
【補正方法】変更
【補正の内容】
【０３８６】
例１８１：ユーザ機器（ＵＥ）であって：グラントフリーのアップリンク伝送のために前記ＵＥによって使用される変調及び符号化スキーム（ＭＣＳ）のインジケーションを基地局から受ける受信器と；前記ＭＣＳを有するデータを運ぶ前記グラントフリーのアップリンク伝送を前記基地局へ送る送信器とを有するＵＥ。
【手続補正３５】
【補正対象書類名】明細書
【補正対象項目名】０３９８
【補正方法】変更
【補正の内容】
【０３９８】
例１９３：基地局によって実行される方法であって：第１のグラントフリーのアップリンク伝送を第１ユーザ機器（ＵＥ）から受けることと；第２のグラントフリーのアップリンク伝送を第２ＵＥから受けることと；グループＡＣＫ／ＮＡＣＫメッセージを前記第１ＵＥへ及び前記第２ＵＥへ送ることとを有し、前記第１ＵＥ及び前記第２ＵＥは、グループ識別子（ＩＤ）を有するグループ内にあり、前記グループＡＣＫ／ＮＡＣＫメッセージは前記グループＩＤと関連付けられ、前記グループＩＤは、前記第１のグラントフリーのアップリンク伝送が送られたサブフレーム、スロット番号、及びフレーム番号のうちの少なくとも１つの関数である、方法。
【手続補正３６】
【補正対象書類名】明細書
【補正対象項目名】０３９９
【補正方法】変更
【補正の内容】
【０３９９】
例１９４：第１ＵＥによって実行される方法であって：第１のグラントフリーのアップリンク伝送を基地局へ送ることと；前記第１ＵＥ及び第２ＵＥへ向けられたグループＡＣＫ／ＮＡＣＫメッセージを受けることとを有し、前記第１ＵＥ及び前記第２ＵＥは、グループ識別子（ＩＤ）を有するグループ内にあり、前記グループＡＣＫ／ＮＡＣＫメッセージは前記グループＩＤと関連付けられ、前記グループＩＤは、前記第１のグラントフリーのアップリンク伝送が送られたサブフレーム、スロット番号、及びフレーム番号のうちの少なくとも１つの関数である、方法。
【手続補正３７】
【補正対象書類名】明細書
【補正対象項目名】０４０１
【補正方法】変更
【補正の内容】
【０４０１】
例１９６：例１９５の方法であって、前記第１ＵＥ及び前記第２ＵＥは、グループ識別子（ＩＤ）を有するグループ内にあり、前記グループＡＣＫ／ＮＡＣＫメッセージは前記グループＩＤと関連付けられ、前記グループＩＤは、前記第１のグラントフリーのアップリンク伝送が送られたグラントフリーのリソースの関数である、方法。
【手続補正３８】
【補正対象書類名】明細書
【補正対象項目名】０４０２
【補正方法】変更
【補正の内容】
【０４０２】
例１９７：例１９５の方法であって、前記第１ＵＥ及び前記第２ＵＥは、グループＩＤを有するグループ内にあり、前記グループＡＣＫ／ＮＡＣＫメッセージは前記グループＩＤと関連付けられ、前記グループＡＣＫ／ＮＡＣＫメッセージは、グループ共通ダウンリンク制御情報（ＤＣＩ）において送信され、前記グループ共通ＤＣＩの巡回冗長検査（ＣＲＣ）は前記グループＩＤによってマスクをかけられる、方法。
【手続補正３９】
【補正対象書類名】明細書
【補正対象項目名】０４０９
【補正方法】変更
【補正の内容】
【０４０９】
例２０４：例２０３の基地局であって、前記第１ＵＥ及び前記第２ＵＥは、グループ識別子（ＩＤ）を有するグループ内にあり、前記グループＡＣＫ／ＮＡＣＫメッセージは前記グループＩＤと関連付けられ、前記グループＩＤは、前記第１のグラントフリーのアップリンク伝送が送られたグラントフリーのリソースの関数である、基地局。
【手続補正４０】
【補正対象書類名】明細書
【補正対象項目名】０４１０
【補正方法】変更
【補正の内容】
【０４１０】
例２０５：例２０３の基地局であって、前記第１ＵＥ及び前記第２ＵＥは、グループＩＤを有するグループ内にあり、前記グループＡＣＫ／ＮＡＣＫメッセージは前記グループＩＤと関連付けられ、前記基地局は、グループ共通ダウンリンク制御情報（ＤＣＩ）において前記グループＡＣＫ／ＮＡＣＫメッセージを送信し、前記グループＩＤによって前記グループ共通ＤＣＩの巡回冗長検査（ＣＲＣ）にマスクをかける、基地局。
【手続補正４１】
【補正対象書類名】明細書
【補正対象項目名】０４１６
【補正方法】変更
【補正の内容】
【０４１６】
例２１１：例２１０の方法であって、前記第１ＵＥ及び前記第２ＵＥは、グループ識別子（ＩＤ）を有するグループ内にあり、前記グループＡＣＫ／ＮＡＣＫメッセージは前記グループＩＤと関連付けられ、前記グループＩＤは、前記第１のグラントフリーのアップリンク伝送が送られるグラントフリーのリソースの関数である、方法。
【手続補正４２】
【補正対象書類名】明細書
【補正対象項目名】０４１７
【補正方法】変更
【補正の内容】
【０４１７】
例２１２：例２１０の方法であって、前記第１ＵＥ及び前記第２ＵＥは、グループＩＤを有するグループ内にあり、前記グループＡＣＫ／ＮＡＣＫメッセージは前記グループＩＤと関連付けられ、前記グループＡＣＫ／ＮＡＣＫメッセージは、グループ共通ダウンリンク制御情報（ＤＣＩ）において受信され、前記グループ共通ＤＣＩの巡回冗長検査（ＣＲＣ）は前記グループＩＤによってマスクをかけられる、方法。
【手続補正４３】
【補正対象書類名】明細書
【補正対象項目名】０４２４
【補正方法】変更
【補正の内容】
【０４２４】
例２１９：例２１８の第１ＵＥであって、前記第１ＵＥ及び前記第２ＵＥは、グループ識別子（ＩＤ）を有するグループ内にあり、前記グループＡＣＫ／ＮＡＣＫメッセージは前記グループＩＤと関連付けられ、前記グループＩＤは、前記第１のグラントフリーのアップリンク伝送が送られるグラントフリーのリソースの関数である、第１ＵＥ。
【手続補正４４】
【補正対象書類名】明細書
【補正対象項目名】０４２５
【補正方法】変更
【補正の内容】
【０４２５】
例２２０：例２１８の第１ＵＥであって、前記第１ＵＥ及び前記第２ＵＥは、グループＩＤを有するグループ内にあり、前記グループＡＣＫ／ＮＡＣＫメッセージは前記グループＩＤと関連付けられ、前記受信器は、前記グループＡＣＫ／ＮＡＣＫメッセージをグループ共通ダウンリンク制御情報（ＤＣＩ）において受信し、前記グループ共通ＤＣＩの巡回冗長検査（ＣＲＣ）は前記グループＩＤによってマスクをかけられる、第１ＵＥ。
【手続補正４５】
【補正対象書類名】明細書
【補正対象項目名】０４２９
【補正方法】変更
【補正の内容】
【０４２９】
例２２４：例２２２の第１ＵＥであって、前記ペイロードにおける前記第１ビットの位置は、前記第１ＵＥが前記第１のグラントフリーのアップリンク伝送を送ることより前に、無線リソース制御（ＲＲＣ）シグナリングにより前記第１ＵＥへ信号伝送される、第１ＵＥ。  
例１Ａ：基地局によって実行される方法であって：第１のグラントフリーのアップリンク伝送を第１ユーザ機器（ＵＥ）から受けることと；第２のグラントフリーのアップリンク伝送を第２ＵＥから受けることと；前記第１のグラントフリーのアップリンク伝送に対応するＡＣＫ又はＮＡＣＫ及び前記第２のグラントフリーのアップリンク伝送に対応するＡＣＫ又はＮＡＣＫを示すグループＡＣＫ／ＮＡＣＫメッセージを前記第１ＵＥへ及び前記第２ＵＥへ送ることとを有する方法。 
例２Ａ：例１Ａの方法であって、前記第１ＵＥ及び前記第２ＵＥは、グループ識別子（ＩＤ）を有するグループ内にあり、前記グループＡＣＫ／ＮＡＣＫメッセージは、前記グループＩＤと関連付けられ、前記グループＩＤは、前記第１のグラントフリーのアップリンク伝送が送られたグラントフリーのリソースの関数である、方法。 
例３Ａ：例１Ａの方法であって、前記第１ＵＥ及び前記第２ＵＥは、グループＩＤを有するグループ内にあり、前記グループＡＣＫ／ＮＡＣＫメッセージは、前記グループＩＤと関連付けられ、前記グループＡＣＫ／ＮＡＣＫメッセージは、グループ共通ダウンリンク制御情報（ＤＣＩ）において送信され、前記グループ共通ＤＣＩの巡回冗長検査（ＣＲＣ）は、前記グループＩＤによってマスクをかけられる、方法。 
例４Ａ：例２Ａ又は例３Ａの方法であって、前記グループＩＤは、前記第１のグラントフリーのアップリンク伝送が送られた時間単位及び周波数位置のうちの少なくとも一方の関数である、方法。 
例５Ａ：例２Ａ又は例３Ａの方法であって、前記グループＩＤは、無線ネットワーク一時識別子（ＲＮＴＩ）であり、無線リソース制御（ＲＲＣ）シグナリングにおいて前記第１ＵＥへ信号伝送される、方法。 
例６Ａ：例１Ａ乃至例５Ａのうちいずれか１つの方法であって、前記グループＡＣＫ／ＮＡＣＫメッセージは、前記ＡＣＫ又はＮＡＣＫを示すペイロードを有し、該ペイロードは、前記第１のグラントフリーのアップリンク伝送に対応する第１ビットと、前記第２のグラントフリーのアップリンク伝送に対応する第２ビットとを有し、各ビットは、アクティビティ検出が成功したかどうか又はデータ復号化が成功したかどうかを示す、方法。 
例７Ａ：例６Ａの方法であって、前記ペイロードにおける前記第１ビット及び前記第２ビットの位置は、前記第１のグラントフリーのアップリンク伝送及び前記第２のグラントフリーのアップリンク伝送のＭＡシグニチャ及びＨＡＲＱプロセスＩＤのうちの少なくとも１つに対応する、方法。 
例８Ａ：例６Ａの方法であって、前記ペイロードにおける前記第１ビットの位置は、前記第１ＵＥが前記第１のグラントフリーのアップリンク伝送を送ることより前に、無線リソース制御（ＲＲＣ）シグナリングにより前記第１ＵＥへ信号伝送される、方法。 
例９Ａ：第１のグラントフリーのアップリンク伝送を第１ユーザ機器（ＵＥ）から受け、第２のグラントフリーのアップリンク伝送を第２ＵＥから受ける受信器と、前記第１のグラントフリーのアップリンク伝送に対応するＡＣＫ又はＮＡＣＫ及び前記第２のグラントフリーのアップリンク伝送に対応するＡＣＫ又はＮＡＣＫを示すグループＡＣＫ／ＮＡＣＫメッセージを生成するグラントフリー伝送モジュールとを有する基地局。 
例１０Ａ：例９Ａの基地局であって、前記第１ＵＥ及び前記第２ＵＥは、グループ識別子（ＩＤ）を有するグループ内にあり、前記グループＡＣＫ／ＮＡＣＫメッセージは前記グループＩＤと関連付けられ、前記グループＩＤは、前記第１のグラントフリーのアップリンク伝送が送られたグラントフリーのリソースの関数である、基地局。 
例１１Ａ：例９Ａの基地局であって、前記第１ＵＥ及び前記第２ＵＥは、グループＩＤを有するグループ内にあり、前記グループＡＣＫ／ＮＡＣＫメッセージは前記グループＩＤと関連付けられ、前記基地局は、グループ共通ダウンリンク制御情報（ＤＣＩ）において前記グループＡＣＫ／ＮＡＣＫメッセージを送信し、前記グループＩＤによって前記グループ共通ＤＣＩの巡回冗長検査（ＣＲＣ）にマスクをかける、基地局。 
例１２Ａ：例１０Ａ又は例１１Ａの基地局であって、前記グループＩＤは、前記第１のグラントフリーのアップリンク伝送が送られた時間単位及び周波数位置のうちの少なくとも一方の関数である、基地局。 
例１３Ａ：例９Ａ乃至例１２Ａのうちいずれか１つの基地局であって、前記グループＡＣＫ／ＮＡＣＫメッセージは、前記ＡＣＫ又はＮＡＣＫを示すペイロードを有し、該ペイロードは、前記第１のグラントフリーのアップリンク伝送に対応する第１ビットと、前記第２のグラントフリーのアップリンク伝送に対応する第２ビットとを有し、各ビットは、アクティビティ検出が成功したかどうか又はデータ復号化が成功したかどうかを示す、基地局。 
例１４Ａ：例１３Ａの基地局であって、前記ペイロードにおける前記第１ビット及び前記第２ビットの位置は、前記第１のグラントフリーのアップリンク伝送及び前記第２のグラントフリーのアップリンク伝送のＭＡシグニチャ及びＨＡＲＱプロセスＩＤのうちの少なくとも１つに対応する、基地局。 
例１５Ａ：例１３Ａの基地局であって、前記基地局は、前記第１ＵＥが前記第１のグラントフリーのアップリンク伝送を送ることより前に、前記ペイロードにおける前記第１ビットの位置を無線リソース制御（ＲＲＣ）シグナリングにより前記第１ＵＥへ信号伝送する、基地局。 
例１６Ａ：第１ユーザ機器（ＵＥ）によって実行される方法であって：第１のグラントフリーのアップリンク伝送を基地局へ送ることと、前記第１のグラントフリーのアップリンク伝送に対応するＡＣＫ又はＮＡＣＫ及び第２ＵＥからの第２のグラントフリーのアップリンク伝送に対応するＡＣＫ又はＮＡＣＫを示すグループＡＣＫ／ＮＡＣＫメッセージを受けることとを有する方法。 
例１７Ａ：例１６Ａの方法であって、前記第１ＵＥ及び前記第２ＵＥは、グループ識別子（ＩＤ）を有するグループ内にあり、前記グループＡＣＫ／ＮＡＣＫメッセージは前記グループＩＤと関連付けられ、前記グループＩＤは、前記第１のグラントフリーのアップリンク伝送が送られるグラントフリーのリソースの関数である、方法。 
例１８Ａ：例１６Ａの方法であって、前記第１ＵＥ及び前記第２ＵＥは、グループＩＤを有するグループ内にあり、前記グループＡＣＫ／ＮＡＣＫメッセージは前記グループＩＤと関連付けられ、前記グループＡＣＫ／ＮＡＣＫメッセージは、グループ共通ダウンリンク制御情報（ＤＣＩ）において受信され、前記グループ共通ＤＣＩの巡回冗長検査（ＣＲＣ）は、前記グループＩＤによってマスクをかけられる、方法。 
例１９Ａ：例１７Ａ又は例１８Ａの方法であって、前記グループＩＤは、前記第１のグラントフリーのアップリンク伝送が送られる時間単位及び周波数位置のうちの少なくとも一方の関数である、方法。 
例２０Ａ：例１７Ａ又は例１８Ａの方法であって、前記グループＩＤは、無線ネットワーク一時識別子（ＲＮＴＩ）であり、無線リソース制御（ＲＲＣ）シグナリングにおいて前記第１ＵＥへ信号伝送される、方法。 
例２１Ａ：例１６Ａ乃至例２０Ａのうちいずれか１つの方法であって、前記グループＡＣＫ／ＮＡＣＫメッセージは、前記ＡＣＫ又はＮＡＣＫを示すペイロードを有し、該ペイロードは、前記第１のグラントフリーのアップリンク伝送に対応する第１ビットと、前記第２のグラントフリーのアップリンク伝送に対応する第２ビットとを有し、各ビットは、アクティビティ検出が成功したかどうか又はデータ復号化が成功したかどうかを示す、方法。 
例２２Ａ：例２１Ａの方法であって、前記ペイロードにおける前記第１ビット及び前記第２ビットの位置は、前記第１のグラントフリーのアップリンク伝送及び前記第２のグラントフリーのアップリンク伝送のＭＡシグニチャ及びＨＡＲＱプロセスＩＤのうちの少なくとも１つに対応する、方法。 
例２３Ａ：例２１Ａの方法であって、前記ペイロードにおける前記第１ビットの位置は、前記第１ＵＥが前記第１のグラントフリーのアップリンク伝送を送ることより前に、無線リソース制御（ＲＲＣ）シグナリングにより前記第１ＵＥへ信号伝送される、方法。 
例２４Ａ：第１のグラントフリーのアップリンク伝送を基地局へ送る送信器と、前記第１のグラントフリーのアップリンク伝送に対応するＡＣＫ又はＮＡＣＫ及び第２ＵＥからの第２のグラントフリーのアップリンク伝送に対応するＡＣＫ又はＮＡＣＫを示すグループＡＣＫ／ＮＡＣＫメッセージを受ける受信器とを有する第１ユーザ機器（ＵＥ）。 
例２５Ａ：例２４Ａの第１ＵＥであって、前記第１ＵＥ及び前記第２ＵＥは、グループ識別子（ＩＤ）を有するグループ内にあり、前記グループＡＣＫ／ＮＡＣＫメッセージは前記グループＩＤと関連付けられ、前記グループＩＤは、前記第１のグラントフリーのアップリンク伝送が送られるグラントフリーのリソースの関数である、第１ＵＥ。 
例２６Ａ：例２４Ａの第１ＵＥであって、前記第１ＵＥ及び前記第２ＵＥは、グループＩＤを有するグループ内にあり、前記グループＡＣＫ／ＮＡＣＫメッセージは前記グループＩＤと関連付けられ、前記受信器は、前記グループＡＣＫ／ＮＡＣＫメッセージをグループ共通ダウンリンク制御情報（ＤＣＩ）において受信し、前記グループ共通ＤＣＩの巡回冗長検査（ＣＲＣ）は、前記グループＩＤによってマスクをかけられる、第１ＵＥ。 
例２７Ａ：例２５Ａ又は例２６Ａの第１ＵＥであって、前記グループＩＤは、前記第１のグラントフリーのアップリンク伝送が送られる時間単位及び周波数位置のうちの少なくとも一方の関数である、第１ＵＥ。 
例２８Ａ：例２４Ａ乃至例２７Ａのうちいずれか１つの第１ＵＥであって、前記グループＡＣＫ／ＮＡＣＫメッセージは、前記ＡＣＫ又はＮＡＣＫを示すペイロードを有し、該ペイロードは、前記第１のグラントフリーのアップリンク伝送に対応する第１ビットと、前記第２のグラントフリーのアップリンク伝送に対応する第２ビットとを有し、各ビットは、アクティビティ検出が成功したかどうか又はデータ復号化が成功したかどうかを示す、第１ＵＥ。 
例２９Ａ：例２８の第１ＵＥであって、前記ペイロードにおける前記第１ビット及び前記第２ビットの位置は、前記第１のグラントフリーのアップリンク伝送及び前記第２のグラントフリーのアップリンク伝送のＭＡシグニチャ及びＨＡＲＱプロセスＩＤのうちの少なくとも１つに対応する、第１ＵＥ。 
例３０Ａ：例２８Ａの第１ＵＥであって、前記ペイロードにおける前記第１ビットの位置は、前記第１ＵＥが前記第１のグラントフリーのアップリンク伝送を送ることより前に、無線リソース制御（ＲＲＣ）シグナリングにより前記第１ＵＥへ信号伝送される、第１ＵＥ。
【手続補正４６】
【補正対象書類名】明細書
【補正対象項目名】０４３１
【補正方法】変更
【補正の内容】
【０４３１】
更には、命令を実行する、ここで例示される如何なるモジュール、コンポーネント、又はデバイスも、コンピュータ／プロセッサ読み出し可能な命令、データ構造、プログラム・モジュール、又は他のデータのような情報の記憶のための非一時的なコンピュータ／プロセッサ可読記憶媒体又は複数の媒体を含むか、あるいは別なふうに、それへのアクセスを有し得る。非一時的なコンピュータ／プロセッサ可読記憶媒体の例の非包括的なリストは、磁気カセット、磁気テープ、磁気ディスク・ストレージ若しくは他の磁気記憶デバイス、コンパクト・ディスク型リード・オンリー・メモリ（ＣＤ−ＲＯＭ）、デジタル・ビデオ・ディスク若しくはデジタル・バーサタイル・ディスク（ＤＶＤ）、ブルーレイ・ディスク、又は他の光学ストレージのような光ディスク、何らかの方法若しくは技術で実装される揮発性及び不揮発性のリムーバブル及び非リムーバブル媒体、ランダム・アクセス・メモリ（ＲＡＭ）、リード・オンリー・メモリ（ＲＯＭ）、電気的消去可能なプログラム可能リード・オンリー・メモリ（ＥＥＰＲＯＭ）、フラッシュ・メモリ、あるいは他のメモリ技術を含む。如何なるそのような非一時的なコンピュータ／プロセッサ記憶媒体も、デバイスの部分又はそれへアクセス可能若しくは接続可能であってよい。ここで記載される如何なるアプリケーション又はモジュールも、そのような非一時的なコンピュータ／プロセッサ可読記憶媒体によって記憶又は別なふうに保持され得るコンピュータ／プロセッサ読み出し可能／実行可能な命令を用いて実装されてよい。
【手続補正４７】
【補正対象書類名】図面
【補正対象項目名】図１５
【補正方法】変更
【補正の内容】
【図１５】
2020500474.tif 000022
【国際調査報告】
2020500474.tif 000023
2020500474.tif 000024